(57)【要約】本発明は、ブラジャー及びピエゾエアポンプの内側に適合するように少なくとも部分的に成形されたハウジングを含む、ウェアラブル搾乳器システムである。ピエゾエアポンプはハウジングに適合され、個別の変形可能な隔膜を駆動して陰圧の空気圧を生成する閉ループシステムの一部を形成する。隔膜は、乳房シールドに取り外し可能に取り付けられる。
2020523179.tif 000002
【特許請求の範囲】
【請求項１】
（ａ）ブラジャーの内側にフィットするように少なくとも部分的に成形されたハウジング、
（ｂ）前記ハウジングに取り付けられ、個別の変形可能な隔膜を駆動して陰圧の空気圧を生成する閉ループシステムの一部を形成するピエゾエアポンプであって、この隔膜は乳房シールドに取り外し可能に取り付けられている前記ピエゾエアポンプ
を含む、ウェアラブル搾乳器システム。
【請求項２】
内部充電式電池を備えた内蔵型ウェアラブルデバイスとして構成されている、請求項１に記載のウェアラブル搾乳器システム。
【請求項３】
前記ピエゾエアポンプは、前記ハウジングの基部またはその近くに配置される、請求項１または２に記載のウェアラブル搾乳器システム。
【請求項４】
前記ピエゾエアポンプが２つ以上の個別のピエゾエアポンプを含む、先行請求項のいずれかに記載のウェアラブル搾乳器システム。
【請求項５】
前記個別のピエゾエアポンプが直列配置で取り付けられている、請求項４に記載のウェアラブル搾乳器システム。
【請求項６】
前記個別のピエゾエアポンプが並列配置で取り付けられている、請求項４または５に記載のウェアラブル搾乳器システム。
【請求項７】
前記変形可能な隔膜は、前記乳房シールドの一部に対して取り外し可能に取り付けられた単一またはワンピースの物体である、先行請求項のいずれかに記載のウェアラブル搾乳器システム。
【請求項８】
前記変形可能な隔膜が、前記ピエゾエアポンプに物理的に接続されていない、先行請求項のいずれかに記載のウェアラブル搾乳器システム。
【請求項９】
前記変形可能な隔膜は、前記乳房シールドの一体部分である隔膜ハウジング上に取り外し可能に着座する可撓性の略円形の隔膜である、先行請求項のいずれかに記載のウェアラブル搾乳器システム。
【請求項１０】
隔膜ハウジングが、陰圧の空気圧を前記乳房シールドの乳頭トンネルに伝達する空気穴を含み、前記隔膜が前記隔膜ハウジングから離れるときに前記陰圧の空気圧が生じ、前記乳頭トンネル内の前記陰圧の空気圧により、乳房及び／または乳頭が前記乳房シールドに押し付けられ、乳が搾り出される、先行請求項のいずれかに記載のウェアラブル搾乳器システム。
【請求項１１】
前記ピエゾエアポンプは、４００ｍＢａｒ（４０ｋＰａ）を超える失速圧力及び毎分１．５リットルの自由空気流を送達する、先行請求項のいずれかに記載のウェアラブル搾乳器システム。
【請求項１２】
前記ピエゾエアポンプの重量が１０ｇｍ未満である、先行請求項のいずれかに記載のウェアラブル搾乳器システム。
【請求項１３】
通常の動作において、前記搾乳器システムは、２０ｄＢの周囲ノイズに対して、最大電力で３０ｄＢ未満、通常電力で２５ｄＢ未満のノイズを発生させる、先行請求項のいずれかに記載のウェアラブル搾乳器システム。
【請求項１４】
前記ピエゾエアポンプは、エアフィルタを通過する空気によって供給される、先行請求項のいずれかに記載のウェアラブル搾乳器システム。
【請求項１５】
通常の使用または通常の分解において前記ハウジングから直接取り外し可能な２つの部品、すなわち前記乳房シールド及び硬くて折り畳み不可能な乳容器のみを含む、先行請求項のいずれかに記載のウェアラブル搾乳器システム。
【請求項１６】
前記乳房シールドは、単一のスライドプッシュ動作で前記ハウジングに取り付けられるように構成される、先行請求項のいずれかに記載のウェアラブル搾乳器システム。
【請求項１７】
乳が前記乳容器に流れ込んでいるか流れていないかを示す視覚及び／または触覚インジケータを含む、先行請求項のいずれかに記載のウェアラブル搾乳器システム。
【請求項１８】
前記ハウジングは、センサであって、搾乳セッション中に、前記ハウジングの前記動き及び／または傾斜角を測定または判定し、前記センサの出力に応じて前記システムの動作に自動的に影響するまたは調整する、加速度計などの前記センサを含む、先行請求項のいずれかに記載のウェアラブル搾乳器システム。
【請求項１９】
乳が左乳房から搾乳されているのか、または右乳房から搾乳されているのかを前記使用者が表示または記録するために選択できる制御インターフェイスを含む、先行請求項のいずれかに記載のウェアラブル搾乳器システム。
【請求項２０】
（ｉ）前記陰圧を測定するように構成された空気圧センサ、及び（ｉｉ）乳の流れまたは乳の量を測定または推測する測定サブシステムを含む、先行請求項のいずれかに記載のウェアラブル搾乳器システム。
【請求項２１】
（ａ）再利用可能な、剛性または折り畳めない乳容器、
（ｂ）放射を前記乳の前記表面に向けるように構成された少なくとも１つの光エミッタ、
（ｃ）前記乳の前記表面からの反射放射を検出するように構成された少なくとも１つの光検出器
を含み、
前記光エミッタと前記検出器は、前記容器内の前記乳の高さを測定する、または前記量を推測するサブシステムの一部として動作する、先行請求項のいずれかに記載のウェアラブル搾乳器システム。
【請求項２２】
前記ポンプシステムの重心が、前記ハウジングに取り付けられた乳容器が空のとき、実質的に（ｉ）前記ハウジングの中途高さ線、または（ｉｉ）乳頭トンネルまたは乳房シールドの充填点を通る水平線以下であり、これにより、前記ポンプを使用する女性にとって前記デバイスの上部が重くならない、先行請求項のいずれかに記載のウェアラブル搾乳器システム。
【請求項２３】
前記乳容器内への乳の流れを測定または推測する測定サブシステムを含み、また、前記測定サブシステムが、乳の流量または乳の搾り出しに関する使用者定義の要件と相関するメトリックを判定するデータ分析システムにデータを提供する、先行請求項のいずれかに記載のウェアラブル搾乳器システム。
【請求項２４】
接続されたデバイスまたはリモートアプリケーションまたはリモートサーバーにデータを収集及び提供するデータサブシステムを含み、前記収集されたデータの全部または一部が、ソーシャルメディアまたはコミュニティの機能またはプラットフォームへの入力を提供するデータ分析システムによって使用される、先行請求項のいずれかに記載のウェアラブル搾乳器システム。
【請求項２５】
前記搾乳機構を制御し、前記システムの使用中に体験している快適さのレベルを前記使用者が手動で示すことができるようにプログラムされたマイクロコントローラを含む、先行請求項のいずれかに記載のウェアラブル搾乳器システム。
【請求項２６】
前記搾乳機構の１つ以上のパラメータを自動的に変更し、これらのパラメータの１つ以上の異なる値の関数として乳搾り出しデータを自動的に測定または関連付けるようにプログラムされたマイクロコントローラを含む、先行請求項のいずれかに記載のウェアラブル搾乳器システム。
【請求項２７】
前記ハウジングに接続されたときに、前記ハウジングの湾曲した形状を継続するように形作られた表面を備えた、前記ハウジングの一体の下部を形成し、前記ポンプシステムを前記ブラジャー内に快適に保持できるようにする、再利用可能な剛性または折り畳めない乳容器を含む、先行請求項のいずれかに記載のウェアラブル搾乳器システム。
【請求項２８】
単一のプッシュ動作で前記乳容器が前記ハウジングに十分に押し付けられたときに解放可能に取り付けまたはラッチする機構で前記ハウジングに取り付け可能な乳容器を含む、先行請求項のいずれかに記載のウェアラブル搾乳器システム。
【請求項２９】
前記乳房シールドは、乳頭を受け入れるように形作られた乳頭トンネルを含み、乳流路の開始を規定する開口部を含み、前記システムは、前記搾乳器が通常の使用のために配置または方向付けられている場合、前記ハウジングに接続されたときに前記開口部または前記乳流路の完全に下に配置される再利用可能な乳容器を含む、先行請求項のいずれかに記載のウェアラブル搾乳器システム。
【請求項３０】
ハウジングから取り外し可能であり、高さよりも幅が広いために乳児が容易に保持できる飲用瓶としても機能する形状または構成の乳容器を含む、先行請求項のいずれかに記載のウェアラブル搾乳器システム。
独立項
【請求項３１】
（ａ）ブラジャーの内側にフィットするように少なくとも部分的に成形され、搾乳機構を含むハウジング、
（ｂ）乳房シールド、
（ｃ）剛性または折り畳めない乳容器
を含み、
前記搾乳器システムには、通常の使用または通常の分解で前記ハウジングから直接取り外し可能な２つの部品、前記乳房シールドと前記剛性の折り畳めない乳容器のみが含まれる、ウェアラブル搾乳器システム。
【請求項３２】
（ａ）ブラジャーの内側にフィットするように少なくとも部分的に成形され、搾乳機構を含むハウジング、及び
（ｂ）乳房シールドであって、正しい乳頭の位置合わせを促進するべく、乳房に前記乳房シールドを置く母親に、前記乳頭トンネル内に配置されたときに乳頭の透明で遮るもののない視野を提供しながら、乳頭を受け入れる形状をした、実質的に透明な乳頭トンネルを含む前記乳房シールド、
を含む、ウェアラブル搾乳器システム。
【請求項３３】
（ａ）ブラジャーの内側にフィットするように少なくとも部分的に成形され、搾乳機構を含むハウジング、及び
（ｂ）乳頭を受け入れるように形作られた実質的に透明な乳頭トンネルを含む乳房シールドであって、前記乳頭トンネルが、前記乳頭トンネルの側壁から乳頭の正しい間隔を定めるガイドラインを含む前記乳房シールド
を含む、ウェアラブル搾乳器システム。
【請求項３４】
（ａ）ブラジャーの内側にフィットするように少なくとも部分的に成形され、搾乳機構を含むハウジング、及び
（ｂ）乳房シールドであって、十分な力で前記ハウジング上または前記ハウジングに対してスライドされると、可聴なクリック音でラッチする機構で前記ハウジングに取り付け可能な前記乳房シールド
を含むウェアラブル搾乳器システム。
【請求項３５】
（ａ）ブラジャーの内側にフィットするように少なくとも部分的に成形され、搾乳機構を含むハウジング、
（ｂ）単一のスライドプッシュ動作で前記ハウジングに取り付けられるように構成された乳房シールド
を含む、ウェアラブル搾乳器システム。
【請求項３６】
（ａ）ブラジャーの内側にフィットするように少なくとも部分的に成形され、搾乳機構を含むハウジング、
（ｂ）乳房シールド、
（ｃ）乳容器、
を含み、
前記ポンプシステムの重心が、前記乳容器が空のとき、実質的に（ｉ）前記ハウジングの中途高さ線、または（ｉｉ）乳頭トンネルまたは乳房シールドの充填点を通る水平線以下であり、これにより、前記ポンプを使用する女性にとって前記デバイスの上部が重くならない、ウェアラブル搾乳器システム。
【請求項３７】
（ａ）搾乳機構を含むハウジング、
（ｂ）照明付きコントロールパネル、
（ｃ）夜間または使用者が指定したときに、前記コントロールパネルの照明のレベルまたは色を低減または調整する制御システム
を含む、搾乳器システム。
【請求項３８】
（ａ）ブラジャーの内側にフィットするように少なくとも部分的に成形され、搾乳機構を含むハウジング、
（ｂ）ブラジャーの中に隠されるように構成されているため、通常の使用では母親には見えない乳容器、
（ｃ）乳が前記乳容器に流れているかどうかを示す視覚及び／または触覚インジケータ
を含む、ウェアラブル搾乳器システム。
【請求項３９】
（ａ）搾乳機構を含むハウジング、
（ｂ）乳容器、
（ｃ）前記乳容器への乳の流れを測定または推測する測定サブシステム
を含み、
前記測定サブシステムは、乳の流量または乳の搾り出しに関する使用者定義の要件と相関するメトリックを判定するデータ分析システムにデータを提供する、搾乳器システム。
【請求項４０】
（ａ）搾乳機構を含むハウジング、
（ｂ）乳容器、
（ｃ）データを収集し、接続されたデバイスまたはリモートアプリケーションまたはリモートサーバーに提供するデータサブシステム
を含み、
（ｄ）前記収集されたデータの全部または一部が、ソーシャルメディアまたはコミュニティ機能またはプラットフォームへの入力を提供するデータ分析システムによって使用される、搾乳器システム。
【請求項４１】
（ａ）搾乳機構を含むハウジング、
（ｂ）乳容器、
を含み、
（ｃ）前記乳容器または蓋などのいずれかの関連部品には、乳が充填された時刻及び／または日付を保存するように自動的にプログラムされるメモリまたはタグが含まれる、
前記搾乳機構と前記乳容器を含む搾乳器システム。
【請求項４２】
ポンプまたは接続されたデバイス、例えばスマートフォンからのデータを使用して、充填された日付と時刻を保存するようにプログラムされたメモリまたはタグを含む、または関連付けられたスマート瓶または容器。
【請求項４３】
（ａ）ハウジング、
（ｂ）乳容器
を含み、
（ｃ）前記ハウジングは、センサであって、搾乳セッション中に、前記ハウジングの前記動き及び／または傾斜角を測定または判定し、前記センサの出力に応じて前記システムの動作に自動的に影響するまたは調整する、加速度計などの前記センサを含む、搾乳器システム。
【請求項４４】
（ａ）ブラジャーの内側にフィットするように少なくとも部分的に成形されたハウジング、
（ｂ）乳が左乳房から搾乳されているのか、または右乳房から搾乳されているのかを使用者が表示または記録するために選択できる制御インターフェイス
を含む、ウェアラブル搾乳器システム。
【請求項４５】
（ｉ）陰圧の空気圧を適用する搾乳機構、及び（ｉｉ）前記陰圧の空気圧機構によって送達される前記陰圧を測定するように構成された空気圧センサ、及び（ｉｉｉ）乳の流れまたは乳の量を測定または推測する測定サブシステムを含む、搾乳器システム。
【請求項４６】
（ｉ）陰圧の空気圧を適用する搾乳機構と、（ｉｉ）前記搾乳機構に様々な事前設定圧力プロファイルを提供し、使用者が手動で圧力を、事前設定された圧力プロファイルから利用可能な値の中間の１つまたは複数の値に変更できるようにプログラムされたマイクロコントローラを含む搾乳器システム。
【請求項４７】
（ｉ）陰圧の空気圧を適用する搾乳機構と、（ｉｉ）前記搾乳機構を制御し、前記システムの使用時に使用者が経る快適さのレベルを前記使用者が手動で表示できるようにプログラムされたマイクロコントローラを含む搾乳器システム。
【請求項４８】
（ｉ）陰圧の空気圧を適用する搾乳機構と、（ｉｉ）前記搾乳機構の１つ以上のパラメータを自動的に変更し、これらのパラメータの１つ以上の異なる値の関数として乳搾り出しデータを自動的に測定または関連付けるようにプログラムされたマイクロコントローラを含む搾乳器システム。
【請求項４９】
（ｉ）陰圧の空気圧を適用する搾乳機構と、（ｉｉ）前記搾乳機構の１つ以上のパラメータを自動的に変更し、乳排出の開始を自動的に検出するようにプログラムされたマイクロコントローラを含む搾乳器システム。
【請求項５０】
（ａ）ブラジャーの内側にフィットするように少なくとも部分的に成形されたハウジング、
（ｂ）陰圧の空気圧を生成するための個別の変形可能な隔膜を駆動する閉ループシステムの一部である、前記ハウジング内のピエゾエアポンプ
を含む、ウェアラブル搾乳器システム。
【請求項５１】
（ａ）ハウジング、
（ｂ）陰圧の空気圧を生成するために物理的に分離された変形可能なセルフシールの隔膜を駆動する閉ループシステムの一部である前記ハウジング内のピエゾエアポンプ
を含む、搾乳器システム。
【請求項５２】
（ａ）ハウジング、
（ｂ）陰圧の空気圧を生成するために前記ハウジング内の変形可能な隔膜を駆動し、直列接続モードと並列接続モードで複数のピエゾエアポンプを異なる時間に動作させることができる、前記ハウジング内の前記複数のピエゾエアポンプ
を含む、搾乳器システム。
【請求項５３】
（ａ）ブラジャーの内側にフィットするように少なくとも部分的に成形されたハウジング、
（ｂ）前記ハウジングに取り付けられる乳房シールド、
（ｂ）前記乳房シールドに直接適合する変形可能な隔膜を駆動する、前記ハウジング内のピエゾエアポンプ
を含む、ウェアラブル搾乳器システム。
【請求項５４】
（ａ）ブラジャーの内側にフィットするように少なくとも部分的に成形されたハウジング、
（ｂ）前記ハウジング内のピエゾエアポンプ、及び
（ｃ）前記ハウジングに接続されたときに前記ハウジングの一体部分を形成し、また前記ハウジングから取り外し可能な、再利用可能で剛性または折り畳めない乳容器
を含む、ウェアラブル搾乳器システム。
【請求項５５】
（ａ）ハウジング、
（ｂ）前記ハウジング内のピエゾエアポンプ、
（ｃ）乳容器、
（ｄ）前記ピエゾエアポンプの前記動作に関連するデータ収集と、そのデータのデータ分析システムへの送信を可能にするデータ接続モジュール
を含む、搾乳器システム
【請求項５６】
（ａ）ハウジング、
（ｂ）前記ハウジング内の変形可能な隔膜を駆動して陰圧の空気圧を生成する、前記ハウジング内のピエゾエアポンプ、
（ｃ）前記ピエゾエアポンプが生成する前記熱を管理して、快適に着用できるのを確実にするためのヒートシンク
を含む、搾乳器システム。
【請求項５７】
（ａ）ハウジング、
（ｂ）女性の乳房を取り囲む領域に陰圧を加えてその乳房から搾乳する閉ループ陰圧空気圧システムを駆動する前記ハウジング内のエアポンプ
を含み、
（ｃ）前記エアポンプは、前記乳房の１つまたは複数の部分をマッサージするように構成された１つまたは複数の空気ブラダまたはライナーを定期的または連続的に膨張させるための空気も提供する、搾乳器システム。
【請求項５８】
（ａ）ハウジング、
（ｂ）女性の乳房を取り囲む領域に陰圧を加えてその乳房から搾乳する閉ループ陰圧空気圧システムを駆動する前記ハウジング内のピエゾポンプなどのエアポンプ
を含み、
（ｃ）前記エアポンプは、前記乳房の１つ以上の部分に温かさを加えるように構成された１つ以上の空気チャンバを定期的または連続的に膨張させる温かい空気も提供する、
搾乳器システム。
【請求項５９】
（ａ）ブラジャーの内側にフィットするように曲面で少なくとも部分的に形成され、搾乳機構を含むハウジング、及び
（ｂ）前記ハウジングに接続されたときに、前記ハウジングの一体型下部を形成する再利用可能な剛性または折り畳めない乳容器であって、前記ハウジングの曲面形状を継続するように成形され、ポンプシステムが前記ブラジャーの内側に快適に保持され得るようにする、前記乳容器
を含むよう構成される、ウェアラブル搾乳器システム。
【請求項６０】
（ａ）ブラジャーの内側にフィットするように少なくとも部分的に成形され、搾乳機構を含むハウジング、及び
（ｂ）乳容器であって、前記ハウジングに１回のプッシュ動作で十分に押し付けられると、取り外し可能に取り付けまたはラッチする機構で前記ハウジングに取り付け可能な前記乳容器
を含む、ウェアラブル搾乳器システム。
【請求項６１】
（ａ）ブラジャーの内側にフィットするように少なくとも部分的に成形され、搾乳機構を含むハウジング、及び
（ｂ）再利用可能な乳容器であって、前記ポンプの前記曲面の形状または乳房様の形状を継続するように形作られた表面で前記ハウジングに接続され、前記ポンプがブラジャーの内側で快適に保持できるようにし、その場合に乳を注ぐための注ぎ口を前記乳容器が含む、前記再利用可能な乳容器
を含む、ウェアラブル搾乳器システム。
【請求項６２】
（ａ）搾乳機構を含むハウジングであって、少なくとも部分的にブラジャーの内側に適合するように成形された前記ハウジング、及び
（ｂ）乳頭を受け入れるように形作られた乳頭トンネルを含み、乳流路の開始を規定する開口部を含む乳房シールド、
（ｃ）前記搾乳器が通常の使用のために配置または方向付けられている場合、前記ハウジングに接続されたときに前記開口部または前記乳流路の完全に下に配置される再利用可能な乳容器
を含む、ウェアラブル搾乳器システム。
【請求項６３】
（ａ）搾乳機構を含むハウジング、及び
（ｂ）乳頭を受け入れる形状の領域を画定する乳房シールドであって、前記領域は、乳流路の開始を画定する前記乳房シールド、
（ｃ）前記ハウジングに接続されたときに、前記ハウジングの前記基部を形成するように配置される、再利用可能な剛性または折り畳めない乳容器
を含み、
前記乳房シールドと前記乳容器は、実質的に光学的に澄んでいる食器洗い機に安全な材料で作られている、搾乳器システム。
【請求項６４】
（ａ）ブラジャーの内側にフィットするように少なくとも部分的に成形され、エアポンプ機構を含むハウジング、
（ｂ）乳房シールド、
（ｃ）前記エアポンプ機構によって生じる空気圧の変化に応じて曲がり、前記乳房シールドをシールする隔膜、
（ｄ）前記乳房シールドをシールする再利用可能な乳容器
を含み、
前記隔膜及び前記再利用可能な乳容器のいずれかまたは両方が、前記搾乳機構によって提供される前記陰圧の空気圧の下で実質的にセルフシールする
ウェアラブル搾乳器システム。
【請求項６５】
単一ユニットとして構成され、
（ａ）ブラジャーの内側にフィットするように少なくとも部分的に成形され、搾乳機構を含むハウジング、及び
（ｂ）前記ハウジングの一体化部分を形成する乳容器、
（ｃ）前記乳容器の前記前端またはその近くに配置された再利用可能な注ぎ口
を含む、ウェアラブル搾乳器システム。
【請求項６６】
単一ユニットとして構成され、
（ａ）ブラジャーの内側にフィットするように少なくとも部分的に成形され、搾乳機構を含むハウジング、
（ｂ）乳房シールド、
（ｃ）前記ハウジングから取り外し可能で、高さよりも幅が広いために乳児が容易に保持できる飲用瓶としても機能する形状または構成の乳容器
を含む、ウェアラブル搾乳器システム。
【請求項６７】
搾乳器または母乳収集デバイスの一部として使用するための、乳の量の判定のためのシステムであって、
（ａ）再利用可能な剛性または折り畳めない乳容器、
（ｂ）放射を乳の表面に向けるように構成された少なくとも１つの光エミッタ、
（ｃ）前記乳の前記表面からの反射放射を検出するように構成された少なくとも１つの光検出器
を含み、
前記光エミッタ及び検出器は、前記容器内の前記乳の高さを測定する、または量を推測するサブシステムの一部として動作する前記システム。
【請求項６８】
搾乳器の容器内の液体の量を測定するための液体レベル測定システムであって、
（ａ）前記容器内の前記液体の表面に光を向ける１つ以上の光エミッタ、
（ｂ）前記液体から反射された前記光エミッタからの光を検出するように構成された１つ以上の光レシーバ、
（ｃ）前記検出された光の測定された特性を使用して前記液体の前記量を推測、測定、または計算するサブシステム、
（ｄ）前記システムを前記容器上に配置するカラーまたはその他の固定システム
を含む、前記システム。
【請求項６９】
容器内の液体の傾斜角を測定するための液体レベル測定システムであって、
（ａ）前記容器内の液体の表面に光を向ける１つ以上の光エミッタ、
（ｂ）前記液体から反射された前記光の特性を測定するように構成された１つ以上の光レシーバ、
（ｃ）前記検出された光の測定された特性を使用して前記液体の傾斜角を推測、測定、または計算する加速度計を含むサブシステム、
（ｄ）前記システムを前記容器上に配置するカラーまたはその他の固定システム
を含む前記システム。
【請求項７０】
授乳用またはマタニティブラ用のブラジャーアジャスターシステムであって、前記授乳用またはマタニティブラが、乳頭を露出するために外すことができるフラップであって、留め金、フックまたは前記フラップに取り付けられる他のファスナーを使用して前記ショルダーストラップに取り付けられる前記フラップ、及び前記ショルダーストラップに取り付けられる対応するファスナーを伴うブラカップを含み、
前記ブラアジャスターは一端で前記フラップに取り付けられた前記ファスナーに対して取り付け可能であり、また他端で前記ショルダーストラップに取り付けられた前記ファスナーに対して取り付け可能であり、したがって、ウェアラブル搾乳器を収容するのに十分な有効ブラカップサイズを増加させ、前記フラップとショルダーストラップから取り外しも可能である前記ブラアジャスター。
【請求項７１】
直列または並列に一緒に取り付けられた複数のピエゾポンプを含む、ウェアラブルデバイス。
【請求項７２】
一緒に取り付けられたピエゾポンプとヒートシンクを含む、ウェアラブル医療機器。
乳房シールド
【請求項７３】
通常の使用において乳と接触する前記システムの部分は、乳房シールド及び乳容器だけである、先行請求項のいずれかに記載のシステム。
【請求項７４】
乳が乳房シールドのみを通って流れ、その後直接乳容器に流れる、先行請求項のいずれかに記載のシステム。
【請求項７５】
乳房シールド及び乳容器がそれぞれ、前記ハウジングと係合するように圧迫されるまたは押される、先行請求項のいずれかに記載のシステム。
【請求項７６】
乳房シールド及び乳容器がそれぞれ、前記ハウジングとラッチ係合するように圧迫されるまたは押される、先行請求項のいずれかに記載のシステム。
【請求項７７】
２つの使用者が取り外し可能な部品、すなわち乳房シールド及び乳容器があり、それぞれがクリック音などの可聴音で確認される動作を使用して前記ハウジングに挿入及び取り外し可能である、先行請求項のいずれかに記載のシステム。
【請求項７８】
乳房シールドが、前記乳頭トンネル内に挿入された乳頭の周りを滑らかに回転して、前記乳房シールドの隔膜ハウジング部分を前記乳房の上部に配置するように構成された、先行請求項のいずれかに記載のシステム。
【請求項７９】
乳房シールドが、ガイド部材を使用して前記ハウジング内にスライドする、先行請求項のいずれかに記載のシステム。
【請求項８０】
前記ハウジングは、ガイド部材を使用して、前記乳房シールドが乳房上に配置されたときに、乳房シールド上にスライドするように構成される、先行請求項のいずれかに記載のシステム。
【請求項８１】
乳房シールドが、前記ハウジングに対して所定の位置にラッチする、先行請求項のいずれかに記載のシステム。
【請求項８２】
ハウジング内のボールベアリングなどのばねプランジャが前記乳房シールドの小さなくぼみに位置するときに、乳房シールドが前記ハウジングに対して所定の位置にラッチする、先行請求項のいずれかに記載のシステム。
【請求項８３】
乳房シールドが、磁石を使用して前記ハウジングに対して所定の位置にラッチする、先行請求項のいずれかに記載のシステム。
【請求項８４】
乳房シールドが、（ａ）前記ハウジング内のエアポンプシステムによって陰圧の空気圧が加えられると曲がり、（ｂ）乳を搾り出させるために、乳房及び／または乳頭を前記乳房シールドに対して引っ張るその陰圧の空気圧を伝達する可撓性隔膜を含むか、ともに動作する、先行請求項のいずれかに記載のシステム。
【請求項８５】
乳房シールドが、搾り出された乳が前記乳容器に直接流れる開口部を下面に含む乳頭トンネルを含む、先行請求項のいずれかに記載のシステム。
【請求項８６】
前記可撓性隔膜を除いて、他の部品は前記乳房シールドから取り外し可能ではない、先行請求項のいずれかに記載のシステム。
乳容器
【請求項８７】
乳容器が、前記ハウジングの下面に取り付けられ、使用中の前記搾乳器システムの前記基部を形成する、先行請求項のいずれかに記載のシステム。
【請求項８８】
乳容器が、前記ハウジングに接続されたときに前記ハウジングの前記基部を形成するように配置される再利用可能な乳容器である、先行請求項のいずれかに記載のシステム。
【請求項８９】
乳容器が前記ハウジングに機械的または磁気的にラッチする、先行請求項のいずれかに記載のシステム。
【請求項９０】
乳容器は、前記使用者が前記ハウジング上のボタンを押すことにより解放される、先行請求項のいずれかに記載のシステム。
【請求項９１】
乳容器が、取り外し可能なキャップと、前記蓋に着座する取り外し可能な弁とを含む、先行請求項のいずれかに記載のシステム。
【請求項９２】
通常の使用において、前記乳容器は、ブラジャー内に完全に配置される、先行請求項のいずれかに記載のシステム。
【請求項９３】
キャップ及び弁を除いて、前記乳容器から取り外し可能な部品はない、先行請求項のいずれかに記載のシステム。
【請求項９４】
通常の使用において使用者が取り外し可能なすべての部分が、乳房シールドまたは乳容器のいずれかに取り付けられている、先行請求項のいずれかに記載のシステム。
【請求項９５】
可聴または触覚フィードバックにより、前記ポンプシステムが通常の使用のために適切に組み立てられ、前記乳容器が前記ハウジングにロックされ、前記乳房シールドが前記ハウジングにロックされていることを確認する、先行請求項のいずれかに記載のシステム。
ポンプ
【請求項９６】
搾乳機構が、女性の乳房を取り囲む領域に陰圧を加えて、その乳房から乳を搾乳する閉ループ陰圧空気圧システムである、先行請求項のいずれかに記載のシステム。
【請求項９７】
空気圧測定値を前記乳の流れまたは乳の量の測定値と結合または関連付ける制御サブシステムも含む、先行請求項のいずれかに記載のシステム。
【請求項９８】
制御サブシステムが陰圧の空気圧を自動的に調整して、前記最適な乳の流れまたは乳の量を与える、先行請求項のいずれかに記載のシステム。
【請求項９９】
制御サブシステムが、搾乳セッション中に前記陰圧の空気圧を自動的に調整して、前記使用者によって定義された快適性の制約内で前記最適な乳の流れまたは乳の量を与える、先行請求項のいずれかに記載のシステム。
【請求項１００】
空気圧センサが、前記搾乳機構によって生成された圧力を検出する、先行請求項のいずれかに記載のシステム。
【請求項１０１】
空気圧センサがピエゾ空気圧センサである、先行請求項のいずれかに記載のシステム。
【請求項１０２】
空気圧センサが、通常の乳搾り出しセッション中に前記陰圧の空気圧を測定する、先行請求項のいずれかに記載のシステム。
【請求項１０３】
空気圧センサが較正セッション中に前記陰圧の空気圧を測定し、前記システムが結果を使用して搾乳機構の動作を変化させ、それにより経時的に一貫した性能を提供する、先行請求項のいずれかに記載のシステム。
【請求項１０４】
空気圧センサが較正セッション中に前記陰圧の空気圧を測定し、前記システムが結果を使用して前記搾乳機構の動作を変化させ、異なる搾乳器システムの異なる搾乳機構がすべて一貫した能力を送達する、先行請求項のいずれかに記載のシステム。
【請求項１０５】
空気圧センサが較正セッション中に前記陰圧の空気圧を測定し、前記システムが結果を使用して、許容範囲内で搾乳機構が正しく動作しているかどうかを判定する、先行請求項のいずれかに記載のシステム。
【請求項１０６】
搾乳機構の動作は、デューティサイクルまたはポンプサイクルを変更することにより変更される、先行請求項のいずれかに記載のシステム。
【請求項１０７】
搾乳機構に印加される電圧を変えることにより、搾乳機構の動作が変化する、先行請求項のいずれかに記載のシステム。
ピエゾエアポンプ
【請求項１０８】
搾乳機構がピエゾエアポンプである、先行請求項のいずれかに記載のシステム。
【請求項１０９】
ピエゾエアポンプが閉または閉ループシステムの一部を形成する、先行請求項のいずれかに記載のシステム。
【請求項１１０】
ピエゾエアポンプが、乳房シールドの一部を形成する隔膜ハウジングに対してシール、セルフシール、自己活性化シール、または締まり嵌めシールを行う可撓性隔膜に陰圧を加える閉ループ陰圧空気圧システムである、先行請求項のいずれかに記載のシステム。
【請求項１１１】
ピエゾエアポンプが、前記ハウジングの前記基部にまたは近くに配置される、先行請求項のいずれかに記載のシステム。
【請求項１１２】
２つ以上のピエゾエアポンプが存在する、先行請求項のいずれかに記載のシステム。
【請求項１１３】
直列配置で取り付けられた２つ以上のピエゾエアポンプが存在する、先行請求項のいずれかに記載のシステム。
【請求項１１４】
並列配置で取り付けられた２つ以上のピエゾエアポンプが存在する、先行請求項のいずれかに記載のシステム。
【請求項１１５】
ピエゾポンプが、４００ミリバール（４０ｋＰａ）を超える失速圧力及び毎分１．５リットルの自由空気流を送達する、先行請求項のいずれかに記載のシステム。
【請求項１１６】
ピエゾエアポンプの重量が２５ｇｍ未満、または１０ｇｍ未満である、先行請求項のいずれかに記載のシステム。
【請求項１１７】
動作中、前記搾乳器システムが、２０ｄＢの周囲ノイズに対して、最大電力で３０ｄＢ未満、通常電力で２５ｄＢ未満のノイズを発生させる、先行請求項のいずれかに記載のシステム。
【請求項１１８】
動作中、前記搾乳器システムは、２０ｄＢの周囲ノイズに対して、最大電力で約２４ｄＢ、通常電力で２２ｄＢのノイズを発生させる、先行請求項のいずれかに記載のシステム。前記ピエゾポンプには、エアフィルタを通過する空気が供給される。
【請求項１１９】
ピエゾエアポンプは、女性の乳房を取り囲む領域に陰圧を加えてその乳房から乳を搾乳する閉ループ陰圧空気圧システムである、先行請求項のいずれかに記載のシステム。
隔膜
【請求項１２０】
閉じたシステムが、可撓性隔膜によって「乳」側から分離されている、先行請求項のいずれかに記載のシステム。
【請求項１２１】
変形可能な隔膜が、乳房シールドの一部に対して取り外し可能に取り付けられている、先行請求項のいずれかに記載のシステム。
【請求項１２２】
変形可能な隔膜が、乳房シールドの一部に対して取り外し可能に取り付けられた単一または一体の物体である、先行請求項のいずれかに記載のシステム。
【請求項１２３】
変形可能な隔膜が、前記ピエゾエアポンプに物理的に接続されていない、先行請求項のいずれかに記載のシステム。
【請求項１２４】
エアポンプが、前記乳房シールドに直接取り外し可能に適合する物理的に分離した遠隔の変形可能な隔膜を駆動する閉ループエアポンプである、先行請求項のいずれかに記載のシステム。
【請求項１２５】
変形可能な隔膜が、乳房シールドの一体部分である隔膜ハウジング上に着座する可撓性の略円形の隔膜である、先行請求項のいずれかに記載のシステム。
【請求項１２６】
前記乳房シールドが前記ハウジングに取り付けられるとき、可撓性隔膜の縁部が、前記ハウジングに対して、シール、セルフシール、自己活性化シール、または締まり嵌めシールする、先行請求項のいずれかに記載のシステム。
【請求項１２７】
隔膜ハウジングが、前記乳房シールド内の乳頭トンネルに陰圧の空気圧を伝達する空気穴を含み、前記隔膜が前記隔膜ハウジングから前記ハウジングに向かって移動すると前記陰圧の空気圧が生じ、前記乳頭トンネル内の前記陰圧の空気圧により、前記乳房及び／または乳頭が前記乳房シールドに押し付けられ、乳が搾り出される、先行請求項のいずれかに記載のシステム。
流量測定と表示
【請求項１２８】
基部上方の乳容器内の前記液体の前記量及び／または前記高さが増加の閾値の比率を超えて増加しているかどうかに基づいて、触覚及び／または視覚インジケータが、前記ポンプが乳を搾乳するために正しく動作しているかどうかを示す、先行請求項のいずれかに記載のシステム。
【請求項１２９】
ポンプが乳を搾乳するために正しく動作しているかどうかを示す触覚及び／または視覚インジケータが、前記乳の量が増加するにつれて外観が変化するＬＥＤの列である、先行請求項のいずれかに記載のシステム。
【請求項１３０】
触覚及び／または視覚インジケータが、前記乳の流量の推定値の表示を提供する、先行請求項のいずれかに記載のシステム。
【請求項１３１】
視覚インジケータが、前記乳の流量の推定値の色分けされた表示を提供する、先行請求項のいずれかに記載のシステム。
【請求項１３２】
視覚インジケータが、前記容器のどれくらいの量まで乳が充填されたかの表示を提供する、先行請求項のいずれかに記載のシステム。
【請求項１３３】
乳の流れまたは量の視覚インジケータが、スマートフォンまたはスマートウォッチまたはスマートリングなどの他の個人用デバイス上で実行される、接続されたコンパニオンアプリケーションのユーザインターフェイスの一部である、先行請求項のいずれかに記載のシステム。
【請求項１３４】
乳の流れまたは量の触覚インジケータが、スマートフォンまたはスマートウォッチまたはスマートリングなどの他の個人用デバイス上で実行される、接続されたコンパニオンアプリケーションのユーザインターフェイスの一部である、先行請求項のいずれかに記載のシステム。
【請求項１３５】
サブシステムが、乳容器内の前記液体の前記量及び／または前記高さを測定または推測する、先行請求項のいずれかに記載のシステム。
【請求項１３６】
サブシステムが、１つ以上の光エミッタ及び光検出器を使用して、前記液体によって反射され、その反射光の強度を測定する前記エミッタからの光を検出することにより、乳容器内の前記液体の前記量及び／または前記高さを測定または推測する、先行請求項のいずれかに記載のシステム。
【請求項１３７】
サブシステムが加速度計を含むまたは加速度計と通信し、乳容器内の前記液体の前記量または前記高さを前記サブシステムが正確に測定または推測できるほど十分に前記液体が静止しているかどうかを判断するために、前記加速度計からの信号を使用する、先行請求項のいずれかに記載のシステム。
【請求項１３８】
サブシステムが、乳容器内の前記液体の前記上面が前記水平線などのベースラインに対してなす角度を測定または推測する、先行請求項のいずれかに記載のシステム。
【請求項１３９】
触覚及び／または視覚インジケータが、乳容器内の乳の前記量が事前設定された量またはレベルに達したかどうかを示す、先行請求項のいずれかに記載のシステム。
【請求項１４０】
触覚及び／または視覚インジケータが、実行可能な動作に対して前記搾乳器システムの動きが大きすぎるかどうかを示す、先行請求項のいずれかに記載のシステム。
【請求項１４１】
前記ハウジングの前記傾斜角が閾値を超える場合、前記システムは、音声、視覚的または触覚的アラート、または音声、触覚的及び視覚的アラート告の組み合わせを使用して、潜在的な切迫したこぼし（例えば、乳房シールドから乳が逆流することから）を母親に警告またはアラートすることにより、前記システムの前記動作に自動的に影響を与える、先行請求項のいずれかに記載のシステム。
【請求項１４２】
前記ハウジングの前記傾斜角が閾値を超える場合、前記システムは、こぼれを防ぐために前記ポンプを停止することにより前記システムの前記動作を自動的に調整する、先行請求項のいずれかに記載のシステム。
【請求項１４３】
前記ハウジングの前記傾斜角が前記閾値未満に減少するとき、前記システムは、搾乳を自動的に再開させることにより前記システムの前記動作を自動的に調整する、先行請求項のいずれかに記載のシステム。
【請求項１４４】
前記ハウジングの前記傾斜角が閾値を超える場合、前記システムは、母親に位置を変更するためのアラートを提供することにより、前記システムの前記動作に自動的に影響する、先行請求項のいずれかに記載のシステム。
【請求項１４５】
前記ハウジングの前記基部に配置された１つ以上の光エミッタ及び検出器があり、前記容器内の前記乳の前記傾斜角を測定または推測するサブシステムの一部として前記光エミッタ及びレシーバが動作する、先行請求項のいずれかに記載のシステム。
【請求項１４６】
サブシステムが、前記乳容器内の液体の前記量を測定し、前記ハウジングの前記測定された傾斜角も考慮に入れる、先行請求項のいずれかに記載のシステム。
【請求項１４７】
前記傾斜角が特定の閾値を超える場合、前記システムは測定された液体の前記量を無視する、先行請求項のいずれかに記載のシステム。
【請求項１４８】
サブシステムが、歩行、起立、または横臥活動などの母親の活動を前記センサから導き出すまたは推論する、先行請求項のいずれかに記載のシステム。
【請求項１４９】
サブシステムが、乳の流れデータに関連して、前記ハウジングの移動及び／または傾斜角のタイムスタンプ付き記録を保存する、先行請求項のいずれかに記載のシステム。
【請求項１５０】
前記ハウジング上の１つ以上の視覚インジケータが、前記搾乳器システムが前記左乳房または前記右乳房のどちらに設定されているかを示す、先行請求項のいずれかに記載のシステム。
【請求項１５１】
正面から見たときに、前記左乳房の視覚インジケータが前記ハウジングの右側にあり、前記正面から見た場合、前記右乳房の前記視覚インジケータは前記ハウジングの左側にある、先行請求項のいずれかに記載のシステム。
【請求項１５２】
前記ハウジングが、前記左乳房を示すようにラベル付けされたボタンと、前記右乳房を示すようにラベル付けされたボタンを含み、それぞれ点灯して、どの乳房から前記乳が搾り出されているかを示す、先行請求項のいずれかに記載のシステム。
【請求項１５３】
サブシステムが、前記容器内の前記液体の前記量及び／または前記高さを測定または推測し、そのデータをデータ接続モジュールと共有する、先行請求項のいずれかに記載のシステム。
【請求項１５４】
前記搾り出された乳の量またはレベルが閾値を超える場合、例えば刺激モードから搾り出しモードへと前記搾乳機構は自動的にモードを変更する、先行請求項のいずれかに記載のシステム。
【請求項１５５】
前記量またはレベルが閾値を超える場合、前記搾乳機構が自動的に停止する、先行請求項のいずれかに記載のシステム。
【請求項１５６】
乳の流れデータがキャプチャされ、保存される、先行請求項のいずれかに記載のシステム。
【請求項１５７】
乳の流れが閾値を下回る場合、通知が母親に提供される、先行請求項のいずれかに記載のシステム。
【請求項１５８】
先行する請求項のいずれかに定義のシステムを使用するステップを含む、乳を搾り出し、収集する方法。
【発明の詳細な説明】
【技術分野】
【０００１】
本発明の分野は、搾乳器システムに関する。このシステムの実装の１つは、母親から乳を搾るためのウェアラブルな電動搾乳器システムである。
【０００２】
この特許文書の開示の一部には、著作権保護の対象となる資料が含まれている。著作権所有者は、特許商標庁の特許のファイルまたは記録に記載されているように、特許文書または特許開示のいずれかの者によるファクシミリの複製に異議はないが、それ以外はすべての著作権を留保する。
【背景技術】
【０００３】
本開示の仕様は広くて深い。ここで、本開示の重要な態様に関連して従来技術を説明する。
【０００４】
搾乳器システムに関連する先行技術
搾乳器システムは、授乳中の女性の乳房から乳を抽出する機械式または電気機械式の装置である。
【０００５】
典型的な搾乳器の設計は、ＷＯ９６／２５１８７Ａ１に示されているとおりである。自立型の大きな吸引発生装置が提供されている。これは、使用者の乳房と係合する１つまたは２つの乳房シールドにエアラインで取り付けられている。圧力サイクルは、吸引発生装置からエアラインを介して乳房シールドに適用される。これにより、使用者の乳房に圧力サイクルが発生し、授乳中の子供が引き起こす吸引をシミュレートする。
【０００６】
吸引発生装置は、主電源に接続してポンプを作動させる大きなコンポーネントである。搾り出した母乳を保存するために、乳収集瓶が提供される。ＷＯ９６／３６２９８Ａ１のシステムでは、各乳房シールドに取り付けられた別個の瓶が提供されている。各乳房シールドに接続するチューブ付きの単一瓶も使用できる。しかし、母親がオフィス環境などでこれを個別に使用するには、専用のブラジャーを使用する必要がある。特に、乳房シールドの乳頭トンネルが貫通するための中央スリットを有する搾乳ブラジャーが一般的に使用されている。乳房シールドはブラジャー内に保持され、吸引発生装置と乳瓶はブラジャーの外側にある。
【０００７】
基本的な搾乳器システムは、このアプローチから大きく進化したわけではなく、わずかな技術的改善のみが行われている。
【０００８】
しかし、これらのシステムには多くの重大な欠点がある。吸引発生装置は主要電源に接続された大きな自立型ユニットであるため、使用者は壁につながれたように感じることがある。既知のデバイスは通常、正常に機能するために特定の使用者の姿勢と脱衣も必要とする。これは、使用者がオフィス環境などで個別に行うことが明らかに困難である。既知のデバイスはまた、通常、うるさく、不快で、掃除が困難である。
【０００９】
ＵＳ２０１６０２０６７９４Ａ１に記載されているように、完全に統合されたウェアラブル搾乳器システムが市場に参入し始めている。このようなポンプシステムでは、吸引源、電源、及び乳容器は単一のウェアラブルデバイスに含まれている。かさばる外部コンポーネントや接続の必要はない。このようなデバイスは、個別の搾乳のために使用者のブラジャーに収まるように、実質的に胸の形をした凸面プロファイルを提供し、電気ソケットや収集ステーションへのいずれの係留もなく絶え間のない搾乳をすることができる。内部の乳房シールドは、自然に乳房にフィットするように凸状になっている。
【００１０】
ＵＳ２０１６０２０６７９４Ａ１では、正面から見たときに、搾乳器デバイスは「涙滴」の丸い形状をしており、上部よりも底部のほうが膨らんでいる。しかし、それは折り畳み式のバッグを乳収集装置として使用する。収集バッグシステムは折り畳み式であるため、必要な小さな切り口と、バッグを形成する接着されたプラスチックシート間の毛管作用により、使用者がバッグからすべての乳を抽出することは困難であり得る。この無駄は、子供にとっての食糧であるため、使用者にとって失望させるものである。また、バッグは再利用できないため、使用者はこれらの在庫を購入して維持する必要がある。定期的なコストを提示するだけでなく、使用者が在庫を使い果たすと、さらにバッグを購入するまで製品を使用できなくなる。
【００１１】
さらに、折り畳み可能なバッグの結果として、複雑でやや音の大きい搾乳配置が必要である。特に、乳房シールドは、圧搾ユニットを備えたチューブに接続する。このユニットは、搾乳された乳をチューブから収集バッグに「ステップ」で送る。これは、母乳を油圧作動油として使用して、乳房に吸引力を生成する。これを実行するには、複雑なシーケンスのパルス配置を実装する必要がある。
【００１２】
これらのシステムは特に複雑で無駄が多いことに加えて、比較的小さなバッグしか使用できない。ＵＳ２０１６２０６７９４では、バッグを交換する前に、約１１０ｍｌ（４液量オンス）の乳を収集できる。一部の使用者にはこれで十分な場合もあるが、セッション中にはるかに多くの乳を生成する使用者もいる。
【００１３】
さらに統合されたウェアラブル搾乳器システムは、ＵＳ２０１３００２３８２１Ａ１に示されている。この文書の第３の実施形態では、搾乳器システムは、モーター駆動の真空ポンプと電源を含む。乳の流路が輪の中心を通る環状（または穴あきディスク）膜が提供される。膜は別のハウジングに収納され、内側と外側の端がシールされている。乳房シールドには、これらのハウジングコンポーネントと係合する小さな突起がある。しかし、この搾乳器システムの設計には多くの問題がある。環状の膜の使用は、流体の流路が環の開口部を通り抜けるので、大きくてかさばる装置になるため望ましくない。したがって、改善された統合搾乳器システムが必要である。
【００１４】
液体測定システムに関する先行技術
搾乳器システムのコンテキストでは、乳搾り出しの量を測定することが有用である。これを行う１つの方法は、搾乳器用の透明な容器を有することである。この容器を通して、容器内の搾り出された乳のレベルが見える。ただし、例えば、マタニティブラの内側に装着された状態で乳を収集する搾乳器では、乳瓶を見ることが常に可能とは限らない。
【００１５】
搾乳器の容器内の液体のレベルを検出するための既存の装置は、ＵＳ２０１６／２９６６８１に開示されているものである。この装置では、容器の上部に検知機構が設けられており、容器に入る液体の液滴、特に母乳を検出する。容器に入るこれらの液滴を検出することにより、装置は容器に入る液体の量を判定することができる。この装置では、容器内の液体レベルの正確な表示は、容器に入るすべての液滴を正確に記録できる検知機構に依存している。
【００１６】
特に、液体が高流量で容器に入る場合、この精度は保証できず、重大な累積誤差につながる。この装置の容器内の液体レベルの正確な表示は、搾乳プロセス中に常にオンになっている検知機構にも依存しているため、検知機構の電力消費がそれに応じて高くなっている。
【００１７】
上記を考慮して、搾乳器に接続された容器内の液体のレベルを判定する改善された方法が必要である。
【００１８】
ブラジャークリップに関する先行技術
多くの特殊なブラ（またはブラジャー）が、産科での使用のために存在し、ブラジャー自体を取り外す必要なく、授乳及び／または乳を収集するための搾乳を促進する。従来の授乳用ブラジャーでは、これは少なくとも部分的に取り外し可能なカップを使用することで達成される。このカップは、授乳及び／または搾乳のためにフックを外すことができる。
【００１９】
着用者の乳輪及び乳頭と実質的に整列する切り抜き部分またはスリットを備えた、さらに特殊なブラジャーが知られている。従来の搾乳器システムは、乳房から外部の瓶と吸引源に向かって拡張する細長い乳房シールドを備えている。乳房シールドは、収集瓶と搾乳装置がブラジャーの外側に配置された状態で、切り欠き部分またはスリットを通って延びるように配置されている。これらのシステムでは、使用者は上衣を取り外したりボタンを外したりする必要があり、搾乳しないとき不快である。
【００２０】
前述のＵＳ２０１６０２０６７９４Ａ１などの、一体型のウェアラブル搾乳器システムが市場に参入し始めている。このようなポンプでは、上記のように、吸引源、電源、乳容器はすべて単一のウェアラブルデバイスに収められており、かさばる外部コンポーネントや接続部は必要ない。そのようなデバイスは、個別の搾乳のために使用者のブラジャーに収まるように、実質的に乳房の形のプロファイルを提供し、電気ソケットや収集ステーションへのいずれの係留もなく出先での搾乳をすることができる。
【００２１】
ＵＳ４，３９０，０２４Ａに開示されているようなマタニティ（または授乳）ブラは、カップをストラップに取り付けるためにブラストラップに沿って設けられたいくつかのフックを備えた、部分的に取り外し可能なカップを有する。この場合カップを様々なフックに取り付けて、ブラストラップの長さを調整できる。ただし、これらの取り付け点は固定されている。さらに、このブラジャーは、授乳／搾乳プロセスの前後の胸のサイズの変化に対応するように設計されている。搾乳器に対応するようには設計されていない。したがって、統合されたウェアラブル搾乳器を収容するためのより良いシステムが必要である。
【発明の概要】
【００２２】
本発明は、ブラジャーの内側にフィットするように少なくとも部分的に成形されたハウジング；ハウジングに取り付けられ、個別の変形可能な隔膜を駆動して陰圧の空気圧を生成する閉ループシステムの一部を形成するピエゾエアポンプを含むウェアラブル搾乳器システムであり、この隔膜は乳房シールドに取り外し可能に取り付けられている、ウェアラブル搾乳器システムである。
【図面の簡単な説明】
【００２３】
本発明の態様は、例（複数可）を参考にして、以下の図を参照して、これより記載される。それぞれが利用され得る任意の機能を含む発明の様々な実装の特徴を示す。
【００２４】
【図１】組み立てられた乳房ポンプシステムの正面図である。
【図２】図１の組み立てられた乳房ポンプシステムの背面図である。
【図３】部分的に分解された乳房ポンプシステムの正面図である。
【図４】図３の部分的に分解された乳房ポンプシステムの背面図である。
【図５】さらに部分的に分解された乳房ポンプシステムの正面図である。
【図６】図５のさらに部分的に分解された乳房ポンプシステムの背面図である。
【図７】図１の乳房ポンプシステムの正面図であり、説明を容易にするために外殻を半透明にしている。
【図８】図１の乳房ポンプシステムのさらなる正面図であり、説明を容易にするために外殻の前面を取り外している。
【図９】乳房シールド用乳頭トンネルの概略図である。
【図１０】乳房ポンプシステム用空気圧システムの概略図である。
【図１１】乳房ポンプシステムのための代替空気圧システムの概略図である。
【図１２】乳房ポンプシステムに対するさらなる代替空気圧システムの概略図である。
【図１３】時間の経過とともに図１２の乳房ポンプシステムにおける測定圧力を示すグラフである。
【図１４】乳房シールドのサイジングと乳頭位置合わせの回路図を示す。
【図１５】乳房ポンプシステムに接続されたデバイスで実行されているアプリケーションのスクリーンショットを示している。
【図１６】乳房ポンプシステムに接続されたデバイスで実行されているアプリケーションのスクリーンショットを示している。
【図１７】乳房ポンプシステムに接続されたデバイスで実行されているアプリケーションのスクリーンショットを示している。
【図１８】乳房ポンプシステムに接続されたデバイスで実行されているアプリケーションのスクリーンショットを示している。
【図１９】乳房ポンプシステムに接続されたデバイスで実行されているアプリケーションのスクリーンショットを示している。
【図２０】接続されているデバイスで実行されているアプリケーションのスクリーンショットを示している。
【図２１】接続されているデバイスで実行されているアプリケーションのスクリーンショットを示している。
【図２２】接続されているデバイスで実行されているアプリケーションのスクリーンショットを示している。
【図２３】接続されているデバイスで実行されているアプリケーションのスクリーンショットを示している。
【図２４】接続されているデバイスで実行されているアプリケーションのスクリーンショットを示している。
【図２５】接続されているデバイスで実行されているアプリケーションのスクリーンショットを示している。
【図２６】乳房ポンプセンサネットワークの図を示す。
【図２７】容器内の液体のレベルを判定するために使用されるデバイスの断面図を示す。
【図２８】異なる向きで使用されている図２７のデバイスと容器の断面図を示す。
【図２９】加速中に使用されている図２７のデバイスと容器の断面図を示す。
【図３０】乳房ポンプアセンブリの一部として使用されている図２７からのデバイスの断面図を示す。
【図３１】容器とその蓋との間に接続されたデバイスの断面図を示し、これは容器内の液体のレベルを判定するために操作可能である。
【図３２】マタニティブラの従来技術の設計を示している。
【図３３】クリップと留め金がマタニティブラに装着されていることを示している。
【図３４】マタニティブラの調整のための代替クリップを示している。
【図３５】図３４の代替クリップを示している。
【図３６】マタニティブラの調整のための代替クリップを示している。
【図３７】マタニティブラの調整のための代替クリップを示している。
【図３８】マタニティブラの調整のための代替クリップを示している。
【図３９】図３７のマタニティブラの調整を示す。
【図４０】２つのピエゾポンプを直列に取り付けた構成を示す。
【図４１】並列に取り付けられた２つのピエゾポンプの構成を示す。
【図４２】直列に取り付けられた２つのピエゾポンプ、また並列に取り付けられた２つのピエゾポンプによってそれぞれ時間の関数として生成される空気圧のプロットを示す。
【図４３】デュアル構成に取り付けられた２つのピエゾポンプによって時間の関数として生成される空気圧のプロットを示す。
【図４４】各ピエゾポンプがヒートシンクに接続されている２つのピエゾポンプを含むポンプの図を示す。
【発明を実施するための形態】
【００２５】
次に、Ｅｌｖｉｅ（商標）ポンプと呼ばれる発明の実装について、次のセクションで説明する。
セクションＡ：Ｅｌｖｉｅ（商標）搾乳器システム
セクションＢ：ＩＲシステム
セクションＣ：ブラジャークリップ
セクションＤ：ピエゾポンプとウェアラブルデバイス
【００２６】
セクションＡ：Ｅｌｖｉｅ（商標）搾乳器システム
１．  Ｅｌｖｉｅ（商標）搾乳器システムの概要
Ｅｌｖｉｅ（商標）ポンプと呼ばれる本発明の実装は、少なくとも部分的にブラジャーの内側に装着可能な搾乳器システムである。搾乳器システムは、使用者の乳房と係合するための乳房シールド、乳房シールドの少なくとも一部を収容するためのハウジング、及び使用中にハウジングの下面に取り付けられ、使用者により搾り出された乳を収集するための乳房シールドに接続される取り外し可能な剛性乳収集容器を含む。乳房シールドの開口部から乳収集容器までの乳の流れ経路が定義されている。内部のハウジングには、乳房シールドに陰圧を生成するためのポンプと、バッテリ及び制御電子機器がまた含まれている。他のウェアラブル搾乳器とは異なり、通常の使用で乳と接触するシステムの部分は、乳房シールドと乳容器であり、乳は乳房シールドを通過してから直接乳容器に流れるだけである。乳はハウジングのどの部分にも流れ込まないため、衛生が最大限であり清掃が容易になる。
【００２７】
図１及び図２を参照すると、組み立てられた搾乳器システム１００は、ブラジャーの内側に実質的に適合する形状のハウジング１を含む。ハウジング１は、１つ以上のポンプと充電式電池を含む。搾乳器システムには、ハウジング１に直接接続された２つの部品が含まれている。乳房シールド７と乳容器３である。乳房シールド７と乳容器３は、通常の使用時または通常の分解時にハウジング１から直接取り外しまたは取り付け可能である（図５に最も明確に示されている）。通常の使用時または通常の分解時に使用者が取り外し可能な他のすべての部品は、乳房シールド７または乳容器３に取り付けられる。乳房シールド７及び乳容器３は、例えばワンクリック、または、ワンプレス動作、またはプッシュボタン、またはその他のいずれかの解放機構で取り外しまたは取り付けられ得る。可聴及び／または触覚フィードバックは、ポンプが適切に組み立てられていることを確認する。
【００２８】
搾乳器のモジュール性により、乳房シールドや乳収集容器などの様々な部分を簡単に組み立て、分解、交換できる。またこれにより、ポンプの様々な部分を簡単に洗浄及び／または滅菌することもできる。したがって、搾乳中に乳と接触している乳房シールドと瓶アセンブリは、共に、効率的かつ容易に洗浄できる。洗浄が必要なのはこれら２つのアイテムのみである。特に、ハウジングを洗浄する必要はない。
【００２９】
ハウジング１、フレキシブル隔膜を保持している乳房シールド７、及び乳容器３が一緒に取り付けられ、ハウジング１に配置された圧電ポンプで駆動される閉ループ空気圧システムを提供する。このシステムは、乳頭に直接陰圧をかけ、乳輪の周りの気密シールを形成し、人間工学に基づいた形状の乳容器３に収集するための搾り出される乳の短い経路を提供する。
【００３０】
乳房シールドシステムの様々な部分は、組み立て及び分解の利便性のために陰圧下で自動的にセルフシールし、乳が漏れるリスクを減らすようにも構成されている。セルフシールとは、自動的に、または接着剤、のり、または水分を使用せずに、それ自体をシールする能力を示す（例えば、セルフシール自動車タイヤまたはセルフシール封筒など）。したがって、搾乳器システムが組み立てられると、密封されたチャンバを作成するために締まり嵌めにシールを押し込む必要なく、組み立てられた状態でセルフシールする。ただし、ある程度の締まり嵌めが一般的であるが、主な取り付け機構ではない。セルフシールにより、簡素なコンポーネントを軽く押すだけで組み立てることができる。例えば、隔膜は隔膜ハウジングに対して軽く配置するだけでよい。エアポンプが十分な陰圧をかけると、適切かつ十分にセルフシールする。乳房シールドがハウジングに押し込まれると、隔膜自体がハウジングに対してセルフシールする。同様に、乳房シールドは、乳容器が押し上げられてハウジングに係合すると、乳容器に対してセルフシールする。これにより、簡単で迅速な組み立てと分解が可能になり、使用するためのデバイスのセットアップとセッション後のデバイスの洗浄が迅速かつ簡単になる。
【００３１】
セルフシールには広い意味があり、またいずれか、全体的または部分的に自己付勢するシールに関連する場合がある。また、プレスシールや、２つの部品を一緒に押した後の摩擦によって達成される摩擦シールなどのいずれかの干渉シールも含むことができる。
【００３２】
本発明の設計の１つの特定の実施形態及び搾乳器システムの各部分の特定の形態を以下に詳述するが、全体の説明は限定的なものではなく、設計が具体化するトポロジー及び機能の説明であり、その個別のパーツの正確な形式または数を使用する必要はないことが理解できる。
【００３３】
搾乳器システム１００は、ハウジング１及び乳収集容器（または瓶）３を備える。ハウジング１（１つまたは複数のポンプ及びバッテリを含む）及び容器３は、ブラジャーに収まる輪郭にされた、凸状の外面を有するユニットとして提供される。乳収集容器３は、ハウジング１の下面１Ａに取り付けられ、接続されるとハウジングの一体部分を形成し、ブラジャーの内側に快適に保持できるようにする。搾乳器１００は、特に右または左の乳房のみで使用されるように構成されてもよいが、搾乳器１００は、修正なしで両方の乳房で使用されることが好ましい。この目的のために、搾乳器１００の外面は好ましくは実質的に対称である。
【００３４】
好ましくは、完全な搾乳器デバイス（ハウジング１及び乳容器３）の幅は１１０ｍｍ未満であり、完全な搾乳器デバイスの高さは１８０ｍｍ未満である。
【００３５】
全体として、搾乳器システム１００は、個別で快適な着用と使用を可能にする。乳容器が空のときのシステムの重量は約２２４グラムであり、現在のソリューションと比較して比較的軽量である。軽さは最初から重要な設計目標であり、軽量のピエゾポンプシステムと構成要素数の最小化に焦点を合わせたエンジニアリング設計により達成された。
【００３６】
搾乳器システム１００は、マタニティブラやスポーツブラなどの特殊なブラを使用する必要なく、任意のブラジャーの内部に少なくとも部分的に保持されるほど小さい。搾乳器の後面も凹状であるため、乳房に快適に着座することができる。システムの重量も分散されており、搾乳器の上部が重くならないようにし、乳房に対する快適さと確実な吸引を確保している。容器が空のとき、ポンプシステムの重心が実質的に乳房シールドの充填点を通る水平線以下であるため、デバイスが、ポンプ使用中に人に上部が重いと感じさせることはない。
【００３７】
好ましくは、容器が空のとき、重心は実質的にハウジングの中間の高さの線以下であるため、デバイスはポンプを使用する使用者に重く感じない。
【００３８】
図１に示すように、搾乳器の重心は、乳容器が空のときに搾乳器の基部から中心線上で約６０ｍｍの高さにある。通常の使用中、及び乳容器が徐々に乳を受け取ると、重心が下がり、ブラジャー内部のポンプの安定性が向上する。乳容器がいっぱいになると、搾乳器の基部から中心線の高さが約４０ｍｍに減少する。
【００３９】
搾乳器の重心は、乳容器が空のとき乳頭トンネルの中心から約５．８５ｍｍ下にあり、乳容器がいっぱいのとき乳頭トンネルの中心から約２３．６０ｍｍに減少する。一般化すると、容器が空のとき、重心は乳頭トンネルの中心より少なくとも２ｍｍ低くなければならない。
【００４０】
搾乳器１００は、ユーザインターフェイス５をさらに備えている。これは、タッチスクリーン及び／または物理的なボタンの形をとることができる。特に、これには、搾乳器１００の使用を制御及び指示するのに必要なボタン、スライダー、任意の形態のディスプレイ、ライト、またはその他いずれかのコンポーネントが含まれ得る。そのような機能には、搾乳器１００のオン／オフ、どの乳房を搾乳しているかの指定、ピークのポンプ圧を増減することが含まれる。あるいは、ユーザインターフェイス５を介して提供される情報は、ポンプハウジング１内の小型振動モーターから駆動されるデバイスの振動などの触覚フィードバックを通じて伝達される場合もある。
【００４１】
図の特定の実施形態では、ユーザインターフェイス５は、ポンプをオン及びオフにするための電源ボタン５Ａを含む。ユーザインターフェイス５は、ポンプアップボタン５Ｂ及びポンプダウンボタン５Ｃをさらに備える。これらのボタンは、ポンプによって生成される圧力を調整するため、使用者の乳房に適用される真空圧が調整される。好ましい実施形態では、ポンプアップボタン５Ｂは、ポンプダウンボタン５Ｃよりも物理的に大きくすることができる。使用者がデバイスの電源を切らずに搾乳プロセスを中断できるように、再生／一時停止ボタン５Ｄが用意されている。
【００４２】
ユーザインターフェイス５は、乳房が搾乳されているディスプレイを使用者が切り替えるための乳房トグルボタン５Ｅをさらに備える。これは、データ収集に、例えば接続されたスマートフォンで実行されているアプリケーション経由して使用できる。アプリは、データ分析が行われるリモートサーバーにデータを送信する（詳細については後述する）、または、使用者が最後に搾乳された乳房を追跡するために使用する。特に、トグルボタン５Ｅの左側に１つ、右側に１つのＬＥＤのペアがあってもよい。使用者が左胸を搾乳すると、トグルボタン５Ｅの右側のＬＥＤが点灯するため、使用者がトグルを見下ろすと、視点から見て一番右側のＬＥＤが点灯する。その後、使用者が右乳房に切り替えたい場合、トグルボタンを押すことができ、使用者が下を向いたときにトグルボタン５Ｅの左側のＬＥＤが点灯する。接続されたアプリケーションは、各乳房がどれほどの乳を搾り出したかを自動的に追跡して割り当てることができる。
【００４３】
搾乳器システムは、夜間または使用者が指定したときに照明レベルを制御できる照明付き制御パネルも備えている。使用者に適した昼間モードと明るさの低い夜間モードが利用できる。照明レベルの制御は、搾乳器システム自体内のハードウェア、または搾乳器システムと組み合わせて使用される接続デバイスアプリケーション内のソフトウェアのいずれかで実装される。
【００４４】
図１に示されるように、ハウジング１及び乳収集容器３は、ほぼ凸形状の実質的に連続した外面を形成する。この形状は、「涙のしずく」の形をした乳房の形状とほぼ一致している。これにより、搾乳器１００は、使用者のブラジャーのカップ内に実質的に収まることができる。乳収集容器３は、ラッチシステムによってハウジング１に取り付けられた状態で保持され、ラッチシステムは、押しボタン２などのワンクリック解放機構または他のいずれかの片手解放機構によって解放される。可聴及び／または触覚フィードバックを使用して、乳収集容器３が適切に組み立てられたことを確認することもできる。
【００４５】
カップのサイズに関する欧州規格ＥＮ  １３４０２は、着用者のバストの周囲及びアンダーバストの周囲に基づいてカップのサイズを定義し、ＡＡからＺの範囲で、それぞれの文字間で差が２ｃｍずつ追加されていくことを示す。一部の製造業者は、これらの慣習とは呼称が異なり、一部のマタニティブラは、Ｓ、Ｍ、Ｌ、ＸＬなどのサイズで測定される。好ましい実施形態では、本発明の搾乳器１００は、ＥＮ  １３４０２に準拠すると、使用者の３または４というカップのサイズの増加に相当する。
【００４６】
搾乳器の平面間の深さも定義できる。これは、２つの平行な平面間の距離として定義される。第１の平面は搾乳器１００の最も内側の点に位置合わせされ、第２のものは搾乳器１００の最も外側の点に位置合わせされる。その距離は好ましくは１００ｍｍ未満である。
【００４７】
図２は、図１の搾乳器１００の背面図である。ハウジング１及び乳収集容器３の内面が、乳房シールド７とともに示されている。ハウジング１、乳収集容器３及び乳房シールド７は搾乳器システム１００の３つの主要なサブコンポーネントを形成する。使用中、これらのサブコンポーネントは、互いにクリップして、機能する搾乳器システム１００を提供する。乳房シールド７は、使用者の乳房と係合するように設計され、乳房に接触する凹状の内側フランジ７Ａを含む。搾乳器１００が使用者の乳房のいずれかで使用されることを可能にするために、乳房シールド７は、その内側フランジ７Ａで実質的に対称であることが好ましい。
【００４８】
内側フランジ７Ａは実質的に楕円形である。内側フランジ７Ａは凹状であるが、比較的浅く、その結果使用者の乳房本体の形に実質的に適合する。特に、フランジ７Ａの最も内側の点と最も外側の点とを側面で測定すると、２５ｍｍ未満しか離れていない可能性がある。比較的浅い凹面を有することにより、加えられた力を乳房のより大きな表面領域に広げることができる。より平坦なフォームは、使用者の乳頭のより簡単で正確な位置付けを可能にする。特に、乳房シールド７のフランジ７Ａは、ハウジング１及び乳収集容器３の内面の大部分にわたって延在し得る。好ましくは、この表面の８０％にわたって延在し得る。内面の大部分を覆うことにより、乳房シールドは着用者の乳房に接触する唯一のコンポーネントである。これにより、簡単に滅菌できないデバイスの一部に乳が接触するリスクが減るため、徹底的な洗浄が必要な表面が少なくなる。さらに、これは使用者の乳房に加えられる圧力をより広い領域に分散させるのにも役立つ。
【００４９】
乳房シールド７は、ハウジング１の外縁１Ｂと実質的に整列する。乳収集容器３には、乳房シールド７の下部を受け入れるための弓形の溝を設けることができる。これは、後の図に最もよく示される。図１及び図２の組み立てられた配置では、搾乳器１００の内面は実質的に連続している。
【００５０】
乳房シールド７は、使用者の乳房と係合するためのシールドフランジと、開口部と位置合わせされ使用者の乳房から離れて延びる細長い乳頭トンネル９）とを備える。乳房シールド乳頭トンネル９は、乳房シールド７の湾曲部７Ｂから延びている。好ましい実施形態では、乳頭トンネル９は、乳房シールド７と一体である。しかし、別個の取り外し可能／交換可能な乳頭トンネルを使用できることが理解される。湾曲部７Ｂは、使用中の使用者の乳頭と乳輪の上に配置される。乳房シールド７は、空気圧ポンプによって生成された陰圧の空気圧の下で、この部分の周りの使用者の残りの乳房と、少なくとも部分的なシールを形成する。
【００５１】
この乳房シールド乳頭トンネル９は、乳房シールド７Ａの内面から、乳房シールド乳頭トンネル９を通って、乳収集容器３に至る乳流路を画定する。乳房シールド乳頭トンネル９は、好ましくは非常に短くし、損失を最小限に抑えるために、乳流路の長さを最小限に抑えるようにする。乳がカバーする距離を短くすることで、デバイスのサイズも小さくなり、小さな中間部分の複雑さが軽減される。特に、乳房シールド乳頭トンネル９は、その開始から終了まで７０ｍｍ未満、より好ましくは５０ｍｍ未満延在し得る。使用中、乳頭トンネル９は、使用者の乳頭及び乳輪と実質的に整列している。乳頭トンネルは、乳を収集容器に入れるための第１の開口部９Ａと、ポンプによって生成された陰圧の空気圧を使用者の乳頭に伝送するための第２の開口部１９Ａを含む。
【００５２】
シールドフランジ７Ａと乳頭トンネル９は、共にハウジング１から取り外し可能であってもよい。シールドフランジ７Ａと乳頭トンネル９が一緒に取り外し可能であると、設計がさらに簡素化され、洗浄と滅菌のために取り外さねばならないコンポーネントの数が削減される。しかし、設計を簡素化し、洗浄及び滅菌のために取り外さなければならないコンポーネントの数を減らすために、乳頭トンネル９は乳房シールド７と一体化することが好ましい。
【００５３】
図３及び図４は、本発明の搾乳器１００を部分的に分解したものである。これらの図において、乳房シールド７は、ハウジング１及び搾乳瓶３から外されている。図４に示すように、ハウジング１は、乳房シールド７の乳房シールド乳頭トンネル９を受け入れるための領域またはスロット１１を含む。乳房シールドは、乳頭トンネル９に含まれる１組のチャネル（９Ｂ）のおかげで所定の位置に保持される。各チャネルには小さなインデントが含まれている。乳房の上に置かれた乳房シールド７にハウジング１を押すと、ハウジング（９Ｃ）の隆起がチャネルと係合し、ハウジングを所定の位置に誘導する。各リッジのボールベアリングなどの小さなスプリングプランジャは、乳頭トンネル９へのハウジングの移動を容易にする。ボールベアリングは、軽いクリック音でハウジングを乳頭トンネルに固定するためにインデントに配置される。このようにして、使用者は片手で乳房シールド７を乳房に置いて配置し、もう一方の手でハウジング１を乳房シールド７に配置して固定することができる。乳房シールド７はハウジングから容易に分離することができる。これは、ボールベアリングラッチが乳房シールド７をハウジング１に軽く固定するだけであるからである。
【００５４】
あるいは、乳房シールド７は、ハウジング上に配置されたスロットと係合するクリップによって所定の位置に保持されてもよい。クリップは、スロットが対応する位置にある状態で、シールド７上の任意の適切なポイントに配置することができる。
【００５５】
乳房シールド７の乳房シールド乳頭トンネル９は、その下面に搾り出された乳が流れる開口部９Ａを備えている。この開口部９Ａは、乳収集瓶３と係合するように構成されている。
【００５６】
搾乳器１００はさらに、ポンプからシステムの乳収集側に圧力を伝達するための障壁または隔膜を含む。図示の例では、これは、隔膜ハウジング１９Ａに着座した可撓性のゴム隔膜１３を含む。障壁は、フィルタや空気透過性材料など、他の任意の適切なコンポーネントにすることができる。隔膜ハウジング１９Ａは、乳頭トンネル９に陰圧の空気圧を伝達し、それにより乳頭トンネル９に配置された乳頭に吸引作用を課すために、乳頭トンネル９に小さな空気穴を含む。
【００５７】
したがって、エアポンプは、障壁または隔膜１３の片側に作用して、障壁の反対側の乳の流れ側に陰圧の空気圧を生成する。障壁は、外周または表面、すなわち、乳房に面する隔膜ハウジング１９Ａの表面を有し、乳の流れ経路は、障壁または隔膜ハウジング１９Ａの外周または表面の下に延びる。障壁１９Ａの外周または表面の下に延在する乳流路は、障壁を介して延在する乳流路がなく、より単純でより堅牢な設計を可能にする。これにより、デバイスの内部スペースと機能が向上する。
【００５８】
上述のように、乳の流れ経路は、障壁１３または隔膜ハウジング１９Ａの表面の下に延びている。これは、乳が重力によって下に移動し、障壁から離れるという追加の利点を提供する。
【００５９】
好ましくは、乳の流れ経路は障壁３２を通過しない。これにより、よりシンプルで小さな障壁の設計が得られる。
【００６０】
上述のように、隔膜１３は、乳房シールドと一体の隔膜ハウジング１９Ａに取り付けられている。これにより、「乳」の流れの側のすべてのコンポーネントを取り外すことができるため、洗浄と滅菌の容易さがさらに向上する。
【００６１】
障壁１３はまた、障壁の乳の流れの側からエアポンプを隔離するためのシールを設けてもよい。これは、空気流またはポンプ側（つまり、乳の流れていない側）から乳が汚染されるのを避けるのに寄与する。
【００６２】
代替的に、唯一のシールは障壁１３の外縁の周りにある。これは、単一のシールのみが形成され維持される必要があるため、単純な設計である。環状膜などの複数のシールがあると、複雑さが増し、故障箇所が発生する可能性がある。
【００６３】
図３及び図４に示すように、障壁は、いずれの開口部または穴もない連続した円形ディスク形状の膜によって形成された可撓性隔膜１３を含むことができる。これにより、隔膜の有効な「作業」領域（空気圧ガスと接触する表面の領域）が環状膜よりも大きくなり、したがって膜の直径が小さくなり、同じ作業領域が得られる。
【００６４】
隔膜１３は、乳の流れ経路が隔膜１３の外表面または周囲の下を通り過ぎて延びるように配置される。これは、乳の流れ経路が隔膜１３を通って延びないことを意味する。特に、乳の流れ経路が隔膜１３の下にある。しかし、乳の流れ経路が隔膜１３を通って延びていなければ、隔膜１３は乳の流れ経路に対して任意の方向にオフセットされていてもよい。
【００６５】
好ましくは、隔膜１３は、いずれの開口部もない連続膜である。隔膜１３は、２つの部分で形成された隔膜ハウジング１９内に保持されている。隔膜ハウジング１９の第１の半分１９Ａは、乳房シールド７の外面上に、乳房シールド乳頭トンネル９、したがって乳の流れ経路の上方に設けられている。好ましい実施形態では、隔膜ハウジング１９の第１の半分１９Ａは、乳房シールドと一体である。隔膜ハウジングの第２の半分１９Ｂは、ハウジング１の凹部に設けられている。隔膜１３は、この隔膜ハウジング１９の外縁の周りでセルフシールし、水密及び気密シールを形成する。好ましくは、隔膜１３の外縁の周りのセルフシールは、隔膜１３の唯一のシールである。これは、内縁でもシールしなければならない環状隔膜を備えたシステムよりも有益である。このようにして搾乳器１００に隔膜１３を取り付けることにより、洗浄及び交換のために隔膜１３に容易にアクセスできるようになる。それはまた、乳房シールド７及び隔膜１３が、洗浄のためにポンプ１００から取り外される必要がある唯一のコンポーネントであることを保証する。隔膜１３は真空圧力下でセルフシールするため、デバイスの電源が切られたとき、洗浄のために容易に取り外される。
【００６６】
図５及び図６は、さらに分解された状態の本発明による搾乳器１００を示す。乳房シールド７と隔膜１３が取り外されていることに加えて、乳収集容器３はクリップが外されている。好ましくは、乳収集容器３は、実質的に剛性のコンポーネントである。これにより、搾り出した乳が無駄にならず、一方で再利用性も向上する。いくつかの実施形態では、乳収集容器３は、３つのセクション：前部瓶部分、後部瓶部分、及びキャップで形成されてもよい。これらの３つのセクションは、一緒にクリップして乳収集容器３を形成することができる。この３つの部分のシステムは、簡単に空にすることができ、分解できるため簡単に掃除でき、簡単に再利用できる。乳収集容器または乳瓶は、接続可能な少なくとも２つの剛性セクションで形成されていてもよい。これにより、容器を簡単に清掃して再利用できる。あるいは、容器は、清掃を容易にするための大きな開口部を備えたブロー成形構造を使用して作られた単一の容器であってもよい。この大きな開口部は、その時、一体型の注ぎ口３５または「シールプレート」（バヨネットマウントされているため、ねじ付きマウント注ぎ口よりも簡単に洗浄できる）を備えたキャップで閉じられる。可撓性のゴム製弁３７（または「シールプレートシール」）はキャップまたは注ぎ口３５に取り付けられ、エアポンプによって陰圧の空気圧が加えられたときにシールされたままになるゴム製のダックビル弁を含む。これにより、陰圧の空気圧を乳容器にかける必要がなくなり、システムの効率が向上することが確実になる。可撓性の弁３７は、乳頭トンネル９の開口部９Ａに対してセルフシールする。真空圧でセルフシールするため、システムがオフになると自動的に解放され、乳容器の取り外しが容易になる。
【００６７】
好ましくは、乳収集容器は、搾乳器システム１００が通常の使用のために配置されるとき、乳房シールドによって画定される乳流路の完全に下にあり、したがって、迅速で信頼できる乳の収集を保証する。
【００６８】
乳収集容器３は、約５液量オンス（１４８ｍｌ）の容量を有する。好ましくは、乳収集容器は、１２０ｍｌより大きい容積を有する。より好ましくは、乳収集容器は、１４０ｍｌを超える容積を有する。これを達成するために、乳収集容器３は、好ましくは、使用中に乳房から離れる方向に、５０〜８０ｍｍ、より好ましくは６０ｍｍ〜７０ｍｍ、最も好ましくは６５ｍｍ〜６８ｍｍの深さを有する。
【００６９】
乳収集容器３は、さらに好ましくは、使用中の容器３の底部からキャップまたは注ぎ口またはシールプレート３５への方向に延びる、４０ｍｍ〜６０ｍｍ、より好ましくは４５ｍｍ〜５５ｍｍの高さを有する。最も好ましくは４８ｍｍ〜５２ｍｍの間である。キャップ３５は、乳収集瓶３にねじ込まれてもよい。特に、キャップ３５は、ねじ込み接続または差込口及びスロット配置を備えてもよい。
【００７０】
さらに好ましくは、乳収集容器は、使用中の容器３の左端から右端までの長さが、１００ｍｍから１２０  ３０ｍｍ、より好ましくは１０５ｍｍから１１５ｍｍ、最も好ましくは１０７ｍｍから１１０ｍｍである。
【００７１】
このキャップ３５には一方向弁３７が設けられており、これを通して乳が瓶にのみ流れることができる。この弁３７は、一旦乳が収集されたら瓶から乳がこぼれるのを防ぐ。加えて、弁３７は、乳房シールド７に係合しない限り、完全に自動的にシールする。これにより、ポンプ１００が搾乳直後に分解されたとき、収集瓶３から乳が失われないことが保証される。一方向弁３７はまた、この瓶キャップ３５ではなく、乳房シールド７に配置することもできる。
【００７２】
あるいは、乳瓶３は、キャップ３５と単一の一体部分を形成してもよい。キャップ３５は、一体の乳注ぎ口を含んでもよい。
【００７３】
特定の実施形態では、容器３を瓶として直接使用できるようにするために、環状突起３１Ａに取り付けるか、キャップ３５と一体の注ぎ口に取り付けるための乳頭を設けることができる。これにより、乳容器を児童の飲用容器として直接使用できる。乳収集容器は、乳児が簡単に持つことができる飲用瓶として適合させることができるように、幅広の肩部を持つ形状にすることもできる。
【００７４】
代替的または追加的に、注ぎ口を設けて、注入を容易にするために突起３１Ａに取り付けることができる。容易に保管できるように乳収集瓶３をシールするために、突起３１Ａに取り付けるためのキャップを設けることもできる。
【００７５】
注ぎ口、飲み口、乳頭、またはキャップも、乳収集容器に一体型であってもよい。
【００７６】
さらに、取り外し可能な乳収集容器または瓶には、収集された乳の量を示す、澄んだまたは透明な壁またはセクションが含まれている。さらに、容器の表面に測定マーク（３Ａ）が表示される場合がある。これにより、搾乳中であっても、容器内の乳のレベルを簡単に観察できる。乳収集容器または瓶は、例えば、Ｔｒｉｔａｎ（ＴＭ）などの光学的に澄んでいる食器洗い機に安全なポリカーボネート材料を使用して作成することができる。
【００７７】
乳収集容器または瓶には、搾乳器システム、またはスマートフォンなどの接続されたデバイスからのデータを使用して、乳が充填された日付と時刻を保存するようにプログラムされたメモリ、またはＮＦＣチップを含むタグなどの取り外し可能なタグを含めることができる。そのため、容器にはワイヤレス接続が含まれ、コンパニオンアプリに接続する。コンパニオンアプリはその後、複数の乳収集容器または瓶のステータスを追跡して、授乳に適した容器または瓶を選択するようにする。瓶のタグは、保存された乳の量だけでなく、乳の有効期限を記憶するようにプログラムすることもできる。
【００７８】
図７及び図８は、搾乳器システム１００の正面図を示す。ハウジング１の外面は、内部の構成要素を示すために半透明に描かれている。これらの図には、搾乳器１００の制御回路７１が示されている。本実施形態の制御回路は、４つの別個のプリント回路基板を含むが、他の任意の適切な構成が使用され得ることが理解される。
【００７９】
制御回路は、容器３内の乳のレベルを判定するための検知装置を含むことができる。制御回路は、外部デバイスと無線プロトコル（ブルートゥース（登録商標）など）で通信する無線送信装置をさらに含むことができる。これは使用者の電話であり得、搾乳に関する情報が当該のデバイスに送信される場合がある。ユーザインターフェイスが乳房トグルボタン５Ｅを含む実施形態では、どの乳房が使用者によって選択されたかに関する情報も搾乳情報と共に送信されてもよい。これにより、外部デバイスは、左右の乳房の搾乳及び乳搾り出しデータを個別に追跡及び記録できる。
【００８０】
制御回路７１内には、バッテリ８１を充電するための電力充電手段もあるべきである。充電には外部ソケット、ケーブル、または接点が必要な場合があるが、代わりに誘導または共振充電などのワイヤレス充電形式が使用できる。図では、バッテリ８１を充電するための充電ポート６が示されている。このポート６は、ハウジング１上の適切な場所に配置することができる。
【００８１】
図８は、ハウジング１の内部に直列に取り付けられたバッテリ８１及びポンプ８３Ａ、８３Ｂの位置を示す。図示の実施形態は２つのポンプ８３Ａ、８３Ｂを示すが、本発明は単一のポンプを有し得ることが理解される。好ましくは、ポンプ８３Ａ、８３Ｂへの出力にエアフィルタ８６が設けられる。好ましい実施形態では、ポンプ８３Ａ、８３Ｂは、圧電式エアポンプ（またはピエゾポンプ）であり、静かに近い状態で、最小限の振動で動作する。適切なピエゾポンプはＴＴＰ  Ｖｅｎｔｕｓによって製造されており、４００ｍＢａｒ（４０ｋＰａ）を超える失速圧力と１．５リットル／分の自由空気流を供給できる。ハウジング１内の隔膜ハウジング１９Ｂの第２の半分の後ろ側には、空気圧接続注ぎ口が設けられている。ポンプ８３Ａ、８３Ｂは、この接続注ぎ口と空気圧で接続されている。
【００８２】
次に、搾乳器１００の動作について説明する。搾乳器１００が作動し、搾乳サイクルが開始されると、ポンプ８３Ａ、８３Ｂは、空気チャネルを介して隔膜ハウジング１９Ａに取り付けられた隔膜１３の第１の側に伝達される陰圧の空気圧を生成する。隔膜１３のこの側は、隔膜１３の搾乳側１３Ｂと示されている。
【００８３】
隔膜１３は、この陰圧の空気圧をその反対側（乳の流れ側１３Ａと呼ばれる）に伝達する。この陰圧は、隔膜ハウジング１９Ａの小さな開口部を介して、乳房シールド乳頭トンネル９、及び乳房に接触する乳房シールド７の湾曲した開口部７Ｂに伝達される。これは、乳を搾り出すために、使用者の乳房に圧力サイクルをかける働きをする。次いで、乳は、乳頭トンネル９を通って、一方向弁３７に引き込まれる。陰圧が加えられている間、この弁は閉じたままである。陰圧の空気圧が解放されると、弁３７が開き、乳が重力で弁３７を通過して乳容器３に流れる。陰圧の空気圧が、事前に設定された圧力プロファイル、例えば子供のしゃぶりを模倣するプロファイルを与えるよう定期的に（例えば、周期的に、数秒ごとに）加えられる。
【００８４】
搾乳器１００の図示の実施形態は２つのポンプを備えているが、以下の概略図は単一のポンプ８３で説明される。単一のポンプ８３は上記のように２つの別個のピエゾエアポンプ８３Ａ、８３Ｂで置き換えることができることが理解される。
【００８５】
図９は、搾乳器１００用の乳房シールド乳頭トンネル９のさらなる実施形態の概略図を示す。乳房シールド乳頭トンネル９は、前側チャンバ９１及び分離チャンバ９３を備える。突起９５は、乳房シールド乳頭トンネル９の壁から延び、乳房シールド乳頭トンネル９を通る曲がりくねった気液迷路の経路を提供する。分離チャンバ９３には、２つの開口部９７、９９がある。分離チャンバ９３の上面９３Ａには、空気開口部９７が設けられる。この上面９３は、乳房シールド乳頭トンネル９の方向を横断するように設けられている。この開口部９７は、隔膜ハウジング１９Ａの第１の側に接続し、陰圧源である。この気流開口部９７は、矢印９６で示すように空気が流れる経路も提供する。蛇行経路は必要ではなく、そのような経路のない乳房シールド乳頭トンネル９が機能することが理解される。
【００８６】
他の開口部９９は、乳開口部９９である。乳開口部９９は、分離チャンバ９３の下面９３Ｂに設けられ、使用中に容器３に接続する。蛇行する乳房シールド乳頭トンネル９経路を流れた後、乳はこの開口部９９を通って容器３内に流れるように促される。これは、上面９３Ａの横方向の性質によってさらに助長される。このようにして、搾り出された乳は隔膜１３から遠ざけられる。したがって、搾乳器１００は、ポンプ８３、接続注ぎ口８５、及び隔膜１３のポンプ側１３Ｂを含む「空気」側、及び乳房シールド７、乳収集容器３、及び隔膜１３の乳の流れ側１３Ａを含む「乳の流れ」側に分離することができる。これにより、「乳の流れ」コンポーネントのすべてが、清掃、メンテナンス及び交換のために容易に取り外し可能であることが確実になる。さらに、乳は機械部品に接触しないようにすることで清潔に保たれる。本実施形態では、ポンプ８３を用いた陰圧の生成について説明しているが、代わりに陽圧を生成してもよいことが理解されよう。
【００８７】
本明細書に記載の実施形態は隔膜１３を使用するが、システムのいずれかの側を隔離しながら空気圧を伝達するための任意の適切な構造が使用されてもよい。
【００８８】
搾乳器は、ピエゾポンプと空気圧接続された圧力センサをさらに備えてもよい。これにより、ポンプの出力を判定できる。
【００８９】
図１０は、搾乳器１００用の基本的な空気圧システム２００の概略図を示す。システム２００では、乳房シールド７に搾り出された乳は、乳房シールド乳頭トンネル９を通って蛇行状の気液迷路のインターフェイス９５を通るように導かれる。乳は逆止弁３７を通って収集容器３に向けられる。システムのこの側は、「乳の流れ」側２０１を形成する。
【００９０】
空気圧システム２００の残りは空気側２０２を形成し、乳との接触から分離されている。これは、システムの両側の間にシールを形成する可撓性隔膜１３によって達成される。隔膜１３は、乳の流れ側１３Ａと空気側またはポンプ側１３Ｂとを有する。
【００９１】
システム２００の空気側２０２は閉じたシステムである。この空気側２０２は、隔膜１３及びポンプ８３と空気圧接続された圧力センサ１０１を含むことができる。好ましくは、ポンプ８３は圧電ポンプ（またはピエゾポンプ）である。低騒音、強度、コンパクトなサイズのため、圧電ポンプは小型のウェアラブル搾乳器の実施形態に最適である。ポンプ８３は、圧力を生成するための出力８３Ａと、大気８３Ｂへの排気とを有する。搾り出しサイクルの最初の段階では、ポンプ８３は、隔膜１３の後ろの閉鎖システム２０２の半分に徐々に陰圧を加える。これにより隔膜１３が乳房から離れて延び、そのため隔膜１３は乳房シールド７に圧力の減少を伝える。減圧は乳房からの搾乳を促進し、これは蛇行性迷路システム９５及び一方向弁３７を通って収集瓶３に向けられる。
【００９２】
図示の実施形態では、排気８３Ｂは使用されていないが、電気部品の冷却、乳の量を判定するための瓶の膨張（さらに後述）、またはマッサージブラダまたはライナーの乳房に対する膨張を含むがこれらに限定されない機能に使用することができる。このマッサージブラダは、搾乳を機械的に促進するために使用できる。複数のマッサージブラダを定期的または連続的に膨張させて、乳房の１つまたは複数の部分をマッサージできる。あるいは、エアポンプを使用して、乳房の１つまたは複数の部分に暖かさを与えて排出を促すように構成された１つまたは複数のチャンバに温風を提供してもよい。
【００９３】
空気側２０２は、濾過空気入口１０５及びポンプ８３に接続された二方向電磁弁１０３をさらに備える。あるいは、フィルタは、ポンプライン８３Ａに取り付けられ得る。ここにフィルタを取り付けると、すべての吸気がフィルタされるが、ポンプの性能が低下する可能性がある。陰圧が使用者の乳房に加えられた後、空気は、搾り出しサイクルの第２段階で弁１０３を介してシステム２０２に放出される。この実施形態では、エアフィルタ１０５は、この入口に取り付けられて、デリケートなコンポーネントを劣化から保護している。特に、圧電部品を備えた実施形態では、これらは特に敏感である。
【００９４】
所定の圧力閾値に達すると、搾り出しサイクルの第２段階及び弁１０３の関連する切り替えが実行される。圧力は、圧力センサ１０１によって検出される。
【００９５】
特定の実施形態では、隔膜１３の弾性と伸びが異なる圧力で数学的に近似できる場合、センサ１０１によって測定された圧力を使用して、隔膜１３の反対側の乳頭にさらされる圧力を推測することができる。図１１は、代替の空気圧システム３００を示す。このシステムのコアアーキテクチャは、図１０に示すシステムと同じである。
【００９６】
このシステム３００では、閉ループ２０２は追加の三方ソレノイド弁１１１で制限される。この弁１１１により、隔膜１３を閉ループ２０２の残りの部分から選択的に隔離することができる。このさらなる三方弁１１１は、隔膜１３とポンプ８３の間に位置する。圧力センサ１０１は、三方弁１１１のポンプ８３側にある。三方弁１１１は、単極双投（ＳＰＤＴ）弁であり、ここで、極１１１Ａは、ポンプ８３と圧力センサと空気圧接続されている。スロー１１の１つは、隔膜１３と空気圧接続されている。この行き止まり１１３は、単純な閉じたパイプ、またはシステム２０２への空気の流れを可能にしない任意のコンポーネント（複数可）であってもよい。これは、例えば、一方向弁の配置が含まれる。
【００９７】
したがって、このシステム３００では、ポンプ８３は、陰圧を圧力センサ１０１に直接加えるオプションを有する。これにより、ポンプシステムを較正するため、またはいわゆる行き止まり停止テストというポンプの問題を診断するためにポンプの繰り返し試験が可能になる。これは、弁を投げてポンプ８３を行き止まり１１３に接続することによって達成される。次に、ポンプ８３が行き止まり１１３に対して直接引っ張り、システム内の圧力の低下を圧力センサ１０１によって検出することができる。
【００９８】
圧力センサは、圧力がいつ伝達されるかを検出し、搾乳機構の出力を測定できる。次いで圧力センサの結果は、クラウドデータベースなどの分析のために外部データベースに送信されるか、搾乳器システムのハウジング内にあるオンボードマイクロコントローラにフィードバックされる。
【００９９】
圧力センサの測定に基づいて、搾乳器システムは、搾乳機構の動作を動的に調整することができ（つまり、デューティサイクルまたはポンプサイクル、搾乳セッションの持続時間、搾乳機構に印加される電圧、ピーク空気陰圧）、異なる搾乳器システムで一貫した圧力性能を確保するようにする。
【０１００】
さらに、搾乳器システムは、圧力センサの測定値を使用して、許容範囲内でポンプが正常に動作しているかどうかを判断できる。したがって、ポンプの材料疲労は搾乳器システムによって直接評価される。したがって、搾乳機構の出力が時間とともに低下する場合、搾乳器システムはそれに応じて搾乳機構の動作を調整できる。例として、搾乳器システムは、予想される圧力が確実に満たされるように、搾乳セッションの持続時間または搾乳機構に印加される電圧を増加させてもよい。
【０１０１】
これにより、時間の経過とともに低下するポンプの出力が変化しても、使用者の体験が変更されないことが保証される。これは、ポンプの出力が大幅に変化する可能性のあるピエゾポンプに特に関連する。
【０１０２】
マイクロコントローラは、事前設定された圧力プロファイルを提供するようにプログラムすることもできる。圧力プロファイルは、必ずしもそうではないが、乳児の吸引パターンを模倣するいずれかの吸引パターンに対応していてもよい。このパターンは、例えば、出生後または授乳後期の乳で育てられた乳児の吸引パターンを模倣することができる。
【０１０３】
プロファイルは、搾乳器システムのハウジングまたは接続されたデバイスで実行されているアプリケーションの制御インターフェイスを使用して、使用者が手動で調整することもできる。
【０１０４】
さらに、使用者は、システムを使用しているときに体験している快適さのレベルを手動で示すことができる。これは、搾乳器システム自体のハウジングまたは接続されたデバイスで実行されているアプリケーションで、タッチまたは音声ベースのインターフェイスを使用して実行できる。
【０１０５】
システムは、使用者が指定した快適性レベルをポンプシステムの関連パラメータとともに保存する。次に、特定の使用者に最適な快適レベルを提供するために、圧力プロファイルを微調整することができる。
【０１０６】
最大の乳搾り出し速度または量と相関させるために、プロファイルまたは搾乳パラメータのいずれかを計算できる。
【０１０７】
圧力プロファイルまたは任意の搾乳パラメータは、リアルタイムの搾乳率または収集された乳の量に応じて動的に調整することもできる。乳の排出の開始が検出されたときに、圧力プロファイルまたは搾乳パラメータのいずれかを動的に調整することもできる。
【０１０８】
さらに、システムは搾乳器システムの効率を改善するパラメータを学習することもできる。このシステムは、特定の期間に収集された乳の急速放出または最大量の乳と相関する搾乳機構のパラメータを計算または識別することができる。特定の使用者の最適な快適レベルも考慮に入れることができる。
【０１０９】
図１２は、システム４００の空気側部分２０２で収集されたデータから収集容器３に収集された乳の量を推定できる搾乳器１００用のシステム４００の概略図を示す。
【０１１０】
ポンプ８３は、２つのブリード弁１２６、１２８を介して回路に接続されている。第１のブリード弁１２６は、ポンプ８３が陰圧をかけると機能するように配置されている。したがって、この弁１２６は、大気をシステム２０２に供給するための「ブリードイン」１２７に接続されている。
【０１１１】
第２のブリード弁１２８は、ポンプ８３が陽圧をかけるときに機能するように配置されている。そのため、この弁１２８は、システム２０２内の空気を大気に放出するための「ブリードアウト」１２９に接続されている。
【０１１２】
セクションＣでは、ＩＲセンサを使用して乳収集容器に収集された乳の量を測定または推定するための好ましい実施形態を説明しているが、圧力センサを使用して乳収集容器に収集された乳の量を測定または推定する別の方法も以下に説明する。
【０１１３】
搾乳ポンプサイクルの間、ポンプ８３は、隔膜１３の空気側１３Ｂに陰圧を加え、ポンプ８３に向かってその延長を引き起こす。これにより、隔膜１３の乳側１３Ｂの空間の容積が増加する。乳房への圧力を下げて、乳の搾り出しを促す。３組の逆止弁１２１、１２３、１２５のセットにより、この圧力の低下は、乳収集容器３ではなく、乳房のみに（乳房シールド７を介して）適用される。容器３に収集される乳の量を測定するために、代わりにポンプ８３が隔膜１３に陽圧を加えるために使用される。隔膜１３は、ポンプ８３から離れるように強制され、圧力増加をシステム４００の乳側２０１に伝える。３つの逆止弁１２１、１２３、１２５は、この圧力の増加が排他的に乳収集容器１３に伝達されることを保証する。
【０１１４】
搾乳器は、隔膜の乳の流れ側と乳房シールドとの間に、ポンプによって陰圧のみが乳房シールドに加えられることを可能にするように構成される第１の逆止弁；ポンプによって乳収集容器に陽圧のみを加えることができるように構成されている隔膜の乳の流れ側と乳収集容器の間の第２の逆止弁；及び隔膜の圧力生成側と空気圧接続された圧力センサをさらに備えてもよい。
【０１１５】
結果として生じる圧力上昇は、圧力センサ１０１によって空気側２０２から隔膜１３の背後で監視される。好ましくは、圧力センサ１０１は圧電圧力センサ（圧電圧力センサ）である。ポンプ８３が（一定の強度で）システム４００内の圧力を増加させることができる速度は、乳収集容器３内に残る空気の量の関数である。空気は液体よりも何倍も圧縮可能であるため、システム４００内の圧力が増加する速度は、収集容器３内に保持された乳の体積の近似関数として表され得る。
【０１１６】
したがって、この方法で圧力を増加させることにより、圧力増加の速度を判定することができ、そこから容器３に保持されている乳の量を計算することができる。図１３は、収集容器３が充填されるときに繰り返される搾乳と容量測定サイクルを示している。圧力増加率を判定するために、ポンプ８３を一定時間作動させた。搾乳が進み、システム４００内の空気の体積が減少すると、ポンプ８３はより高い圧力を達成することができる。各搾乳サイクルは、陽圧スパイク４１で表される。収集容器３が充填されると、陽圧の大きさは明らかな上昇傾向４３になる。
【０１１７】
搾乳器によって加えられる圧力を推定する方法は、圧力サイクルの事前定義リストから圧力サイクルを選択すること；乳の搾り出しを刺激するためにポンプで圧力をかけること；圧力センサの出力を読み取ること；及び選択した圧力プロファイルに一致するようにポンプの適用圧力を調整することというステップを含んでもよい。これにより、ポンプの性能が低下した場合でも、乳房に繰り返し力を加えることができる。
【０１１８】
好ましくは、この方法はさらに、関連する圧力での隔膜の弾性と伸びを近似すること、及び、圧力センサの出力と、隔膜の近似された弾性と伸びに基づいて、推定適用圧力を計算することというステップを含む。
【０１１９】
あるいは、搾乳器によって収集された乳を推定する方法は、ポンプで陽圧を生成すること；隔膜と第２の逆止弁を介して陽圧を乳収集容器のみに伝達すること；隔膜と空気圧接続された圧力センサによって圧力の増加を測定すること；圧力の増加率に基づいて、乳収集容器内の乳の量を推定することというステップを含んでもよい。この方法で、乳の量をリモートで推定できる。
【０１２０】
このようにして、測定された圧力に基づいて、容器３内の乳の量の推定値を得ることができる。
【０１２１】
図１３はまた、上記のような行き止まり停止テスト４５を示している。負のスパイクは、圧力センサ１０１への陰圧の直接的な適用を示している。
【０１２２】
２．乳房シールドのサイジングと乳頭の位置合わせ
乳房シールドの正しいサイズと乳房シールドの乳頭の位置合わせは、搾乳器を効率的かつ快適に使用するための鍵である。しかし、乳房の形、大きさ、乳頭の大きさ、乳房の位置は、人によって異なり、乳房によって異なる。さらに、女性の体は、搾乳ライフサイクル中に頻繁に変化するため、乳房シールドのサイズ変更も必要になる場合がある。そのため、複数のサイズの乳房シールドが利用可能である。正しい乳頭の位置合わせのためのガイドラインも提供される。
【０１２３】
図１４を参照すると、３つの乳房シールドサイズが示されている（Ａ１、Ｂ１、Ｃ１）。実質的に透明な乳房シールドは、乳房の遮るもののない視野を提供し、使用者が自分の乳房に適切なサイズのシールドを備えていることを簡単に確認できるようにする。
【０１２４】
正しい乳房シールドのサイズと乳頭の位置合わせを判定するために、乳房シールドと隔膜を、ハウジングから取り外し、サイジングシンボルを上に向けて（隔膜を乳頭の下に配置して）、乳頭をフィットラインの中心に合わせ（Ａ２、Ｂ２、Ｃ２に示すように）ながら、乳房に配置する。透明な乳房シールドにより、使用者は乳房シールドの位置を調整しながら乳頭を観察し、乳房シールドの乳頭トンネルの中心付近に乳頭を正しく合わせることができる。ポンプを使用する前に、乳頭は正しく位置合わせされ、乳房シールドが所定の位置に押し込まれ、シールが乳房シールドに正しく配置されていることを確認する。フィットラインは、乳頭の外側に直接揃える必要がある。正しい位置合わせがＢ２に示されている。
【０１２５】
乳頭が正しく位置合わせされると、次いで使用者は乳頭の上に隔膜を配置するために乳房シールドを回転させる。使用者は次いで、片手で行うことができる正しい係合を確認するワンクリック取り付け機構を介して、乳房シールド上に搾乳器の残りの部分（つまり、ハウジングと乳容器）をすばやく組み立てることができる。したがって、乳頭の位置合わせは簡単に維持できる。正しい係止をさらに確認するために、音声及び／または触覚フィードバックも提供される場合がある。
【０１２６】
３．接続されたデバイスアプリケーション
図１５〜図２０は、上記の搾乳器システムと組み合わせて使用できる接続デバイスアプリケーションのスクリーンショットの例を示している。ここに示すインターフェイスは例に過ぎず、アニメーショングラフィックス、デバイス通知、音声またはテキストの説明など、考えられる任意の手段で同じデータを表示できる。
【０１２７】
図１５は、様々な機能が使用者に提供されるアプリケーションのホームページを示している。これらの機能には、例えばポンプの設定中または以前のポンプセッションの履歴を確認するために、ポンプ中に直接アクセスするか、後でアクセスできる。
【０１２８】
図１６は、電池残量、ポンプ時間の経過、及び乳容器内の乳の量の詳細を示すステータスページを示している。
【０１２９】
図１７に、使用者が単一の搾乳器（Ａ）または２つの搾乳器（Ｂ）の異なるポンプパラメータを制御できる制御ページのスクリーンショットを示す。使用者は再生ボタンを押して、搾乳アクティビティを開始、一時停止、または再開できる。使用者は、（＋）または（−）ボタンを使用して、乳搾り出しの速度を直接増減することもできる。乳房が１つだけ搾乳されている場合（Ａ）、使用者は、搾乳されているのが右乳房か左乳房かを示すこともできる。また、使用者は、ポンプのピーク圧力を制御する、あるいは、搾り出しまたは刺激サイクル中に乳児の吸引パターンを模倣するような、事前にプログラムされた異なる圧力プロファイルを切り替えることができる。
【０１３０】
図１８は、最後に記録された搾乳セッションの概要を提供するページを示している。図１９は、以前の搾乳セッションの履歴を提供するページを示している。使用者はページを下にスクロールして、特定の搾乳セッションに関連するデータを時間の関数として視覚化できる。
【０１３１】
このアプリケーションは、搾乳に関する通知を提供することもできる。図２０にアプリケーションのスクリーンショットを示す。この場合、使用者は乳収集瓶がいっぱいになったときに通知を受け取る。生成されるその他の通知には、バッテリ寿命、Ｂｌｕｅｔｏｏｔｈ（登録商標）接続ステータス、またはその他いずれかのワイヤレス通信ステータス、組み立てミスのステータス、過度の動き、または搾り出し不足に関する警告が含まれる場合がある。
【０１３２】
図２１は、接続されたデバイスで実行されているアプリケーションのスクリーンショットを含む別の例を示している。このページには、使用者が各乳房にポンプを装着した状態でダブルポンプモードを使用している場合の搾乳ステータスが表示される。使用者は各ポンプを個別に手動で制御することができ、搾乳サイクルの開始、停止、変更、各ポンプのピーク圧力の増減、または搾り出しまたは刺激サイクル中に乳児の吸引パターンを模倣するようなプログラム前の異なる圧力プロファイルの切り替えを行うことができる。また、アプリケーションは、図２２に示すように、乳収集容器がほぼ一杯になったときに使用者に通知する。
【０１３３】
図２３は、右乳房のポンプの乳収集容器がいっぱいであることを使用者に通知するアラートを含むステータスページを示している。ポンプセッションが一時停止したこと、及びポンプを再開する前に乳収集容器を変更または空にするべきであることを示すメッセージが表示される。
【０１３４】
図２４を参照すると、左右のポンプが停止または一時停止すると、アプリケーションは各セッションの開始からの経過時間（左右）、各瓶に収集された乳の総量を表示する。
【０１３５】
図２５を参照すると、最後のセッションを要約したページ（ダブルポンプモード）が表示される。
【０１３６】
使用者に提供されるデータ、及びアプリケーションとの相互作用に加えて、アプリは使用者が相互作用しないデータも保持する。例えば、これにはポンプ診断に関連するデータが含まれる場合がある。上記のすべての機能とデータソースに加えて、アプリケーション自体が、使用者がアップロードした使用または入力、メモ、またはファイルに関連するメタデータを生成する場合がある。モバイルアプリケーション内で処理されるすべてのデータは、分析のためにクラウドデータベースに定期的に転送できる。搾乳器システムの代替実施形態は、スマートフォンアプリケーションを使用せずに、搾乳データを直接伝達できるように、データベースとポンプ間の直接接触を含んでもよい。
【０１３７】
クラウドにデータを提供することに加えて、アプリケーションは、例えばファームウェアの更新を含むデータを受信するためのプラットフォームも提供できる。
【０１３８】
４．搾乳器のデータ分析
個別のウェアラブルで完全に統合された搾乳器は、ポンプの効率または性能、使用者の快適性または他の搾乳／検知変数を改善するための推奨事項を提供し、使用者がどの変数が良好な乳の流れと相関しているが理解できるようにするために、使用者にライブ式搾り出しモニタリングとインテリジェントなフィードバックを提供する。
【０１３９】
デバイスによって自動的に収集される変数の例は、時刻、ポンプ速度、圧力レベル設定、測定圧力、圧力サイクルまたはデューティサイクル、ポンプに供給される電圧、流量、乳の量、傾き、温度、排出が起きたときなどの事象、セッションが終了したとき、である。使用者はまた、ポンプのある側（左または右または両方）、及び快適性レベルの変数を入力することもできる。
【０１４０】
これは、ライブの乳の量測定システムが確実に機能するため（セクションＢで説明）、一部可能である。搾乳システムには、乳容器への乳の流れを測定または推測するＩＲセンサを含む測定サブシステムが含まれる。これにより、データ分析システムは、搾乳パラメータを最適に制御するために使用パターンを判定できる。その時生成されたデータは、いくつかの有用な機能を提供するために、分析のために接続デバイス及び／またはクラウドサーバーに配信され得る。
【０１４１】
図２６は、周辺モバイルデバイス及びアプリケーション（２７０）及びいくつかのクラウドベースのデータベース（２６８、２７３）と通信する搾乳器システム（１００）を含むスマート搾乳器システムネットワークの概要を示している。搾乳器システム（１００）には、いくつかのセンサ（２６２）が含まれている。センサデータとは、マザーボードまたはその他のいずれかのコンポーネントから直接いずれかの任意のセンサまたはその他のいずれかの任意のアナログ／デジタル読み取り値から生成されたデータを含む広範な定義を示す。ただし、詳細な実施形態では、これらの測定値には、乳の量の測定値、温度センサの読み取り値、皮膚温度の検知、圧力センサの読み取り値、加速度計データ、及びいずれかの物理デバイスインターフェイスを介した使用者の入力の１つ以上が含まれるが、これらに限定されない。
【０１４２】
また、デバイスには、圧電ポンプ（複数可）、ソレノイド弁（複数可）、ＩＲＥＤ、ＬＥＤディスプレイなどのアクチュエータが含まれるが、これらに限定されない。デバイス内のセンサとアクチュエータは、ＣＰＵ（２６３）によって調整される。さらに、これらのコンポーネントからの任意の相互作用及びデータは、メモリ（２６４）に保存できる。
【０１４３】
これらのコンポーネントに加えて、デバイスには、周辺モバイルデバイス（２７０）などの接続デバイスとワイヤレスで通信するために使用できるＢｌｕｅｔｏｏｔｈ（登録商標）チップ（２６５）などの通信チップも含まれている。この接続により、搾乳器で生成されたいずれかのセンサデータ（２６７）を接続されたデバイスに送信できる。この使用者データは、接続されたデバイスアプリから生成された他のいずれかのメタデータとともに、すべての使用者データを集約するオンラインデータベース（２７３）に提供できる。さらに、通信チップは、接続されたデバイスから搾乳器システムへの使用者制御データ／ファームウェア更新の送信も可能にする（２６６）。
【０１４４】
センサ（２６２）を含む測定サブシステムから収集された生データ（２７１）はクラウドデータベースで分析され、分析されたデータはクラウド（２７２）に保存され得る。分析されたデータによって提供される推論を通じて、ファームウェアの更新（２６９）が開発される場合がある。これらは、例えば、オンラインファームウェアリポジトリを介してポンプにダウンロードするために提供されるか、接続されたデバイスアプリストアのコンパニオンアプリにバンドルされる（２６８）。
【０１４５】
さらに、提案された搾乳器ネットワークの高度化にもかかわらず、搾乳器はこのネットワークへの無線統合なしで完全な機能を依然保持していることを理解されたい。関連するデータはデバイスのメモリ（２６４）に保存され、後で接続が確立されるとシステムの周辺部にアップロードでき、接続はＵＳＢケーブルまたはワイヤレスを介して可能である。
【０１４６】
測定サブシステムは、次の１つ以上を分析できる。
・ベースの上方の容器内の液体の量。
・容器内の液体の底部からの高さ。
・容器内の液体の上面が水平線などのベースラインに対してなす角度。
【０１４７】
容器の底部より上の液体の量及び／または高さが増加率の閾値を超えて増加しているかどうかに基づいて、触覚及び／または視覚インジケータは、ポンプが乳を送り出すために正しく動作しているかどうかを示す。例えば、視覚インジケータは、液体の量が増えると外観が変わるＬＥＤの列である。
【０１４８】
視覚インジケータは以下を提供する：
・流量の推定。
・充填率の推定。
・容器の充填量の表示。
【０１４９】
さらなる例として、加速度計は、搾乳セッション中の移動量または傾斜角を推測してもよい。傾斜角が閾値を超えると、システムは、使用者に流出が差し迫っていることを警告またはアラートするか、位置を変更するためのアラートを使用者に提供する。あるいは、システムは、またこぼれるのを防ぐために搾乳を停止し、傾斜角が閾値を下回ると、搾乳が自動的に再開する場合がある。搾乳セッション中に動きやタイトルの角度を検知することにより、システムは、歩行、立位、横臥などの使用者のアクティビティも取得できる。
【０１５０】
多くの変数が乳の搾り出しに影響を与える可能性があり、これらの複数の変数のデータ分析は、母親が効率的な搾乳計画を達成し、全体的な使用者体験を向上させるのに役立ち得る。
【０１５１】
したがって、測定サブシステムは、乳容器への乳の流れを測定または推測し、使用者がどの変数（時刻、ポンプの設定など）が適切な乳の流れに相関するかを理解できるようにする。１つ以上のセッションで搾り出された乳の量と、時刻、ポンプ設定、１回のポンプセッションの長さ、真空レベル、サイクル時間、快適さ、母親が消費した液体などの追加のメトリックが記録される。その後、ライブデータまたはフィードバックが使用者に提供され、搾乳器が適切に使用されていることを確認し、搾乳器の特定の個々の最適な使用に対応する変数を使用者が理解できるようにする。
【０１５２】
さらに、ライブデータを使用して、特定のポンプパラメータに自動的かつインテリジェントに影響を与え、最も効率的なポンプセッションを生成できる。例えば、搾り出し率が増加した場合、搾乳サイクルはそれに応じて調整され、より効率的またはより快適なポンプサイクルを実現できる。
【０１５３】
また、測定サブシステムにより、データ分析システムは、ポンプパラメータを最適に制御するために、使用パターンを判定できる。収集されたメトリックは、ポンプ、接続されたデバイスまたはアプリ、クラウドデータベース間のワイヤレス接続を介して転送される。さらに、アプリケーションは、フィットネスアプリ、ソーシャルメディアアプリ、またはその他のアプリなど、接続されたデバイス上にある他のアプリにも接続できる。さらなるメトリックには、ポンプの使用中の接続デバイスに関連付けられた使用者の動作または特定の使用（視覚及び／または音声キューの検出、インターネット使用、アプリケーション使用、通話、テキストメッセージ）も含まれ得る。
【０１５４】
搾乳の様々な側面は、搾乳器内の動的センサフィードバックに基づいて自動的に変更できる。データ分析システムは、搾乳セッションのリアルタイムデータにアクセスでき、次の機能の１つ以上を実行するために使用できるが、これらに限定されない。
・乳が流れているかどうかを示す。
・容器内の液体の量及び／または高さをその底から測定または推測する。
・最適な乳の流れのための最適な測定基準について母親に推奨事項を示す。
・離乳のための最適な測定基準について母親に勧告を与える。
・乳の供給量を増やすための最適な測定基準（例えばパワーポンプ）について母親に推奨事項を伝える。
・最適なセッション開始時間または完全なセッションを逃した場合、最適な測定基準を母親に推奨する
・単一の搾乳セッションの長さ、真空レベル、サイクル時間など、搾乳機構のメトリックを自動的に設定する。
・乳容器がいっぱいになると、自動的に搾乳を停止する。
・最適な搾乳セッションを達成するために、１つ以上の搾乳パラメータを自動的に調整する。
・１つ以上の搾乳パラメータを自動的に調整して、快適な搾乳セッションを実現する。
・刺激サイクルから搾り出しサイクルへなど、ポンプサイクルをプログラムされたサイクルから別の異なるプログラムされたサイクルに自動的に変更する。
【０１５５】
さらに、搾乳器システム自体の物理的機能を改善するために、センサフィードバックが使用される場合がある。例えば、圧電ポンプのアレイは、ピーク圧力を維持するコンポーネントの全寿命を最適化するために、動作温度に応じて動的に調整される。
【０１５６】
これらの単純なフィードバックシステムについて多くの追加の実施形態を説明できるが、前提は残る。リアルタイムセンサフィードバックを使用して、アクチュエータ機能を自動的かつ動的に調整する。各フィードバックプログラムには、任意の数と組み合わせのデータソースが含まれ、アクチュエータの配置に影響を与える可能性がある。
【０１５７】
生成されたデータを使用して、搾乳パラメータ、使用者メタデータ、及び関連する搾り出し率の大規模なデータセットを生成することもできるため、傾向の分析や、搾乳効率、有効性、または効果的な乳の搾り出し方に関連するいずれかの機能を改善するために使用できる関連付けまたは相関の構築が可能になる。大規模な使用者データセットの分析により、搾乳パラメータと搾り出し式データの間の有用な一般的な関連付けが得られる場合があり、これを使用して、ファームウェアの更新に含める追加のフィードバックシステムを構築できる。
【０１５８】
複数のデータソースを同時に解釈することができ、搾乳のいくつかの異なる変更を作動させて、搾乳効率、使用者体験を向上させたり、ポンプ性能を最適化したりすることができる。
【０１５９】
収集されたメトリックは匿名化され、エクスポートされて、接続されたデバイス上の他のアプリ、コミュニティまたはソーシャルメディアプラットフォーム、またはコミュニティやソーシャルメディアプラットフォームなどの外部製品及びサービスに共有され得る。関連付けられたメタデータのコンテキストで様々な使用者のパフォーマンスを比較することにより、使用者を個別の「パンパープロファイル」またはコミュニティにグループ化することができ、その場合それらを使用して、インテリジェントフィードバックシステムの最適な選択を推奨または実行し、効率的な表現を促進することができる。例えば、より効率的な搾り出しを達成するために、搾乳中により多く動く傾向がある女性には、より高いピーク圧が推奨される場合がある。
【０１６０】
セクションＢ：ＩＲシステム
このセクションでは、Ｅｌｖｉｅ（商標）ポンプで使用される乳検出システムについて説明する。
【０１６１】
図２７及び図２８を参照すると、容器２７５内の液体のレベルを検出する際に使用するデバイス２７０が示されている。デバイス２７０は、一連の光エミッタ２７３（一実施形態では３つの光エミッタのアレイが使用される）を含む検知アセンブリ２７２が配置されたハウジング２７１から形成され、このエミッタは、光レシーバ２７４に対して相対的であり、それぞれから距離を置いて配置される。以下に説明するデバイスの動作において、各光エミッタ２７３は、放射を発し、それを光レシーバ２７４が受け取るように、動作可能である。本発明の一実施形態では、一連の光エミッタはそれぞれ、光レシーバ２７４から等距離に配置される。
【０１６２】
検知アセンブリ２７２からの光エミッタ２７３及び光レシーバ２７４は、デバイスが容器２７５に接続されたときに容器２７５に面するデバイス２７０の部分２７６に配置される。光エミッタ２７３及び光レシーバ２７４を含むデバイス２７０の部分２７６は、光放射に対して透明な材料の窓２７７を備える。このようにして、光エミッタ２７３及び光レシーバ２７４の各々は、デバイス２７０がそれに接続されたときに、窓２７７を通って容器２７５内への視線を有する。
【０１６３】
ＣＰＵ２７９及びメモリ２８０を備えるコントローラ２７８は、検知アセンブリ２７２の動作を制御するためにデバイス２７０に設けられる。加速度計２８１も、コントローラ２７８に動作可能に接続されるハウジング２７１に設けられる。次に、容器２７５に接続されたときのデバイス２７０について説明する。
【０１６４】
動作の主要なモードでは、容器２７５内の液体のレベルＬを判定するために、コントローラ２７８は、所定の強度で容器２７５内の液体の表面に向かって放射をそれぞれ発するように、光エミッタ２７３に指示する。光レシーバ２７４は、液体の表面を介して各光エミッタ２７３から反射された放射を受信し、これらの強度はそれぞれコントローラによって記録される。
【０１６５】
検知アセンブリ２７２の各動作について、コントローラ２７８は、光エミッタ２７３の各々により放出された放射の強度を、強度ＩＥ１；ＩＥ２．．．ＩＥｎ（ここで、ｎは光エミッタの総数）として記録し、光エミッタ２７３の各々から光レシーバ２７４によって受信された放射の強度を、受信強度ＩＲ１；ＩＲ２．．．ＩＲｎとして記録する。
【０１６６】
放出された放射強度ＩＥ１；ＩＥ２．．．ＩＥｎを、受信した放射強度ＩＲ１；ＩＲ２…ＩＲｎと比較すると、コントローラ２７８は、一連の強度の比ＩＥ１：ＩＲ１；ＩＥ２：ＩＲ２．．．ＩＥｎ：ＩＲｎを計算する。これは、容器内の液体のレベルを判定するために使用される。最も基本的なレベルでは、ＩＥ１：ＩＲ１の強度の比がＩＥ２：ＩＲ２と同じ場合、光エミッタ２７３が光レシーバ２７４から等距離にあるとすると、このことは、図２７に示すように、容器内の液体のレベルが瓶の上面に平行であることを示す。対照的に、これらの２つの強度の比が異なる場合、これは図２８に示すように、液面が異なる角度にあることを示す。
【０１６７】
容器２７５内の液体のレベル及び量を正確に判定するために、コントローラ２７８は、メモリ２８０に位置するデータベースを使用して記録された強度の比を処理する。データベースは、デバイス２７０と接続するように動作可能な各容器の個々の記録を含む。データベースの各記録には、異なる方向で、異なる量の液体を充填した場合の容器２７５の予想の強度の比（ＩＥ１：ＩＲ１及びＩＥ２：ＩＲ２）を含む情報のルックアップテーブルが含まれる。
【０１６８】
ルックアップテーブルからの情報を記録された強度の比と比較することにより、コントローラ２７８は、容器２７５内の液体のレベル及び量を計算し、その情報をメモリ２８０に保存する。
【０１６９】
デバイス２７０へ至る容器２７５がデータベースに保存された記録を含まない状況では、検知アセンブリ２７２は較正モードで使用されて新しい記録を作成することができる。較正モードでは、容器が空から充填され、異なる方向に配置されると、検知アセンブリ２７２が作動する。較正モード中の各点で、コントローラ２７８は記録された強度の比（ＩＥ１：ＩＲ１及びＩＥ２：ＩＲ２）を計算し、それらを容器２７５に関連する記録に保存する。記録された強度の比の各セットについて、使用者は容器２７５内部の液体の向きと充填レベルに関する記録の情報を含む。
【０１７０】
使用中にデバイス２７０によって得られる結果の精度を改善するために、各強度の比を記録するとき、コントローラ２７８は、デバイス２７０が受ける加速度に関する加速度計２８１からのパラメータも記録する。記録された各加速度パラメータについて、コントローラ２７８は、メモリ２８０に記憶された所定の閾値加速度パラメータをパラメータ２７８が超えるかどうかを判定する。所定の閾値は、デバイス２７０に接続された容器２７５の内側の液体のスロッシングを引き起こす過度の加速を示す。記録された加速度パラメータが所定の閾値加速度パラメータを超える場合、コントローラ２７８は、記録された加速度パラメータに関連付けられた記録された強度の比に、信頼できない（スロッシングによる）ものとして、フラグを立てる。
【０１７１】
それにもかかわらず、加速度計２８１を使用しなくても、コントローラ２７８は、過剰な加速の期間中に、記録された強度の比のセットが生じるかどうかを判定するように動作可能である。これに関して、所与の時間に記録された強度の比の各セットについて、コントローラ２７８は、これらの強度の比のいずれかがセットからの残りの記録された強度の比とは異なる所定の大きさであるかどうかをチェックする。これが事実であるとコントローラ２７８が判断した場合、これは、図２９に示すように、過剰な加速の結果として、容器内の液体が「スロッシング」になったことを示す。この場合は、コントローラ２７８は、記録された強度の比のセットに、信頼できないものとしてフラグを立てる。
【０１７２】
光エミッタ２７３によって放出された放射と光エミッタ２７４によって受け取られた放射の相対強度を記録する代わりに、コントローラ２７８は、各光エミッタ２７３により放出され、光レシーバ２７４により受け取られた放射にかかった時間を、代わりに記録できることを理解されたい。この配置では、ルックアップテーブルは代わりに、強度の比とは対照的に期間を含む。
【０１７３】
デバイス２７０の用途に関して、デバイスは多種多様な用途に使用できることが理解されよう。１つの可能な用途は、搾乳器アセンブリの一部として使用される哺乳瓶などの容器２７５内に位置する液体のレベルを判定するためのデバイス２７０の使用である。この構成において、デバイス２７０は、乳房からの乳の搾り出しを支援する搾乳器３０１に関連付けられている。搾乳器は、図３０に示されるようにデバイス２７０のハウジング２７１に配置されてもよく、またはハウジング２７１に現実的に接続されてもよい。
【０１７４】
いずれにしても、デバイス２７０は、搾乳器により搾り出された乳がポンプからチャネル３０２を介して容器２７５に通過できるように容器２７５に接続可能である。
【０１７５】
搾乳器は、任意の形状の乳容器または瓶を含む任意のタイプの搾乳器システムであり得、乳房から搾乳するためのポンプモジュールを備え得る。ハウジング内に含まれるポンプモジュールは、カップリング、カップリングを介してハウジングに取り付けられてポンプから乳を受け取ることができる容器、ハウジング内にあり、ハウジングが容器に接続されたときに容器に保持された乳本体の表面に向けて光放射を放出するように動作可能な少なくとも１つの光エミッタを含む検知アセンブリ、乳の表面からの反射放射を受け取る光レシーバ、及び光レシーバからの信号を受信する検知アセンブリに電気的に接続され、光レシーバによって受信された反射放射に基づいて、容器の内側の乳のレベルを計算するコントローラを含むことができる。
【０１７６】
容器内の乳の表面からの反射放射に基づいて容器内の乳のレベルを判定することにより、容器に入る乳の個々の液滴を監視する必要がなくなり、検知アセンブリがこれらの液滴の測定に関連するエラーを回避できるようになる。例えば、容器が充填されると複数の反射ベースの測定を行うため、単一の測定よりも正確な平均測定を生成できる。しかし、個々の液滴のカウントに依存するシステムでは不可能である。さらに、システムエラー（例えば、特定のサイズ以下の液滴をカウントしない）が時間とともに蓄積し、全体的な結果が信頼できなくなる。さらに、これらの液滴を測定する必要がないため、搾乳プロセス中に搾乳器の検出アセンブリを常にオンにする必要がなく、電力を節約できる。
【０１７７】
少なくとも２つの光エミッタが使用される場合、搾乳器からの検出アセンブリは、容器内の液体レベルの向きに関係なく、容器内の乳のレベルをより正確に判定できる。
【０１７８】
コントローラが各光エミッタから発せられる反射放射に基づいて容器内の乳のレベルを簡単に計算できるように、各光エミッタは光レシーバから等距離にあるようにし得る。光レシーバからの信号は、好ましくは、光レシーバによって受信された放射の強度に関する情報を含む。
【０１７９】
各光エミッタは、他の光エミッタとは異なる波長で、または異なる時間に放射を放出するように動作可能であってもよい。このようにして、コントローラは、光レシーバからの信号をより簡単に処理でき、各光エミッタによって放出された放射をより簡単に区別できる。
【０１８０】
光エミッタは、可視範囲の波長の放射を放出できる。あるいは、それはＵＶ光またはＩＲ光でもよい。放出される波長は、例えば１０ｎｍから１ｍｍの間であり得る。
【０１８１】
検知アセンブリはまた、コントローラに電気的に接続された少なくとも１つの加速度計を備えてもよい。コントローラは、加速度計からの加速度計パラメータを記録し、加速度計パラメータが所定の閾値を超えるかどうかを判断するように構成されてもよい。所定の閾値は、搾乳器に接続されたいずれかの容器内の乳のスロッシングを引き起こす可能性のある過度の加速を示している場合がある。
【０１８２】
デバイス２７０の別の用途は、蓋３１０を介して哺乳瓶などの容器２７５内の液体のレベル／量を検出するためのカラーとしての用途である。このようなカラーとして使用されるデバイス２７０の例を図３１に示す。この構成において、デバイス２７０は容器２７５と蓋３１０の間に位置し、蓋３１０にカラーを取り付けるための第１のカップリング３１２を有する第１の端部３１１を含む。デバイスは、デバイス２７０を容器２７５に取り付けるための第２のカップリング３１４を有する第２の端部３１３を含む。第２のカップリングは、図３１に示される、容器２７５の内面のねじ山であってもよい。この様式では、特徴的な底面の内側表面は、特徴的な底部内面が位置する容器２７５に対してそれ自体をより簡単に較正するために検知アセンブリ２７２で使用できる。特徴的な底部は、デバイスがどの容器２７５に接続されているか、したがってデバイス２７０が使用されるときにデータベースからどの記録が使用されるべきかを識別するのを助けるためにも使用され得る。
【０１８３】
検知アセンブリ２７２の精度をさらに改善するために、コントローラ２７８はまた、記録の加速度が所定の閾値加速度パラメータを下回る状況で、加速度計２８１から得た記録された情報を使用して、加速を補う容器内にある液体のより正確な液体のレベル／または量を計算する。
【０１８４】
１つの特定の構成では、コントローラ２７８は、検知アセンブリ２７２の各動作の前に加速度計２８１をポーリングして、デバイス２７０が現在過度の加速を受けていないことを検証することができる。コントローラ２７８がデバイス２７０の過度の加速を判定する場合、コントローラ２７８は、加速度計からのパラメータが、メモリ２８０に格納されている所定の閾値加速度パラメータを下回ると判定されるまで、加速度計を継続的に再ポーリングし、検知アセンブリ２７２を作動させない。
【０１８５】
また、データベースに格納された各容器の記録について、容器の記録は複数のルックアップテーブルを含むことができ、各ルックアップテーブルは容器で使用される特定の液体に関連付けられ、各ルックアップテーブルは独自の強度の比のセットを含むことが理解される。このようにして、デバイス２７０は、特定の容器２７５で使用される異なる液体のレベル／量をより正確に判定することができる。
【０１８６】
本明細書で説明された際に、検知アセンブリ２７２は、複数の光エミッタ２７３を有するものとして説明した。しかし、検知アセンブリは、単一の光エミッタ２７３及び複数の光レシーバ２７４を使用して動作できることを理解されたい。この配置では、データベースからの各記録は、各光レシーバ２７４によって受信されるとき光エミッタ２７３から放出された放射に関連する複数の比率を含む。次いで、デバイス２７０の使用時、コントローラ２７８は、同様に光エミッタからの放射を記録する。別の構成では、複数の光エミッタ２７３及び複数の光レシーバ２７４が提供されてもよく、各光エミッタ２７３はそれぞれの光レシーバ２７４に関連付けられる。最も単純な配置では、検知アセンブリ２７２は、単一の光エミッタ２７３及び単一の光レシーバ２７４を備えてもよい。
【０１８７】
特定の構成では、光エミッタ２７３は、同じ波長を有する放射を一緒に放出してもよい。他の構成では、光エミッタ２７３はそれぞれ、異なる波長を有する放射を放出してもよい。この後者の構成では、光レシーバ２７４は、受信した放射の波長に基づいて、どの光エミッタ２７３が任意の所与の受信した放射に関連付けられているかを判定することができる。
【０１８８】
また、光エミッタ２７３はそれぞれ異なる時間に放射を放出し、コントローラ２７８が、光レシーバ２７４からの信号をより容易に処理し、各光エミッタ２７３によって放出された放射をより容易に区別できるようにする。
【０１８９】
コントローラ２７８と検知アセンブリ２７２との間の電気的接続に関して、この電気的接続は、必要に応じて有線／無線接続のいずれでもよいことが理解されよう。
【０１９０】
図には示されていないが、本明細書に記載のデバイス２７０は、好ましくは、バッテリまたはデバイス２７０に配置された他の電源によって電力を供給される。他の実施形態では、デバイス２７０は主電源によって電力を供給されてもよい。
【０１９１】
一構成では、コントローラ２７８がルックアップテーブルからの情報を記録された強度の比と比較して容器２７５内の液体のレベル及び量を計算するのではなく、コントローラ２７８は代わりに、メモリ２８０に格納された液体レベルの方程式を介して、記録された強度の比率を処理することも想定される。この構成では、液体レベルの方程式は、異なる容器のファミリーを網羅する一般化された方程式である可能性があり、または内部に所定の形状及び／または種類の液体を有する容器特有の方程式である可能性がある。
【０１９２】
デバイス２７０のいくつかの用途では、デバイスを使用して、容器内の液体ではなく固体のレベルを検出できることも理解されよう。本明細書で使用する「光エミッタ」及び「光レシーバ」という用語は、光波長内または光波長に近い放射を放出できるセンサを網羅することを意図している。有害な影響を及ぼさない限り、光波長またはそれに近いあらゆる種類の放射が適している。正確な波長は、本発明の状況では重要ではない。したがって、そのようなセンサには、可視放射線（４００ｎｍ〜７００ｎｍの領域の波長を有する放射線など）を放出できるもの、及び／またはＩＲ放射線（７００ｎｍ〜１ｍｍの領域の波長を有する放射線など）を放出できるもの、及び／またはＵＶ放射（１０ｎｍ〜４００ｎｍの範囲の波長を持つ放射など）を放出できるものが含まれる。
【０１９３】
そのようなセンサモジュールに関する既存の先行技術は、ＲＵ２４４１３６７に開示されている装置である。この装置では、容器は工業用サイズの乳用タンクであり、タンクの上部に取り付けられた単一のレーザーのみを含む。この装置は、使用中に移動しない大型の容器に適しているが、装置は容器が使用中に動く用途、または容器内の液体レベルが、容器内に照らされるレーザー光線に垂直でない用途にはあまり適していない。対照的に、上記のセンサモジュールは様々な用途に使用でき、ハウジング内に便利に配置され、また少なくとも２つの光エミッタを備えているため、不規則な形状の容器内でも液体のレベルを測定でき、容器内の液体の面の向きに関係なく、容器内の液体レベルを判定できる。
【０１９４】
異なる状況における流体測定システムの実施形態に加えて、同じコンポーネント構造を使用して異なる機能が完全に可能であり得ることが理解され得る。例えば、母乳内の特定の分子は、特徴的な傾向で特定の波長の光を吸収することが知られている。提案されたシステムは、近接測定を実行するために同じ波長で多重化されたＩＲＥＤを使用するが、代わりに同じアレイのＩＲＥＤを使用して、いくつかの異なる波長の光を放出し、反射時の吸収を判定できる。適切に較正されている場合、システムは、脂肪、乳糖、タンパク質の含有量など、乳搾り出し中の特定の化合物の存在または濃度を報告できる場合がある。
【０１９５】
この実施形態に加えて、その表面からのＩＲの十分な反射があれば、システムを適用して、液体の他のいずれかの容器の体積の変化を監視することが可能である。これらの実施形態は、例えば、タンパク質、セメントまたは塗料などの液体容器測定、または密封されたビール樽内の体積測定を含むことがある。
【０１９６】
セクションＣ：ブラジャークリップ
このセクションでは、Ｅｌｖｉｅ（商標）ポンプのアクセサリを形成するブラジャークリップについて説明する。
【０１９７】
それは、使用者がマタニティブラのカップのサイズを迅速かつ簡単に調整して、統合されたウェアラブルな搾乳器の個別かつ快適な挿入及び使用を可能にするシステムに関する。そのため、使用者は特別な調整可能なブラジャーを必要としないで、代わりに、本システムはすべての従来式のマタニティブラで作用する。使用者は、搾乳中に着用するためにいずれかの大きなブラジャーを購入する必要もない。
【０１９８】
図３２に示すように、典型的なマタニティブラ３２０は、着用者の肩でブラジャー３２０を支えるショルダーストラップ３２１と、２つのウィング３２３と中央パネル、すなわちブリッジ３２４を含む使用者の胸郭の周りに延びるブラバンド３２２とで構成される支持構造を含む。ストラップ３２１には通常、ストラップ３２１の長さを変えてブラジャー３２０を着用者にフィットさせるための調整機構３２５が設けられている。各ウィングの最外端には、取り付け領域３２６が設けられている。通常、ブラジャー３２０を使用者の背中に固定するために、フック３２７及びループ３２８が設けられている。しかし、他のいずれかの適切な取り付け機構を使用してもよい。あるいは、取り付け領域３２６は、ブリッジ領域３２４のブラジャー３２０の前部に設けられ、連続ウィング３２３が着用者の背中の周りに連続的に延びるようにしてもよい。典型的には、着用者のブラジャー３２０の締まり具合を変えることができるように、多数のループのセット３２８が設けられる。図３２では分離されているように示されているが、ウィング３２３及びブリッジ３２４は、特定の設計では単一の連続部分を形成してもよい。同様に、図３２では明確に分離して示されているが、ショルダーストラップ３２１及びウィング３２３は同様に単一の連続部分を形成してもよい。
【０１９９】
マタニティブラ３２０にはさらに、支持構造に取り付けられた２つの乳房支持カップ３２９が設けられている。カップ３２９は、カップ３２９のバンド３２２からの突出の差を定義するカップサイズを定める。カップのサイズに関する欧州規格ＥＮ  １３４０２は、着用者のバスト周囲及びアンダーバスト周囲に基づいてカップのサイズを定義し、ＡＡからＺの範囲で、それぞれの文字間で、バンド３２２からカップ３２９までの突起の間の差が２ｃｍ増えていくことを示す。一部の製造業者は、これらの慣習と命名を変えており、一部のマタニティブラはＳ、Ｍ、Ｌ、ＸＬなどのサイズで測定されている。
【０２００】
カップ３２９は、ブラバンド３２１に縫い付けられてもよい。カップ３２９の少なくとも１つは、対応するストラップ３２１に取り外し可能に取り付けられる。特に、これは、ブラストラップ３２１に取り付けられるフック３３１が、カップ３２９に取り付けられた留め金３３１と係合する取り付け点３３０で達成される。フック３３１及びブラストラップアジャスター３２５は、閉位置において、ブラジャー３２０のカップのサイズが着用者の乳房にフィットするように定められる。
【０２０１】
図３２では、左カップ３２９がその取り付け点３３０に取り付けられて示されており、右カップ３２９は取り付けられていない。このようにして、着用者はカップ３２９を取り外して、授乳または搾乳のために乳房を露出させることができる。これが完了すると、カップ３２９が再び取り付けられ、マタニティブラ３２０は通常のブラジャーとして機能し続ける。
【０２０２】
描かれた実施形態では、フック３３１がブラストラップ３２１にあるものと示され、留め金３３２がカップ３２９にあるものと示されているが、これらの提供を逆にしてもよく、代替の取り付け機構を使用してもよいことが理解される。
【０２０３】
したがって、マタニティブラは、ショルダーストラップとブラバンドを含む支持構造と、それぞれ支持構造に取り付けられて第１のカップサイズを提供する第１及び第２のカップを含むことができ、少なくとも１つのカップは少なくとも部分的に取り付け点で支持構造から取り外し可能である。
【０２０４】
他の実施形態では、取り外し可能な取り付け点３３０は、ブラバンド３２２とカップ３２９との間の取り付けなど、異なる場所に設けられてもよい。そのような取り付け点の機構は、上記と同じである。
【０２０５】
クリップは、取り付け点から離れた位置で支持構造に取り付けられるように設計されている。これにより、元の取り付け点が使用可能になり、クリップが、実際にカップサイズの調整をもたらす代替取り付け点を提供する。
【０２０６】
あるいは、クリップは、複数の離散的でない位置で支持構造に取り付け可能であってもよい。これにより、使用者にとって最適な位置を見つけることができるように、クリップの位置を本質的に無限に調整できる。
【０２０７】
クリップは、非拡張状態と拡張状態の間で拡張することもでき、取り付け点で支持構造に取り付けることができる。クリップが非拡張状態のときに、少なくとも部分的に取り外し可能なカップがクリップに取り付けられている場合、第１のカップサイズが提供され得る。第２のカップサイズは、クリップが拡張状態のときに、少なくとも部分的に取り外し可能なカップがクリップに取り付けられている場合に提供され得る。このような拡張可能なクリップを使用すると、使用中２つの状態をすばやく切り替えることができる。
【０２０８】
図３３は、本発明によるクリップ３３５を、通常は取り付けられているブラカップ３２９から分離して、留め金３３２と共に示している。クリップは、第１の係合機構及び少なくとも１つの第２の係合機構（複数可）を含む。クリップは、第１の係合機構を介して第１の位置で支持構造に取り外し可能に取り付け可能であり、第２の係合機構を介して部分的に取り外し可能なカップの１つに取り外し可能に取り付け可能で、第１のカップサイズとは異なる第２のカップサイズを提供する。クリップ３３５には、ブラストラップ３２１の一部を受け入れる物質経路３３６が設けられている。これらの図の特定の実施形態では、クリップ３３５は実質的にＵ字形で、その開放端に向かって狭くなるプロファイルを有する。しかし、Ｓ字形またはＥ字形など、物質経路を備えた任意の他の適切な形状を使用できることが理解される。クリップ３３５は、解放可能にブラストラップ３２１に取り付けられるように設計されており、スロット３３６は支持係合機構として機能する。取り外し可能とは、ブラジャー３２０の機能をまったく損なうことなく、クリップ３３５をブラジャー３２０から簡単に取り外すことができることを意味する。取り付けを容易にするために、クリップ３３５には、外側に延びるウィング２０４を設けることができ、それはクリップ３３５の中にブラストラップ３２１を導くのを助力する。クリップ３３５には、留め具３３２と係合できるカップ係合機構として作用するフック２２０がさらに設けられている。
【０２０９】
図３３（ｃ）は、留め具３３２が取り付けられる第２の取り付け点３３７を提供し、したがってブラジャー３２０に第２のカップサイズを提供するためにブラストラップ３２１に取り付けられているクリップ３３５を示す。この特定の実施形態では、クリップ３３５は、元の取り付け点３３０の下のストラップ３２１Ａの一部に取り付けられ、したがって、第２の取り付け点３３７も同様に元の取り付け点の下にある。これにより、第２のカップサイズが第１のカップサイズより大きくなる。好ましい実施形態では、これらの図に示されるように、クリップ３３５は、カップと係合する方向を横断する方向で支持構造と係合する。
【０２１０】
図３３（ｄ）及び（ｅ）は、着用者が第１のカップサイズと第２のカップサイズの間をどのように移動できるかを示している。３３（ｄ）において、カップ３２９は、第１のカップサイズを提供するために第１の取り付け点３３０で取り付けられる。次に、着用者は、第２の係合点２３９にてフック３３８で留め金３３２をフック３３１から外す。このようにして、着用者は２つのカップのサイズの間を容易に移行することができる。
【０２１１】
図３４及び図３５は、クリップ３４０の代替設計を示す。このクリップ３４０は、実質的に「Ｅ字型」であり、後部３４１と、この後部３４１から横方向に延びる第１の突起、第２の突起、及び第３の突起３４２Ａ、３４２Ｂ、３４２Ｃ５つの突起を有する。３つの突起３４２Ａ、３４２Ｂ、３４２Ｃは、後部３４１の長さに沿って離間している。第１及び第３の突起３４２Ａ、３４２Ｃには、取り付けクリップ３４３Ａ、３４３Ｂが設けられている。
【０２１２】
これらの取り付けクリップ３４３Ａ、３４３Ｂは、ブラジャーの留め金３３２と係合して、第２のカップサイズを提供することができる。クリップ３００の向きに応じて、取り付けクリップ３４３Ａ、３４３Ｂの一方または他方を使用して、ブラジャーの留め金３３２を取り付ける。これらのクリップ３４３Ａ、３４３Ｂを第１及び第３の突起３４２Ａ、３４２Ｃの両方に設けることにより、クリップは容易に可逆的になり、ブラジャーの両側で使用できる。クリップ３４０の可逆性を支援するために、クリップ３４０も対称であることが好ましい。
【０２１３】
図３５は、ブラジャーに取り付けられたクリップ３４０を示している。図から分かるように、第１及び第３の突起３４２Ａ、３４２Ｃはブラストラップの前面に延び、第２の突起３４２Ｂはブラストラップの背面に延びる。このようにして、クリップ３４０はストラップに取り付けられる。好ましい実施形態では、いくつかの突起及び／または粗面パッチなどのグリップ強化部材３４４を第２の突起３４２Ｂに設け、このグリップを強化することができる。
【０２１４】
代替の実施形態では、取り付けクリップは、第２の中央の突起３４２Ｂに設けることができる。そのような配置では、中央の突起３４２Ｂはブラジャーの外側にあり、第１及び第３の突起３４２Ａ、３４２Ｃは内側にある。
【０２１５】
取り付け可能なクリップの提供により、着用者がすでに所有しているマタニティブラを、素早く切り替え可能なダブルカップサイズのオプションを備えたブラジャーに素早く変換することができる。
【０２１６】
これにより、統合されたウェアラブルな搾乳器の使用が可能になり、このことで使用者が必要とするカップのサイズが大きくなる。これにより、サイズと形状という観点で、搾乳器の設計の自由度が高まるが、依然としてブラジャー内に保持されたポンプで使用者が個別に搾乳できるようになる。使用者の既存のマタニティブラを変更できるようにすることで、使用者はポンプと着用するために特別に設計されたブラジャーを購入する必要がなくなる。したがって、搾乳器が使用されていないとき、ブラジャーは通常第１の係合点３３０にある。図３３に示されるように、次いで、留め金３３２は、使用者によって係合されて、２つの構成を個別に切り替え、その後、使用者は、衣服のいずれの複雑な調整も取り外しも伴わずにポンプを挿入する。
【０２１７】
好ましくは、クリップは、サイズと形状が比較的目立たないため、必要に応じてブラジャーを最初に装着して使用するときに所定の位置に残すことができる。この目的のために、クリップは、著しい損傷または劣化なしに洗濯機で洗えることが好ましい。
【０２１８】
いくつかの実施形態では、クリップは、ブラジャーの両側で単一のクリップを使用できるように、各カップと係合する位置の間で切り替え可能であってもよい。これを達成するために、クリップは可逆的であることが好ましい。これにより、使用者は直近でどの乳房が乳を生産したかを視覚的に表示できるため、切り替えを行うことができる。
【０２１９】
好ましい実施形態では、第１の係合機構は、第１の方向で支持構造と係合し、第２の係合機構は、第１の方向を横断する第２の方向でカップと係合する。このことは、この構造に関して、クリップの支持構造との横方向の係合が、第２の取り付け機構がカップに対して正しく方向付けられることを確実にするため、取り付けを容易にする。
【０２２０】
第２の係合機構は、フックまたはスナップまたはクリップのうちの１つ以上であり得る。これにより、マタニティブラにすでに用意されている従来のフック及び留め金システムと簡単に接続できる。
【０２２１】
好ましくは、クリップは、クリップの向きに応じて交換可能に使用できる２つの別個の第２の係合機構をさらに備える。これにより、各ブラストラップ間ですばやく切り替えることができるため、クリップを使いやすくなり、使用者はクリップを装着するためにどちらの方法にするかを気に病む必要がない。
【０２２２】
好ましくは、クリップは、クリップをブラジャーに固定するための第１の係合機構として、支持構造の一部を受け入れるための開口部を備えた物質経路を備える。これにより、クリップをブラジャーにすばやく簡単に取り付けることができる。特に、クリップは実質的にＵ字型であり得、物質経路はＵのアームの間にある。
【０２２３】
好ましくは、クリップは、中央支持部から延びる３つの突起であって、中央突起として配置される３つの突起、及び２つの外側突起を備え、中央突起の片側及びそれぞれの外側突起各々の反対側で支持構造を受け入れるようにし、少なくとも１つの突起が第２の係合機構に設けられているようにする。これにより、ブラへの強力な取り付けとシンプルなデザインが保証される。
【０２２４】
好ましくは、両方の外側突起はそれぞれ、それぞれの第２の係合機構を備えている。これにより、クリップをリバーシブルにして、ブラジャーに簡単に取り付けることができる。
【０２２５】
本発明によれば、マタニティブラのカップのサイズを調整する方法が提供され、マタニティブラを用意することであって、ショルダーストラップ及びブラバンドを含む支持構造；それぞれ支持構造に取り付けられて第１のカップサイズを提供する第１及び第２のカップであって、少なくとも１つのカップが取り付け点で支持構造から取り外し可能である第１及び第２のカップを含むマタニティブラを用意すること、第１及び第２の係合機構を含むクリップを用意すること、クリップの第１の係合機構をマタニティブラの支持構造の第１の位置に解放可能な方法で取り付けること、第１のカップサイズとは異なる第２のカップサイズを提供し、解放可能な方法で取り外し可能であるカップの１つをクリップの第２の係合機構に取り付けることを含む。
【０２２６】
このクリップと方法により、使用者はマタニティブラのカップのサイズをすばやく簡単に調整して、統合されたウェアラブルな搾乳器の個別の快適な挿入と使用が可能になる。
【０２２７】
好ましくは、この方法は、搾乳器を取り外し可能なカップに挿入するステップをさらに含む。ブラジャーのサイズを調整することで、ブラジャーが使用者の乳房に対して搾乳器を支えることができ、快適さと使いやすさを実現する。
【０２２８】
好ましくは、この方法はさらに、クリップの第１の係合機構をマタニティブラの第１の位置支持構造から取り外すこと、クリップの第１の係合機構をマタニティブラの支持構造の第２の位置に解放可能な方法で取り付けること、及び取り外し可能なカップの他方をクリップの第２の係合機構に取り外し可能な方法で取り付けて、第１のカップサイズとは異なる第２のカップサイズを提供することというステップを含む。これにより、使用者はいずれかのカップで単一のクリップを使用できる。
【０２２９】
図３６に示すように、拡張可能なクリップ３６０を備えた代替実施形態を提供することができる。そのような実施形態では、クリップは、ストラップ３２１のフック３３１に解放可能な方法で取り付けられ、留め金３３２がクリップの拡張可能部分に取り付けられる。次いで、クリップは、留め金３３２が第１のカップサイズを提供するために第１の取り付け点３３０と実質的に同じ位置に保持される非拡張状態と、第１の取り付け点３３０から離れた留め金３３２が第２の位置に保持され、第２のカップサイズを提供する拡張状態との間で、拡張することができる。
【０２３０】
例えば、第１及び第２の対向する端部を有する細長いクリップが提供され得る。フック３３１に取り付けるための第１の取り付け点が第１の端部に設けられ、留め金３３２に取り付けるための第２の取り付け点が第２の端部に設けられる。細長いクリップは、２つの端部の間にヒンジで留められ、その結果、クリップは、細長い構成と閉じた構成との間で折り畳むことができ、そこで第２の端部が第１の端部に接触する。この閉じた構成では、第２の端部を保持するために、留め金をクリップに付けることができる。したがって、閉位置では、留め金３３２は、第１のカップサイズを提供するために第１の取り付け点３３０と実質的に同じ位置に保持され、開位置では、留め金は第２のカップサイズを提供するために第１の取り付け点３３０から離れて保持される。
【０２３１】
他の拡張可能なクリップの実施形態、例えばスライドクリップまたは弾性クリップも可能である。
【０２３２】
マタニティブラアジャスターの追加の実施形態を図３７及び図３８に示す。代替の提案の解決策は、留め金３７３を含む第１の部分３７０と、フック３７４を含む第２の部分３７２とを含む小型アダプターデバイスである。２つの異なる調整可能なサイズを提供するために、第１及び第２の部分はわずかな距離３７１だけ離れている。第１の部分は、ブラストラップ３２１のフックに取り付けるように設計された留め金３７３を含む。また、留め金の下に位置するトップフック３７５、及び後ろ側のクリップ３７６を含むことができる。第２の部分は、底部フック３７２を含む。
【０２３３】
マタニティブラのカップ３２９にある留め金３３２は、次いでトップフック（３２１）と係合して第１のカップサイズを提供するか、ボトムフック（３３２）と係合して第２のカップサイズを提供する。第２のカップサイズは図３９に示すように、第１のカップサイズと異なる。次いで、使用者は、ウェアラブルな搾乳器システム（１００）を使いながら、第１のカップサイズによって提供される非搾乳位置と、衣服のいずれの複雑な調整や脱着をも必要としない第２の搾乳位置との間を個別に切り替えることができる。
【０２３４】
第１の部分及び第２の部分は、プラスチックで作られてもよく、弾性またはエラストマー材料などの伸縮性材料によって分離されてもよい。第１の部分は、背面にクリップを含むこともでき、その目的は、使用者がクリップをより長い間ブラに取り付けたままにしておくことができるようにすることである。
【０２３５】
セクションＤ：ウェアラブルでのピエゾポンプの使用
セクションＡで説明したように、搾乳器システムにはピエゾエアポンプが含まれており、通常の使用で静かで快適で個別の動作を実現する完全ウェアラブルシステムになる。このセクションでは、ピエゾエアポンプの詳細な情報について説明する。
【０２３６】
同等の強度を持つ他のポンプと比較して、ピエゾポンプは小さく、軽く、静かである。
【０２３７】
個々のピエゾポンプの重量は約６ｇｍで、材料と設計の改善により、重量は６ｇｍ未満になる場合がある。
【０２３８】
動作中、Ｅｌｖｉｅ搾乳器システムは、２０ｄＢの周囲のノイズに対して、最大電力で３０ｄＢ未満、通常電力で２５ｄＢ未満のノイズを発生する。テストでは、２０ｄＢの周囲ノイズに対して、最大電力で約２４ｄＢ、通常電力で約２２ｄＢのノイズが発生することが示されている。
【０２３９】
ピエゾポンプの消費電流も少ないため、バッテリ寿命を延ばすことができる。したがって、ピエゾポンプは、低ノイズ、高強度、及びコンパクトなサイズのウェアラブルデバイスに最適である。さらに、図７及び図８の搾乳器システムに示されるように、２つ以上のピエゾポンプが使用されてもよい。
【０２４０】
搾乳器システムについては前のセクションで主に説明したが、直列または並列に取り付けられたピエゾの使用は、いずれかの医療用ウェアラブルデバイスまたはいずれかのウェアラブルデバイスでも実装できる。ピエゾポンプは、液体だけでなく空気も送り込むことができる。
【０２４１】
図４０を参照すると、直列に取り付けられた２つのピエゾポンプの構成を示す図が示されている。
【０２４２】
図４１を参照すると、並列に取り付けられた２つのピエゾポンプの構成を示す図が示されている。
【０２４３】
図４２を参照すると、直列に取り付けられた２つのピエゾポンプと並列に取り付けられた２つのピエゾポンプによって時間の関数として生成された空気圧が比較されている。この例では、並列構成は、直列構成よりも高い流量を生成し、−１００ｍｍＨｇの陰圧の空気圧を速く実現する。比較すると、直列構成では流量が少なくなり、１００ｍｍＨｇに達するまでに少し時間がかかる。ただし、並列構成では、直列構成及び−１４０ｍｍＨｇのプラトーほど高い真空を達成することはできない。比較すると、直列構成では約−２４０ｍｍＨｇを生成できる。
【０２４４】
複数のピエゾポンプが並列モードと直列モードを簡単に切り替えられるように構成されているデュアル構成も実装されている。このデュアル構成は、より低い圧力またはより高い圧力をより速く達成する必要があるウェアラブルデバイスに適している。
【０２４５】
図４３は、デュアル構成で取り付けられた２つのピエゾポンプによって時間の関数として生成された空気圧のプロットを示している。このデュアル構成では、ピエゾポンプは最初にパラレルモードで開始してより速い流量の恩恵を受け、次に強い真空が必要な場合に直列モードに切り替え（切り替えポイントによって示される）、弾性負荷のサイクルタイムで５００ｍｓまでの節約を可能にする。
【０２４６】
さらに、ウェアラブルポンプによって生成される熱を効率的に管理するために、ピエゾポンプをヒートシンクと組み合わせて使用することができる。この構成は、ウェアラブルデバイスを快適に装着できるのを確実にするために使用できる。１つまたは複数のヒートシンクは、皮膚と接触する可能性のある搾乳器システムのいずれかの部品の最高温度（特に１分超の長時間の接触）が４８℃以下、好ましくは４３℃以下であることを確実にするために使用する。
【０２４７】
ヒートシンクは、発生した熱を別の場所に迂回させるために、ピエゾポンプで発生した熱を蓄えることができる。これにより、ウェアラブルシステムを快適に着用できるのを確実にするだけでなく、ピエゾポンプの寿命が延びる。
【０２４８】
図４４は、複数のピエゾポンプ（４４０）を含むウェアラブル搾乳器ハウジングの写真を示している。搾乳器システムはウェアラブルであり、ハウジングはブラジャーの内側にフィットするように少なくとも部分的に成形される。ピエゾポンプに電圧を印加すると、ポンプによって提供される圧力が増加する。ピエゾポンプによるより高い圧力の生成はまた、管理する必要があるより高い熱も生成することを意味する。したがって、各ピエゾポンプは、薄い銅板などのヒートシンク（４４１）に接続されている。ヒートシンクには長い熱の経路があり、ピエゾポンプから熱を逃がす。
【０２４９】
ピエゾポンプと組み合わせたヒートシンクの使用は、ウェアラブルデバイスが直接または体の近くで着用され、ピエゾポンプによって誘導される熱の管理が重要である場合に特に重要である。
【０２５０】
したがって、ピエゾポンプを含むウェアラブルデバイスは、熱カットアウトを含むことがあり、過剰な熱を特定の場所に迂回させることができる。ヒートシンクを排気口に接続すると、ピエゾポンプで暖められた空気が大気に放出され得る。例えば、ウェアラブルシステムは搾乳器システムであり、ヒートシンクは熱を保存する。次いで、搾乳器システムの乳房シールドを温めるために、その熱を逸らすことができる。
【０２５１】
有用な応用事例には次のものが含まれるが、これらに限定されない。
・創傷療法
・高温の火傷
・睡眠時無呼吸
・深部静脈血栓症
・スポーツ傷害
【０２５２】
付録：主な機能の概要
このセクションでは、Ｅｌｖｉｅ（商標）ポンプシステムに実装されている様々な特徴を要約する。これらの特徴は、次の６つの広範なカテゴリに分類される。
Ａ．Ｅｌｖｉｅ搾乳器：全般的な有用性特徴クラスタ
Ｂ．Ｅｌｖｉｅピエゾエアポンプ特徴クラスタ
Ｃ．Ｅｌｖｉｅ乳容器特徴クラスタ
Ｄ．Ｅｌｖｉｅ  ＩＲシステム特徴クラスタ
Ｅ．Ｅｌｖｉｅブラジャークリップ特徴クラスタ
Ｆ．その他の特徴、搾乳器のコンテキスト外
掘り下げると、各カテゴリの特徴が列挙される。
【０２５３】
Ａ．  Ｅｌｖｉｅ搾乳器：全般的な有用性特徴クラスタ
特徴１  Ｅｌｖｉｅはウェアラブルで、通常の使用時にポンプのメインハウジングから取り外し可能な２つの部品のみが含まれている。
特徴２  Ｅｌｖｉｅはウェアラブルで、乳頭の位置合わせを容易にするために、乳房の遮るものがない視野を提供する澄んだ乳房シールドが含まれている。
特徴３  Ｅｌｖｉｅはウェアラブルで、乳房シールドのサイジングを簡単にするための乳頭ガイド付きの澄んだ乳房シールドが含まれている。
特徴４  Ｅｌｖｉｅはウェアラブルで、ハウジングに聴覚的に取り付けられる乳房シールドが含まれている。
特徴５  Ｅｌｖｉｅはウェアラブルで、１回押すとハウジングに取り付けられる乳房シールドが含まれている。
特徴６  Ｅｌｖｉｅはウェアラブルで、上部が重くなってはおらず、乳房に対する快適で確実な吸引を確実にする。
特徴７  Ｅｌｖｉｅはウェアラブルで、便利な夜間モードがある。
特徴８  Ｅｌｖｉｅはウェアラブルで、乳が流れているとき、または十分流れていないときを示す触覚または視覚インジケータが含まれている。
特徴９  Ｅｌｖｉｅはウェアラブルであり、データを収集して、母親がどの変数（時刻、ポンプの速度など）が良好な乳の流れに相関するかを理解できるようにする。
特徴１０  Ｅｌｖｉｅはウェアラブルで、ソーシャルメディアにエクスポートできるデータを収集する。
特徴１１  Ｅｌｖｉｅはウェアラブルで、搾乳の時刻及び／または日付を保存するスマート瓶があり、新鮮なときに乳が使用されるようにする。
特徴１２  新鮮なときに乳が確実に使用されるように、搾乳の時刻及び／または日付を保存するスマート瓶。
特徴１３  Ｅｌｖｉｅはウェアラブルで、通常の使用中に動きの量または傾斜角を推測するセンサが含まれている。
特徴１４  Ｅｌｖｉｅには、左乳房からの乳の搾り出しと右乳房からの乳の搾り出しを切り替えるコントロールが含まれている。
特徴１５  Ｅｌｖｉｅには圧力センサが含まれている。
特徴１６  Ｅｌｖｉｅには、事前設定圧力プロファイル間の微調整を可能にするマイクロコントローラが含まれている。
特徴１７  Ｅｌｖｉｅは、使用者が体験している快適さのレベルを設定できるようにする。
特徴１８  Ｅｌｖｉｅには、ポンプの動作パラメータを動的かつ自動的に変更するためのマイクロコントローラが含まれている。
特徴１９  Ｅｌｖｉｅは、排出の最適条件を自動的に学習する。
【０２５４】
Ｂ．Ｅｌｖｉｅピエゾエアポンプ特徴クラスタ
特徴２０  Ｅｌｖｉｅはウェアラブルで、静かな動作のためのピエゾエアポンプを備えている。
特徴２１  Ｅｌｖｉｅには、ピエゾエアポンプとセルフシール隔膜がある
特徴２２  Ｅｌｖｉｅは、複数のピエゾエアポンプを直列で使用する。
特徴２３  Ｅｌｖｉｅはウェアラブルで、ピエゾエアポンプ、乳房シールド、及び乳房シールドに直接適合する隔膜を備えている。
特徴２４  Ｅｌｖｉｅはウェアラブルで、静かな操作のためのピエゾエアポンプと、便利さのための再利用可能な剛性乳容器を備えている。
特徴２５  Ｅｌｖｉｅは、静かな動作のためのピエゾポンプを備えており、接続されるデバイスである。
特徴２６  Ｅｌｖｉｅは、ポンプで発生する熱を管理するヒートシンクとピエゾを組み合わせて使用する。
特徴２７  Ｅｌｖｉｅはウェアラブルで、陰圧エアポンプからの空気で膨張させた小さなブラダを使って母親の乳房を優しくマッサージする。
特徴２８  Ｅｌｖｉｅはウェアラブルで、陰圧エアポンプからの温かい空気で膨張させた小さなチャンバを使用して、母親の乳房を優しく温める。
【０２５５】
Ｃ．  Ｅｌｖｉｅ乳容器特徴クラスタ
特徴２９  Ｅｌｖｉｅはウェアラブルで、ブラジャーの内側に快適にフィットするように、ポンプの下部を形成する再利用可能な剛性乳容器が含まれている。
特徴３０  Ｅｌｖｉｅはウェアラブルで、シンプルなプッシュトゥラッチ動作でハウジングにラッチする乳容器が含まれている。
特徴３１  Ｅｌｖｉｅはウェアラブルで、便利さのための一体の乳注ぎ口を備える取り外し可能な乳容器が含まれている。
特徴３２  Ｅｌｖｉｅはウェアラブルで、迅速で信頼性の高い乳の収集のために、乳房シールドによって定義された乳流路の下に、取り外し可能な乳容器が含まれている。
特徴３３  Ｅｌｖｉｅはウェアラブルで、使用と清掃を簡単にするために、光学的に澄んでいる食器洗い機に安全なプラスチック製の乳房シールドと取り外し可能な乳容器が含まれている。
特徴３４  Ｅｌｖｉｅはウェアラブルで、組み立てと分解の便宜のために、陰圧の空気圧下でセルフシールする様々なコンポーネントが含まれている。
特徴３５  Ｅｌｖｉｅはウェアラブルで、乳容器の前端に注ぎやすいように注ぎ口が付いている。
特徴３６  Ｅｌｖｉｅはウェアラブルで、幅広の肩の形をした乳容器が含まれており、乳児が簡単に持つことができる飲用瓶として適合させることができる。
【０２５６】
Ｄ．  Ｅｌｖｉｅ  ＩＲシステム特徴クラスタ
特徴３７  Ｅｌｖｉｅはウェアラブルで、迅速で信頼性の高いフィードバックを得るために、容器内の乳の量を測定する光ベースのシステムが含まれている。
特徴３８  液体量測定用の個別のＩＲパック。
特徴３９  液体の傾斜角の測定と組み合わせた個別のＩＲパック。
【０２５７】
Ｅ．ブラジャークリップ機能
特徴４０  ブラジャーアジャスター。
【０２５８】
Ｆ．搾乳器のコンテキスト外に配置できるその他の特徴
特徴４１  直列または並列に接続された複数のピエゾポンプを使用したウェアラブルデバイス。
特徴４２  ピエゾポンプとヒートシンクを一緒に取り付けたウェアラブル医療機器。
【０２５９】
デバイスに関してこれらの特徴を定義する。これらの特徴に対応する、または特徴の機能的な要件を実装する方法またはプロセスステップも網羅する。
【０２６０】
１〜４２の各特徴について詳しく説明する。各特徴は他のいずれかの特徴と組み合わせることができる。「オプション」と記載されている任意の副次的な特徴は、他のいずれかの特徴または副次的な特徴と組み合わせることができる。
【０２６１】
Ａ．  Ｅｌｖｉｅ搾乳器：全般的な有用性特徴クラスタ
特徴１  Ｅｌｖｉｅはウェアラブルで、通常の使用時にポンプのメインハウジングから取り外し可能な２つの部品のみが含まれている
（ａ）ブラジャーの内側にフィットするように少なくとも部分的に成形され、搾乳機構を含むハウジング、
（ｂ）乳房シールド、
（ｃ）剛性または折り畳めない乳容器
を含み、
搾乳器システムには、通常の使用または通常の分解でハウジングから直接取り外し可能な２つの部品、乳房シールドと剛性の折り畳めない乳容器のみが含まれる、ウェアラブル搾乳器システム。
オプション
・通常の使用において乳と接触するシステムの部分は、乳房シールド及び乳容器だけである。
・乳は乳房シールドのみを通って流れ、その後直接乳容器に流れる。
・乳房シールド及び乳容器がそれぞれ、ハウジングと係合するように圧迫されるまたは押される。
・乳房シールド及び乳容器がそれぞれ、ハウジングとラッチ係合するように圧迫されるまたは押される。
・２つの取り外し可能な部品は、それぞれがクリック音などの可聴音で確認される動作を使用してハウジングに挿入及び取り外し可能である。
・乳房シールドは、乳房にフィットする形状の略凸面と、乳頭を受け入れる形状の乳頭トンネルを含むワンピースの品目である。
・乳房シールドは、通常の使用のために直立に配置された場合、乳房シールドの上部から底部まで延びる中心線に対して概ね対称である。
・乳房シールドは、乳頭トンネルに挿入された乳頭の周りを円滑に回転して、乳房シールドの隔膜ハウジング部分を乳房の上部に配置するように構成されている。
・乳房シールドは、ガイド機構を使用してハウジング内にスライドする。
・ハウジングは、ガイド部材を使用して、乳房シールドが乳房上に配置されたときに、乳房シールド上にスライドするように構成される。
・乳房シールドが、ハウジングに対して所定の位置にラッチする。
・ハウジング内のボールベアリングなどのばねプランジャが乳房シールドの小さなくぼみに位置するときに、乳房シールドがハウジングに対して所定の位置にラッチする。
・乳房シールドが、磁石を使用してハウジングに対して所定の位置にラッチする。
・乳房シールドが、（ａ）ハウジング内のエアポンプシステムによって陰圧の空気圧が加えられると曲がり、（ｂ）乳を搾り出させるために、乳房及び／または乳頭を乳房シールドに対して引っ張るその陰圧の空気圧を伝達する可撓性隔膜を含むか、ともに動作する。
・可撓性隔膜は、清掃のため乳房シールドの隔膜ハウジング部分から取り外しできる。
・隔膜ハウジングが、陰圧の空気圧を乳房シールドの乳頭トンネルに伝達する空気穴を含み、隔膜が隔膜ハウジングから離れる及びハウジングに向かうと陰圧の空気圧が生じ、乳頭トンネル内の陰圧の空気圧により、乳房及び／または乳頭が乳房シールドに押し付けられ、乳が搾り出される。
・可撓性隔膜を除いて、他の部品は乳房シールドから取り外し可能ではない。
・乳容器が、ハウジングの下面に取り付けられ、使用中の搾乳器システムの基部を形成する。
・乳容器がハウジングに機械的または磁気的にラッチする。
・乳容器は、使用者がハウジング上のボタンを押すことにより解放される。
・乳容器が、取り外し可能なキャップと、蓋に着座する取り外し可能な弁とを含む。
・通常の使用において、乳容器は、ブラジャー内に完全に配置される。
・キャップ及び弁を除いて、乳容器から取り外し可能な部品はない。
・通常の使用において使用者が取り外し可能なすべての部分が、乳房シールドまたは乳容器のいずれかに取り付けられている。
・可聴または触覚フィードバックにより、ポンプシステムが通常の使用のために適切に組み立てられ、乳容器がハウジングにロックされ、乳房シールドがハウジングにロックされていることを確認する。
・搾乳機構が、女性の乳房を取り囲む領域に陰圧を加えて、その乳房から乳を搾乳する閉ループ陰圧空気圧システムである。
【０２６２】
特徴２  Ｅｌｖｉｅはウェアラブルで、乳頭の位置合わせを容易にするために、乳房の遮るものがない視野を提供する澄んだ乳房シールドが含まれている
（ａ）ブラジャーの内側にフィットするように少なくとも部分的に成形され、搾乳機構を含むハウジング、及び
（ｂ）乳房シールドであって、正しい乳頭の位置合わせを促進するべく、乳房に前記乳房シールドを置く母親に、前記乳頭トンネル内に配置されたときに乳頭の透明で遮るもののない視野を提供しながら、乳頭を受け入れる形状をした、実質的に透明な乳頭トンネルを含む前記乳房シールド、
を含む、ウェアラブル搾乳器システム。
オプション
・乳房シールドは、乳房シールドがハウジングから完全に外れるか、ハウジングから離れたときに、乳頭の澄んでいる遮るものがない視野を母親に提供するように構成されている。
・乳房シールドは、乳房シールドがハウジングから部分的に外れるか、ハウジングから部分的に離れたときに、乳頭の明瞭な遮るものがない視野を母親に提供するように構成されている。
・乳房シールド全体が実質的に透明である。
・乳房シールドは、乳房にフィットする形状の略凸面を含むワンピースの品目である。
・乳房シールドは、通常の使用のために直立に配置された場合、乳房シールドの上部から底部まで延びる中心線に対して概ね対称である。
・乳房シールドは、乳頭トンネルに挿入された乳頭の周りを円滑に回転して、乳房シールドの隔膜ハウジング部分を乳房の上部に配置するように構成されている。
・ハウジングは、ガイド部材を使用して、乳房シールドが乳房上に配置されたときに、乳房シールド上にスライドするように構成される。
・乳房シールドが、ハウジングに対して所定の位置にラッチする。
・ハウジング内のボールベアリングなどのばねプランジャが乳房シールドの小さなくぼみに位置するときに、乳房シールドがハウジングに対して所定の位置にラッチする。
・乳房シールドが、磁石を使用してハウジングに対して所定の位置にラッチする。
・乳房シールドが、（ａ）ハウジング内のエアポンプシステムによって陰圧の空気圧が加えられると曲がり、（ｂ）乳を搾り出させるために、乳房及び／または乳頭を乳房シールドに対して引っ張るその陰圧の空気圧を伝達する可撓性隔膜を含むか、ともに動作する。
・可撓性隔膜は、清掃のため乳房シールドの隔膜ハウジング部分から取り外しできる。
・隔膜ハウジングが、陰圧の空気圧を乳房シールドの乳頭トンネルに伝達する空気穴を含み、隔膜が隔膜ハウジングから離れる及びハウジングに向かうと陰圧の空気圧が生じ、乳頭トンネル内の陰圧の空気圧により、乳房及び／または乳頭が乳房シールドに押し付けられ、乳が搾り出される。
・乳頭トンネルは、下面に、搾乳された乳が流れる開口部を含む。
・搾乳機構は、女性の乳房を囲む領域に陰圧を加えて、その乳房から乳を搾乳する閉ループ陰圧空気圧システムである。
・乳容器は、ハウジングの下面に取り付けられ、使用中の搾乳器システムの基部を形成する。
・乳容器は、機械的または磁気的にハウジングにラッチされる。
・使用者がハウジングのボタンを押すことにより、乳容器が解放される。
・乳容器は、取り外し可能なキャップと、前記蓋に着座する取り外し可能な弁とを含む。
・通常の使用において、前記乳容器は、ブラジャー内に完全に配置される。
【０２６３】
特徴３  Ｅｌｖｉｅはウェアラブルで、乳房シールドのサイジングを簡単にするための乳頭ガイド付きの澄んだ乳房シールドが含まれている
（ａ）ブラジャーの内側にフィットするように少なくとも部分的に成形され、搾乳機構を含むハウジング、及び
（ｂ）乳頭を受け入れるように形作られた実質的に透明な乳頭トンネルを含む乳房シールドであって、前記乳頭トンネルが、前記乳頭トンネルの側壁から乳頭の正しい間隔を定めるガイドラインを含む前記乳房シールド
を含む、ウェアラブル搾乳器システム。
オプション
・ガイドラインは、乳頭トンネル内に配置された乳頭の側面にほぼ平行に延びる。
・乳房シールドは、正しい間隔を与えるために、様々なサイズの乳房シールドのセットから使用者が選択する。
・乳房シールドは、乳房の上にフィットする形状の略凸面を含むワンピースの品目である。
・乳房シールドは、通常の使用のために直立に配置された場合、乳房シールドの上部から底部まで延びる中心線に対して概ね対称である。
・乳房シールドは、乳頭トンネルに挿入された乳頭の周りを円滑に回転して、乳房シールドの隔膜ハウジング部分を乳房の上部に配置するように構成されている。
・ハウジングは、ガイド部材を使用して、乳房シールドが乳房上に配置されたときに、乳房シールド上にスライドするように構成される。
・乳房シールドが、ハウジングに対して所定の位置にラッチする。
・ハウジング内のばねプランジャが乳房シールドの小さなくぼみに位置するときに、乳房シールドがハウジングに対して所定の位置にラッチする。
・乳房シールドが、磁石を使用してハウジングに対して所定の位置にラッチする。
・乳房シールドが、（ａ）ハウジング内のエアポンプシステムによって陰圧の空気圧が加えられると曲がり、（ｂ）乳を搾り出させるために、乳房及び／または乳頭を乳房シールドに対して引っ張るその陰圧の空気圧を伝達する可撓性隔膜を含むか、ともに動作する。
・可撓性隔膜は、清掃のため乳房シールドの隔膜ハウジング部分から取り外しできる。
・隔膜ハウジングが、陰圧の空気圧を乳房シールドの乳頭トンネルに伝達する空気穴を含み、隔膜が隔膜ハウジングから離れる及びハウジングに向かうと陰圧の空気圧が生じ、乳頭トンネル内の陰圧の空気圧により、乳房及び／または乳頭が乳房シールドに押し付けられ、乳が搾り出される。
・乳頭トンネルは、下面に、搾乳された乳が流れる開口部を含む。
・搾乳機構は、女性の乳房を囲む領域に陰圧を加えて、その乳房から乳を搾乳する閉ループ陰圧空気圧システムである。
【０２６４】
特徴４  Ｅｌｖｉｅはウェアラブルで、ハウジングに聴覚的に取り付けられる乳房シールドが含まれている。
（ａ）ブラジャーの内側にフィットするように少なくとも部分的に成形され、搾乳機構を含むハウジング、及び
（ｂ）乳房シールドであって、十分な力で前記ハウジング上または前記ハウジングに対してスライドされると、可聴なクリック音でラッチする機構で前記ハウジングに取り付け可能な前記乳房シールド
を含むウェアラブル搾乳器システム。
オプション
・乳房シールドは、乳房シールドの乳頭トンネルの長い寸法に平行な方向に、ハウジングの上またはハウジングに対してスライドするように構成されている。
・乳房シールドは、十分な力でハウジングから引き離されると、可聴なクリック音でハウジングから取り外し可能である。
・乳房シールドは、乳房にフィットする形状の略凸面を含むワンピースの品目である。
・乳房シールドは、通常の使用のために直立に配置された場合、乳房シールドの上部から底部まで延びる中心線に対して概ね対称である。
・乳房シールドは、乳頭トンネルに挿入された乳頭の周りを円滑に回転して、乳房シールドの隔膜ハウジング部分を乳房の上部に配置するように構成されている。
・ハウジングは、ガイド部材を使用して、乳房シールドが乳房上に配置されたときに、乳房シールド上にスライドするように構成される。
・乳房シールドが、ハウジングに対して所定の位置にラッチする。
・ハウジング内のボールベアリングなどのばねプランジャが乳房シールドの小さなくぼみに位置するときに、乳房シールドがハウジングに対して所定の位置にラッチする。
・乳房シールドが、磁石を使用してハウジングに対して所定の位置にラッチする。
・乳房シールドが、（ａ）ハウジング内のエアポンプシステムによって陰圧の空気圧が加えられると曲がり、（ｂ）乳を搾り出させるために、乳房及び／または乳頭を乳房シールドに対して引っ張るその陰圧の空気圧を伝達する可撓性隔膜を含むか、ともに動作する。
・乳房シールドがハウジングに取り付けられるとき、可撓性隔膜の縁部が、ハウジングに対して、シール、セルフシール、自己活性化シール、または締まり嵌めシールする。
・可撓性隔膜は、清掃のため乳房シールドの隔膜ハウジング部分から取り外しできる。
・隔膜ハウジングが、陰圧の空気圧を乳房シールドの乳頭トンネルに伝達する空気穴を含み、隔膜が隔膜ハウジングから離れる及びハウジングに向かうと陰圧の空気圧が生じ、乳頭トンネル内の陰圧の空気圧により、乳房及び／または乳頭が乳房シールドに押し付けられ、乳が搾り出される。
・乳頭トンネルは、下面に、搾乳された乳が流れる開口部を含む。
・搾乳機構が、女性の乳房を取り囲む領域に陰圧を加えて、その乳房から乳を搾乳する閉ループ陰圧空気圧システムである。
【０２６５】
特徴５  Ｅｌｖｉｅはウェアラブルで、１回押すとハウジングに取り付けられる乳房シールドが含まれている
（ａ）ブラジャーの内側にフィットするように少なくとも部分的に成形され、搾乳機構を含むハウジング、及び
（ｂ）単一のスライドプッシュ動作で前記ハウジングに取り付けられるように構成された乳房シールド
を含む、ウェアラブル搾乳器システム。
オプション
・乳房シールドは、乳房シールドの乳頭トンネルの長い寸法に平行な方向に、ハウジングの上またはハウジングに対してスライドするように構成されている。
・シングルプッシュ動作は、ラッチの抵抗を克服する。
・乳房シールドは、乳房にフィットする形状の略凸面を含むワンピースの品目である。
・乳房シールドは、通常の使用のために直立に配置された場合、乳房シールドの上部から底部まで延びる中心線に対して概ね対称である。
・乳房シールドは、乳頭トンネルに挿入された乳頭の周りを円滑に回転して、乳房シールドの隔膜ハウジング部分を乳房の上部に配置するように構成されている。
・ハウジングは、ガイド部材を使用して、乳房シールドが乳房上に配置されたときに、乳房シールド上にスライドするように構成される。
・乳房シールドが、ハウジングに対して所定の位置にラッチする。
・ハウジング内のボールベアリングなどのばねプランジャが乳房シールドの小さなくぼみに位置するときに、乳房シールドがハウジングに対して所定の位置にラッチする。
・乳房シールドは、磁石を使用してハウジングに対して所定の位置にラッチする。
・乳房シールドが、（ａ）ハウジング内のエアポンプシステムによって陰圧の空気圧が加えられると曲がり、（ｂ）乳を搾り出させるために、乳房及び／または乳頭を乳房シールドに対して引っ張るその陰圧の空気圧を伝達する可撓性隔膜を含むか、ともに動作する。
・乳房シールドがハウジングに取り付けられるとき、可撓性隔膜の縁部が、ハウジングに対して、シール、セルフシール、自己活性化シール、または締まり嵌めシールする。
・可撓性隔膜は、清掃のため乳房シールドの隔膜ハウジング部分から取り外しできる。
・隔膜ハウジングが、陰圧の空気圧を乳房シールドの乳頭トンネルに伝達する空気穴を含み、隔膜が隔膜ハウジングから離れる及びハウジングに向かうと陰圧の空気圧が生じ、乳頭トンネル内の陰圧の空気圧により、乳房及び／または乳頭が乳房シールドに押し付けられ、乳が搾り出される。
・乳頭トンネルは、下面に、搾乳された乳が流れる開口部を含む。
・搾乳機構は、女性の乳房を囲む領域に陰圧を加えて、その乳房から乳を搾乳する閉ループ陰圧空気圧システムである。
・乳容器は、ハウジングの下面に取り付けられ、使用中の搾乳器システムの基部を形成する。
・乳容器は、機械的または磁気的にハウジングにラッチされる。
・使用者がハウジングのボタンを押すことにより、乳容器が解放される。
・乳容器は、取り外し可能なキャップと、前記蓋に着座する取り外し可能な弁とを含む。
・通常の使用において、前記乳容器は、ブラジャー内に完全に配置される。
【０２６６】
特徴６  Ｅｌｖｉｅはウェアラブルで、上部が重くなってはおらず、乳房に対する快適で確実な吸引を確実にする
（ａ）ブラジャーの内側にフィットするように少なくとも部分的に成形され、搾乳機構を含むハウジング、及び
（ｂ）乳房シールド、
（ｃ）乳容器、
を含み、
前記ポンプシステムの重心が、前記乳容器が空のとき、実質的に（ｉ）前記ハウジングの中途高さ線、または（ｉｉ）乳頭トンネルまたは乳房シールドの充填点を通る水平線以下であり、これにより、前記ポンプを使用する女性にとって前記デバイスの上部が重くならない、ウェアラブル搾乳器システム。
オプション
・乳容器は再利用可能な乳容器で、ハウジングに接続されたときに、ハウジングの基部を形成するように配置される。
・乳容器が徐々に乳を受け取るとき、重心は使用中に下がるだけであり、ブラジャー内部のポンプの安定性が向上する。
・乳容器に移動するときに乳が下向きにのみ通り、乳頭トンネルを通過して、その後乳首トンネルの下面の開口部を通過して、直接乳容器に入る、または乳容器に取り付けられているコンポーネントに入る。
・システムは、その重心が乳容器の基部から６０ｍｍ以下で、また使用者のブラカップの上部よりも下にあるように構成されている。
・搾乳機構とその機構の電源がハウジング内に配置され、十分に低い重心を提供する。
・ポンピング機構が１つまたは複数のピエゾエアポンプであり、ピエゾエアポンプが軽量であることにより、重心が実質的に（ｉ）ハウジングの中途高さ線、または（ｉｉ）乳頭トンネルまたは乳房シールドの充填点を通る水平線以下であることが可能になる。
・搾乳機構が１つまたは複数のピエゾエアポンプであり、ピエゾエアポンプが小さいサイズであることにより、ハウジングの構成要素が、重心が実質的に（ｉ）ハウジングの中途高さ線、または（ｉｉ）乳頭トンネルまたは乳房シールドの充填点を通る水平線以下であるように配置されることが可能になる。
・搾乳機構が１つまたは複数のピエゾエアポンプであり、そのピエゾエアポンプに電力を供給するために必要な１つまたは複数のバッテリの重量が軽いため、重心を実質的に（ｉ）ハウジングの中途高さ線、または（ｉｉ）乳頭トンネルまたは乳房シールドの充填点を通る水平線以下にすることができる。
・搾乳機構は、女性の乳房を囲む領域に陰圧を加えて、その乳房から乳を搾乳する閉ループ陰圧空気圧システムである。
【０２６７】
特徴７  Ｅｌｖｉｅはウェアラブルで、便利な夜間モードがある
（ａ）搾乳機構を含むハウジング、
（ｂ）照明付きコントロールパネル、
（ｃ）夜間または使用者が指定したときに、前記コントロールパネルの照明のレベルまたは色を低減または調整する制御システム
を含む、搾乳器システム。
オプション
・搾乳器はウェアラブルであり、ハウジングはブラジャーの内側にフィットするように少なくとも部分的に成形される。
・制御システムは、「夜間モード」ボタンを使用して、ポンプ自体のハードウェアに実装されている。
・制御システムは、使用者のスマートフォンで実行されている接続されたデバイスアプリ内のソフトウェアにて実行される。
・制御システムは、接続されたデバイスアプリの照明レベルにリンクされ、そのため、接続されたアプリが「夜間モード」の場合、照明付きコントロールパネルも「夜間モード」になり、照明レベルが低くなり、またハウジングの照明付きコントロールパネルが「夜間モード」にあるとき、接続されているアプリも「夜間モード」になっている。
・搾乳機構は、女性の乳房を囲む領域に陰圧を加えて、その乳房から乳を搾乳する閉ループ陰圧空気圧システムである。搾乳機構は、静かな動作のために選択される、１つまたは複数のピエゾエアポンプである。
【０２６８】
特徴８  Ｅｌｖｉｅはウェアラブルで、乳が流れているとき、または十分流れていないときを示す触覚または視覚インジケータが含まれている
（ａ）ブラジャーの内側にフィットするように少なくとも部分的に成形され、搾乳機構を含むハウジング、
（ｂ）ブラジャーの中に隠されるように構成されているため、通常の使用では母親には見えない乳容器、
（ｃ）乳が前記乳容器に流れているかどうかを示す視覚及び／または触覚インジケータ
を含む、ウェアラブル搾乳器システム。
オプション
・触覚及び／または視覚インジケータは、基部内の容器内の液体の量及び／または高さが閾値の増加率を超えて増加しているかどうかに基づいて、ポンプが乳を搾乳するために正しく動作しているかどうかを示す
・視覚インジケータは、液体の量が増えると外観が変化するＬＥＤの列である。
・触覚及び／または視覚インジケータは、流量の推定値を示す。
・視覚インジケータは、流量の推定値を色分けして表示する。
・視覚インジケータは、容器がどれだけ充填されたかを示す。
・視覚インジケータは、接続されたコンパニオンアプリケーションのユーザインターフェイスの一部であり、スマートフォンまたはスマートウォッチやスマートリングなどの他の個人用デバイスで実行される。
・触覚インジケータは、接続されたコンパニオンアプリケーションのユーザインターフェイスの一部であり、スマートフォンまたはスマートウォッチやスマートリングなどの他の個人用デバイスで実行される。
・サブシステムは、容器内の液体の量及び／または高さを測定または推測する。
・サブシステムは、１つまたは複数の光エミッタと光検出器を使用して液体から反射された光エミッタからの光を検出し、反射光の強度を測定することにより、容器内の液体の量及び／または高さを測定または推測する。
・サブシステムは、加速度計を含むか、加速度計と通信し、加速度計からの信号を使用して、サブシステムが容器内の液体の量及び／または高さを正確に測定または推測できるほど十分に液体が静止しているかどうかを判断する。
・サブシステムは、容器の液体の上面が水平線などのベースラインに対してなす角度を測定または推測する。
・触覚及び／または視覚インジケータは、乳容器内の乳の量が事前に設定された量またはレベルに達したかどうかを示す。
・触覚及び／または視覚インジケータは、実行可能な操作のために搾乳器システムの動きが大きすぎるかどうかを示す。
・乳容器はハウジングの下部に取り付けられ、搾乳器システムの基部を形成する。
・乳容器は透明な素材でできている。
・搾乳機構は、女性の乳房を囲む領域に陰圧を加えて、その乳房から乳を搾り出す閉ループ陰圧空気圧システムである。
【０２６９】
特徴９  Ｅｌｖｉｅはウェアラブルであり、データを収集して、母親がどの変数（時刻、ポンプの速度など）が良好な乳の流れに相関するかを理解できるようにする
（ａ）搾乳機構を含むハウジング、
（ｂ）乳容器、
（ｃ）前記乳容器への乳の流れを測定または推測する測定サブシステム
を含み、
前記測定サブシステムは、乳の流量または乳の搾り出しに関する使用者定義の要件と相関するメトリックを判定するデータ分析システムにデータを提供する、搾乳器システム。
オプション
・搾乳器はウェアラブルであり、ハウジングはブラジャーの内側にフィットするように少なくとも部分的に成形される。
・使用者定義の要件は、乳の流れを強化または増加させることである。
・使用者定義の要件は、乳の流れを減らすことである。
・データ分析システムは、次のようなデータを分析する：１つ以上のセッションで搾り出された乳の量、１つ以上のセッションで搾り出された乳の速度、１つ以上のセッションで搾り出された乳の速度のプロファイル。
・データ分析システムは、次のいずれかのメトリックを判定する。ポンプ速度、単一の搾乳セッションの長さ、陰圧の空気圧または真空レベル、ピークの陰圧の空気圧または真空レベル、ポンプサイクル時間または周波数、その日の１回の搾乳セッション時間にわたるポンプ速度のプロファイルの変更。
・データ分析システムは、以下のいずれかのメトリックを判定する：母親が消費する液体の量と種類、セッション前またはセッション中の母親のリラックス状態、セッション前またはセッション中に母親が体験した静かな状態、どの全体的な乳の搾り出しプロファイルに、母親が最も密接に合致しているか。
・データ分析システムは、搾乳器システムに対してローカルであるか、スマートフォンなどの接続デバイス上で実行されているか、リモートサーバー上にあるかクラウド上にあるか、またはこれらの任意の組み合わせである。
・測定サブシステムは、基部上方の容器内の液体の量及び／または高さを測定または推測する。
・測定サブシステムは、容器内の液体の上面が水平線などのベースラインに対してなす角度を測定または推測する。
・データ分析システムにより乳の流れを改善する推奨メトリックが得られる。
・データ分析システムにより離乳のための推奨メトリックが得られる。
・データメトリックにより乳の供給のための推奨メトリックが得られる（例えば、パワー搾乳）。
・データ分析システムにより、最適なセッション開始時間または完全なセッションを逃した場合に推奨メトリックが得られる。
・データ分析システムにより、ポンプ速度、１回のポンプセッションの長さ、真空レベル、サイクル時間、１回のポンプセッションでのポンプ速度のプロファイルの変更など、搾乳機構のメトリックの自動設定が可能になる。
・データ分析システムにより、接続された多数のデバイスまたはアプリの情報を共有して、搾乳または搾乳の離乳効果を最適化できる。
・メトリックには、ポンプの使用中に女性が接続したデバイスの特定の使用状況が含まれる（例えば、視覚及び／または音声キューの検出による）。
・測定サブシステムは、容器内の液体の量及び／または高さを測定または推測する。
・測定サブシステムは、１つまたは複数の光エミッタと光検出器を使用して液体から反射された光エミッタからの光を検出し、その反射光の強度を測定することにより、容器内の液体の量及び／または高さを測定または推測する。
・測定サブシステムは、加速度計を含むか、加速度計と通信し、加速度計からの信号を使用して、測定サブシステムが容器内の液体の量及び／または高さを正確に測定または推定できるほど液体が十分に静止しているかどうかを判断する。
・乳容器は再利用可能な乳容器で、ハウジングに接続すると、ハウジングの基部を形成するように配置される。
・搾乳機構は、女性の乳房を囲む領域に陰圧を加えて、その乳房から乳を搾り出す閉ループ陰圧空気圧システムである。
【０２７０】
特徴１０  Ｅｌｖｉｅはウェアラブルで、ソーシャルメディアにエクスポートできるデータを収集する
（ａ）搾乳機構を含むハウジング、
（ｂ）乳容器、
（ｃ）データを収集し、接続されたデバイスまたはリモートアプリケーションまたはリモートサーバーに提供するデータサブシステム
を含み、
（ｄ）前記収集されたデータの全部または一部が、ソーシャルメディアまたはコミュニティ機能またはプラットフォームへの入力を提供するデータ分析システムによって使用される、搾乳器システム。
オプション
・搾乳器はウェアラブルであり、ハウジングはブラジャーの内側にフィットするように少なくとも部分的に成形される。
・データ分析システムは、次のいずれかのメトリックを分析する：１つ以上のセッションで表現される乳の量、１つ以上のセッションで表現される乳の割合、１つ以上のセッションで表現される乳の割合。
・データ分析システムは、次のいずれかのメトリックを判定する。ポンプ速度、単一の搾乳セッションの長さ、陰圧の空気圧または真空レベル、ピークの陰圧の空気圧または真空レベル、ポンプサイクル時間または周波数、その日の１回の搾乳セッション時間にわたるポンプ速度のプロファイルの変更。
・データ分析システムは、以下のいずれかのメトリックを判定する：母親が消費する液体の量と種類、セッション前またはセッション中の母親のリラックス状態、セッション前またはセッション中に母親が体験した静かな状態、どの全体的な乳の搾り出しプロファイルに、母親が最も密接に合致しているか。
・データ分析システムは、搾乳器システムに対してローカルであるか、スマートフォンなどの接続デバイス上で実行されているか、リモートサーバー上にあるかクラウド上にあるか、またはこれらの任意の組み合わせである。
・ソーシャルメディアまたはコミュニティ機能またはプラットフォームは、収集したデータを様々なプロファイルに編成する。
・ソーシャルメディアまたはコミュニティ機能またはプラットフォームにより、使用者は一連の潜在的なプロファイルから一致するプロファイルを選択できる。
・各プロファイルは、特定の種類の乳の搾り出しプロファイルに関連付けられ、各乳の搾り出しプロファイルに特に関連する情報またはアドバイスを提供する。
・情報またはアドバイスには、乳搾り出し時間、搾乳セッションの頻度、ポンプ速度、１回の搾乳セッションの長さ、真空レベル、サイクル時間、１回の搾乳セッションでの  ポンプの速度のプロファイルの変更、及び乳の搾り出し目標を達成するのを促すために母親が変更できるその他のいずれかのパラメータなど、パラメータを変えることで乳搾り出しの量を増やす方法に関するアドバイスが含まれる。
・アプリケーションは、フィットネスアプリなど、接続されたデバイス上にある他のアプリケーションに接続されている。
・収集されたデータには、他の接続済みアプリから受信したデータが含まれる。
・収集されたデータは、共有される前に匿名化される。
・サブシステムには、リモートサーバーへの直接接続のためのｗｉ−ｆｉ接続コンポーネントが含まれている。
・乳容器は再利用可能な乳容器で、ハウジングに接続すると、ハウジングの基部を形成するように配置される。
・搾乳機構は、女性の乳房を囲む領域に陰圧を加えて、その乳房から乳を搾り出す閉ループ陰圧空気圧システムである。
【０２７１】
特徴１１  Ｅｌｖｉｅはウェアラブルで、搾乳の時刻及び／または日付を保存するスマート瓶があり、新鮮なときに乳が使用されるようにする
（ａ）前記搾乳機構を含むハウジング、
（ｂ）乳容器、
を含み、
（ｃ）前記乳容器または蓋などのいずれかの関連部品には、前記乳が充填された時刻及び／または日付を保存するように自動的にプログラムされるメモリまたはタグが含まれる、
搾乳機構と乳容器を含む搾乳器システム。
オプション
・搾乳器はウェアラブルであり、ハウジングはブラジャーの内側にフィットするように少なくとも部分的に成形される。
・メモリまたはタグは、乳容器に乳の量を保存するようにプログラムされている。
・メモリまたはタグは、乳の有効期限を保存する。
・メモリまたはタグは、乳の温度または乳の周囲温度の記録を保存し、その温度記録を使用して有効期限を計算する。
・システムには時計が含まれており、乳容器に乳が充填された時刻及び／または日付を乳容器のメモリまたはタグに書き込む。
・時計はハウジング内にある。
・時計は乳容器の中にある。
・乳容器には、乳が充填された時刻及び／または日付を表示するディスプレイが含まれている。
・乳容器には、最後に乳が充填された乳の量を示すディスプレイが含まれる。
・乳容器には、左と右の乳房のどちらが含まれた乳を満たすために使用されたかを示すディスプレイが含まれている。
・メモリまたはタグがデータ通信サブシステムに接続されている。
・メモリまたはタグは、ＮＦＣタグなどのリモートで読み取り可能なメモリまたはタグであり、使用者はスマートフォンなどのリーダーデバイスで乳容器をスキャンし、容器に乳が充填された時間及び／または日付を取得でき、リーダーデバイスに表示される。
・リーダーデバイスは、特定の乳容器に乳が充填された時間及び／または日付を表示する。
・リーダーデバイスは、特定の乳容器に最後に充填された乳の量を示す。
・リーダーデバイスは、いくつかの異なる乳容器のそれぞれに充填された時間及び／または日付及び／または量を示す。
・リーダーデバイスは、特定の乳容器に含まれる乳を充填するために左乳房または右乳房のどちらが使用されたかを示す。
・サブシステムは、乳容器への乳の流れを測定または推測する。
・サブシステムは、容器内の液体の量及び／または高さを測定または推測する。
・サブシステムは、１つまたは複数の光エミッタと光検出器を使用して液体から反射された光エミッタからの光を検出し、その反射光の強度を測定することにより、容器内の液体の量及び／または高さを測定または推測する。
・サブシステムには加速度計が含まれ、加速度計からの信号を使用して、サブシステムが容器内の液体の量及び／Ｔｒ高さを正確に測定または推測できるほど十分に液体が静止しているかどうかを判断する。
・サブシステムはハウジング内にある。
・乳容器は再利用可能な乳容器で、ハウジングに接続すると、ハウジングの基部を形成するように配置される。
・搾乳機構は、女性の乳房を囲む領域に陰圧を加えて、その乳房から乳を搾り出す閉ループ陰圧空気圧システムである。
【０２７２】
特徴１２  新鮮なときに乳が確実に使用されるように、搾乳の時刻及び／または日付を保存するスマート瓶
ポンプまたは接続されたデバイス、例えばスマートフォンからのデータを使用して、充填された日付と時刻を保存するようにプログラムされたメモリまたはタグを含む、または関連付けられたスマート瓶または容器。
オプション
・容器にはワイヤレス接続が含まれ、コンパニオンアプリに接続する。
・メモリまたはタグにはＮＦＣチップが含まれており、ＮＦＣリーダーを使用して読み取られる。
・メモリまたはタグには有効期限も保存される。
・メモリまたはタグは、乳の温度または乳の周囲温度の記録を保存し、その温度記録を使用して有効期限を計算する。
・メモリまたはタグには、保存された乳の量も記憶される。
・システムには時計が含まれており、乳容器に乳が充填された時刻及び／または日付を乳容器のメモリまたはタグに書き込む。
・時計はハウジング内にある。
・時計は容器内にある。
・乳容器には、乳が充填された時刻及び／または日付を表示するディスプレイが含まれている。
・乳容器には、最後に乳が充填された乳の量を示すディスプレイが含まれる。
・乳容器には、左と右の乳房のどちらが含まれた乳を満たすために使用されたかを示すディスプレイが含まれている。
・乳容器には、有効期限を示すディスプレイが含まれている。
・メモリまたはタグがデータ通信サブシステムに接続されている。
・メモリまたはタグは、ＮＦＣタグなどのリモートで読み取り可能なメモリまたはタグであり、使用者はスマートフォンなどのリーダーデバイスで乳容器をスキャンする。
・リーダーデバイスは、特定の乳容器に乳が充填された時間及び／または日付を表示する。
・リーダーデバイスは、特定の乳容器に最後に充填された乳の量を示す。
・リーダーデバイスは、いくつかの異なる乳容器のそれぞれに充填された時間及び／または日付及び／または量を示す。
・リーダーデバイスは、特定の乳容器に含まれる乳を充填するために左乳房または右乳房のどちらが使用されたかを示す。
・リーダーデバイスは、有効期限を示す。
・容器にはワイヤレス接続が含まれており、コンパニオンアプリケーションに接続される。
・アプリケーションは、１つ以上のスマート容器のステータスを追跡し、使用者がフィードセッションに適切なスマート容器を選択できるようにする。
・ポンプはウェアラブルである。
・ポンプはブラジャーの内側にフィットする形状のハウジング内にあり、容器はハウジングに接続され、ハウジングの基部を形成するように配置された乳容器である。
・容器は乳以外の液体に使用される。
【０２７３】
特徴１３  Ｅｌｖｉｅはウェアラブルで、通常の使用中に動きの量または傾斜角を推測するセンサが含まれている
（ａ）ハウジング、
（ｂ）乳容器
を含み、
（ｃ）前記ハウジングは、センサであって、搾乳セッション中に、前記ハウジングの前記動き及び／または傾斜角を測定または判定し、前記センサの出力に応じて前記システムの動作に自動的に影響するまたは調整する、加速度計などの前記センサを含む、搾乳器システム。
オプション
・搾乳器はウェアラブルであり、ハウジングはブラジャーの内側にフィットするように少なくとも部分的に成形される。
・ハウジングの傾斜角が閾値を超える場合、システムは、音声、視覚的または触覚的アラート、または音声、触覚的及び視覚的アラート告の組み合わせを使用して、潜在的な切迫したこぼし（例えば、乳房シールドから乳が逆流することから）を母親に警告またはアラートすることにより、システムの動作に自動的に影響を与える。
・ハウジングの傾斜角が閾値を超える場合、システムは、こぼれを防ぐためにポンプを停止することによりシステムの動作を自動的に調整する。
・ハウジングの傾斜角が閾値未満に減少するとき、システムは、搾乳を自動的に再開させることによりシステムの動作を自動的に調整する
・ハウジングの傾斜角が閾値を超えた場合、システムは母親に位置変更のアラートを提供することにより、システムの動作に自動的に影響する。
・容器には、光学的に澄んでいる領域が含まれている。
・ハウジングの基部に配置された１つ以上の光エミッタ及び検出器があり、容器内の乳の傾斜角を測定または推測するサブシステムの一部として光エミッタ及びレシーバが動作する。
・サブシステムは、乳容器内の液体の量を測定し、ハウジングの測定された傾斜角も考慮する。
・傾斜角が特定の閾値を超えている場合、システムは測定された液体の量を無視する。
・サブシステムは、歩行、起立、または横臥活動などの母親の活動をセンサから導き出すまたは推論する。
・乳容器は再利用可能な乳容器で、ハウジングに接続すると、ハウジングの基部を形成するように配置される。
・サブシステムは、乳の流れデータに関連して、ハウジングの移動及び／または傾斜角のタイムスタンプ付き記録を保存する。
・システムには、ハウジングに取り付けられる乳房シールドが含まれている。
・システムには、女性の乳房を取り囲む領域に陰圧を加えてその乳房から乳を搾り出す閉ループ陰圧空気圧システムが含まれている。
【０２７４】
特徴１４  Ｅｌｖｉｅには、左乳房からの乳の搾り出しと右乳房からの乳の搾り出しの記録を切り替えるコントロールが含まれている
（ａ）ブラジャーの内側にフィットするように少なくとも部分的に成形されたハウジング、
（ｂ）乳が左乳房から搾乳されているのか、または右乳房から搾乳されているのかを使用者が表示または記録するために選択できる制御インターフェイス
を含む、ウェアラブル搾乳器システム。
オプション
・制御インターフェイスは、ハウジング上の物理インターフェイスである。
・制御インターフェイスは、ハウジング上の１つのボタンである。
・制御インターフェイスは、スマートフォンやスマートリングなどのデバイスで実行されているアプリケーションからのものである。
・ハウジングの視覚インジケータは、搾乳器システムが左乳房または右乳房のどちらに設定されているかを示す。
・左乳房の視覚インジケータは、正面から見たときに、ハウジングの右側にあり、正面から見た場合、右乳房の視覚インジケータはハウジングの左側にある。
・ハウジングが、左乳房を示すようにラベル付けされたボタンと、右乳房を示すようにラベル付けされたボタンを含み、それぞれ点灯して、どの乳房から乳が搾り出されているかを示す。
・搾乳機構は、女性の乳房を囲む領域に陰圧を加えて、その乳房から乳を搾乳する閉ループ陰圧空気圧システムである。
【０２７５】
特徴１５  Ｅｌｖｉｅには圧力センサが含まれている
（ｉ）陰圧の空気圧を適用する搾乳機構、及び（ｉｉ）前記陰圧の空気圧機構によって送達される前記陰圧を測定するように構成された空気圧センサ、及び（ｉｉｉ）乳の流れまたは乳の量を測定または推測する測定サブシステムを含む、搾乳器システム。
オプション
・システムは、空気圧測定値を前記乳の流れまたは乳の量の測定値と結合または関連付ける制御サブシステムも含む。
・制御サブシステムは、陰圧の空気圧を自動的に調整して、最適な乳の流れまたは乳の量を提供する。
・制御サブシステムは、搾乳セッション中に陰圧の空気圧を自動的に調整して、使用者によって定義された快適性の制約内で最適な乳の流れまたは乳の量を与える。
・空気圧センサは、搾乳機構によって生成された圧力を検出する。
・センサはピエゾ空気圧センサである。
・空気圧センサは、通常の乳搾り出しセッション中に陰圧の空気圧を測定する。
・空気圧センサが較正セッション中に陰圧の空気圧を測定し、システムが結果を使用して搾乳機構の動作を変化させ、それにより経時的に一貫した性能を提供する。
・空気圧センサが較正セッション中に陰圧の空気圧を測定し、システムが結果を使用して搾乳機構の動作を変化させ、異なる搾乳器システムの異なる搾乳機構がすべて一貫した能力を送達する。
・空気圧センサが較正セッション中に陰圧の空気圧を測定し、システムが結果を使用して、許容範囲内で搾乳機構が正しく動作しているかどうかを判定する。
・搾乳機構の動作は、デューティサイクルまたはポンプサイクルを変更することにより変更される。
・搾乳機構に印加される電圧を変えることにより、搾乳機構の動作が変化する。
・搾乳機構は、ピエゾエアポンプである。
・ピエゾエアポンプが閉または閉ループシステムの一部を形成する。
・ピエゾエアポンプが、乳房シールドの一部を形成する隔膜ハウジングに対してシール、セルフシール、自己活性化シール、または締まり嵌めシールを行う可撓性隔膜に陰圧を加える閉ループ陰圧空気圧システムである。
・搾乳器システムはウェアラブルで、少なくとも部分的にブラジャーの内側に収まる形状のハウジングが含まれている。
・搾乳器システムには、乳容器と、乳容器内の乳の量を自動的に測定する測定サブシステムが含まれる。
・測定サブシステムは、１つまたは複数の光エミッタと１つまたは複数の光検出器を含み、基部上方の容器内の乳の量及び／または容器内の乳の高さを測定または推測するサブシステムの一部として動作し、光検出器は、乳の表面から反射されたエミッタからの光の強度を検出し、測定する。
【０２７６】
特徴１６  Ｅｌｖｉｅには、事前設定圧力プロファイル間の微調整を可能にするマイクロコントローラが含まれている
（ｉ）陰圧の空気圧を適用する搾乳機構と、（ｉｉ）前記搾乳機構に様々な事前設定圧力プロファイルを提供し、使用者が手動で圧力を、事前設定された圧力プロファイルから利用可能な値の中間の１つまたは複数の値に変更できるようにプログラムされたマイクロコントローラを含む搾乳器システム。
オプション
・使用者は、搾乳器システムのハウジングの制御インターフェイスを使用して、手動で圧力を変更する。
・使用者は、搾乳器システムにワイヤレスで接続されているスマートフォンなどのワイヤレスデバイスで実行されているアプリケーションの制御インターフェイスを使用して、圧力を手動で変更する。
・搾乳機構の制御パラメータを変更することにより、使用者が手動で圧力を変更する。
・使用者は、搾乳機構のデューティサイクルまたはタイミングを変更することにより、手動で圧力を変更する。
・使用者は、搾乳機構に印加する電圧を変更することにより、圧力を手動で変更する。
・システムには、搾乳機構によって供給される陰圧の空気圧を測定するように構成された空気圧センサが含まれている。
・空気圧センサは、ピエゾ空気圧センサである。
・搾乳機構は、ピエゾエアポンプである。
・ピエゾエアポンプが閉または閉ループシステムの一部を形成する。
・ピエゾエアポンプが、乳房シールドの一部を形成する隔膜ハウジングに対してシール、セルフシール、自己活性化シール、または締まり嵌めシールを行う可撓性隔膜に陰圧を加える閉ループ陰圧空気圧システムである。
・圧力プロファイルは、１つ以上の最大陰圧空気圧レベルを定義する。
・圧力プロファイルは、１つまたは複数の最大の陰圧空気圧レベルを定義し、それぞれが事前に設定された時間に対する。
・圧力プロファイルは、１つ以上のサイクル時間を定義する。
・圧力プロファイルは、ピーク流量を定義する。
・搾乳器システムはウェアラブルで、少なくとも部分的にブラジャーの内側に収まる形状のハウジングが含まれている。
・搾乳器システムには、乳容器と、乳容器内の乳の量を自動的に測定する測定サブシステムが含まれる。
・測定サブシステムは、１つまたは複数の光エミッタと１つまたは複数の光検出器を含み、基部上方の容器内の乳の量及び／または容器内の乳の高さを測定または推測するサブシステムの一部として動作し、光検出器は、乳の表面から反射されたエミッタからの光の強度を検出し、測定する。
【０２７７】
特徴１７  Ｅｌｖｉｅは、使用者が体験している快適さのレベルを設定できるようにする
（ｉ）陰圧の空気圧を適用する搾乳機構と、（ｉｉ）前記搾乳機構を制御し、前記システムの使用時に使用者が経る快適さのレベルを前記使用者が手動で表示できるようにプログラムされたマイクロコントローラを含む搾乳器システム。
オプション
・使用者は、搾乳器システムのハウジングのタッチまたは音声ベースのインターフェイスを使用して、体験している快適さのレベルを手動で示す。
・使用者は、搾乳器システムにワイヤレスで接続されているスマートフォンなどのワイヤレスデバイスで実行されているアプリケーションで、タッチまたは音声ベースのインターフェイスを使用して、体験している快適さのレベルを手動で示す。
・システムは、使用者が指定した快適性レベルとポンプシステムの関連パラメータを保存する。
・システムは接続されたデバイスであり、リモートサーバーは、ポンプシステムの関連パラメータとともに使用者指定の快適性レベルを保存する。
・搾乳システムのパラメータには、搾乳強度、ピーク陰圧空気圧、流量、搾乳機構に印加される電圧、搾乳機構のデューティサイクルまたはタイミングサイクルの１つ以上が含まれる。
・システムは、ポンプシステムのパラメータを自動的に変更し、使用者はどのパラメータが許容できるかを示すことができる。
・システムには、搾乳機構によって供給される陰圧の空気圧を測定する空気圧センサが含まれている。
・空気圧センサは、ピエゾ空気圧センサである。
・搾乳機構は、ピエゾエアポンプである。
・ピエゾエアポンプが閉または閉ループシステムの一部を形成する。
・ピエゾエアポンプが、乳房シールドの一部を形成する隔膜ハウジングに対してシール、セルフシール、自己活性化シール、または締まり嵌めシールを行う可撓性隔膜に陰圧を加える閉ループ陰圧空気圧システムである。
・搾乳器システムはウェアラブルで、少なくとも部分的にブラジャーの内側に収まる形状のハウジングが含まれている。
・搾乳器システムには、乳容器と、乳容器内の乳の量を自動的に測定する測定サブシステムが含まれる。
・測定サブシステムは、１つまたは複数の光エミッタと１つまたは複数の光検出器を含み、基部上方の容器内の乳の量及び／または容器内の乳の高さを測定または推測するサブシステムの一部として動作し、光検出器は、乳の表面から反射されたエミッタからの光の強度を検出し、測定する。
【０２７８】
特徴１８  Ｅｌｖｉｅには、ポンプの動作パラメータを動的かつ自動的に変更するためのマイクロコントローラが含まれている
（ｉ）陰圧の空気圧を適用する搾乳機構と、（ｉｉ）前記搾乳機構の１つ以上のパラメータを自動的に変更し、これらのパラメータの１つ以上の異なる値の関数として乳搾り出しデータを自動的に測定または関連付けるようにプログラムされたマイクロコントローラを含む搾乳器システム。
オプション
・乳搾り出しのデータには、次のうち１つ以上が含まれる。乳搾り出し率または量；快適さ；最適な搾乳モード；バッテリ残量を考慮した最適な搾乳モード。
・システムは、最大搾乳率または量と相関する搾乳機構のパラメータを自動的に計算または識別し、そのパラメータセットを使用する。
・システムは、搾乳機構のパラメータを自動的に計算または識別し、最大搾乳率または量と相関し、これらのパラメータが使用されているときに使用者が感じる快適さが閾値を超える場合、そのパラメータセットを使用する。
・システムは、最大搾乳率または量と相関する搾乳機構のパラメータを使用者に表示する。
・システムは、最大搾乳率または量と相関する搾乳機構のパラメータを使用者に表示し、使用者が許容できる場合は使用者がそれらのパラメータを手動で選択できるようにする。
・搾乳システムのパラメータには、搾乳強度、ピーク陰圧空気圧、流量、搾乳機構に印加される電圧、搾乳機構のデューティサイクルまたはタイミングサイクルが含まれる。
・システムには、搾乳機構によって供給される陰圧の空気圧を測定する空気圧センサが含まれている。
・空気圧センサは、ピエゾ空気圧センサである。
・搾乳機構は、ピエゾエアポンプである。
・ピエゾエアポンプが閉または閉ループシステムの一部を形成する。
・ピエゾエアポンプが、乳房シールドの一部を形成する隔膜ハウジングに対してシール、セルフシール、自己活性化シール、または締まり嵌めシールを行う可撓性隔膜に陰圧を加える閉ループ陰圧空気圧システムである。
・搾乳器システムはウェアラブルで、少なくとも部分的にブラジャーの内側に収まる形状のハウジングが含まれている。
・搾乳器システムには、乳容器と、乳容器内の乳の量を自動的に測定する測定サブシステムが含まれる。
・測定サブシステムは、１つまたは複数の光エミッタと１つまたは複数の光検出器を含み、基部上方の容器内の乳の量及び／または容器内の乳の高さを測定または推測するサブシステムの一部として動作し、光検出器は、乳の表面から反射されたエミッタからの光の強度を検出し、測定する。
【０２７９】
特徴１９  Ｅｌｖｉｅは、排出の最適条件を自動的に学習する
（ｉ）陰圧の空気圧を適用する搾乳機構と、（ｉｉ）前記搾乳機構の１つ以上のパラメータを自動的に変更し、乳排出の開始を自動的に検出するようにプログラムされたマイクロコントローラを含む搾乳器システム。
オプション
・マイクロコントローラは、搾乳機構の１つまたは複数のパラメータを動的に変更するようにプログラムされており、乳の排出に関するパラメータを学習または最適化できる。
・システムは、乳排出の最も早い開始と相関する搾乳機構のパラメータを自動的に計算、識別、または学習する。
・システムは、乳排出の最速開始と相関する搾乳機構のパラメータを自動的に計算または識別または学習し、これらのパラメータが使用されているときに使用者が感じる快適さが閾値を超えるか、さもなければ使用者に受け入れられる場合、パラメータのセットを用いる。
・システムは、使用者への乳排出の最も早い開始と相関する搾乳機構のパラメータを表示する。
・システムは、乳排出の最も早い開始と相関する搾乳機構のパラメータを表示し、使用者が許容できる場合、使用者がそれらのパラメータを手動で選択できるようにする。
・搾乳システムのパラメータには、搾乳強度、ピーク陰圧空気圧、流量、搾乳機構に印加される電圧、搾乳機構のデューティサイクルまたはタイミングサイクルが含まれる。
・システムには、搾乳機構によって供給される陰圧の空気圧を測定する空気圧センサが含まれる。
・空気圧センサは、ピエゾ空気圧センサである。
・搾乳機構は、ピエゾエアポンプである。
・ピエゾエアポンプが閉または閉ループシステムの一部を形成する。
・ピエゾエアポンプが、乳房シールドの一部を形成する隔膜ハウジングに対してシール、セルフシール、自己活性化シール、または締まり嵌めシールを行う可撓性隔膜に陰圧を加える閉ループ陰圧空気圧システムである。
・搾乳器システムはウェアラブルで、少なくとも部分的にブラジャーの内側に収まる形状のハウジングが含まれている。
・搾乳器システムには、乳容器と、乳容器内の乳の量を自動的に測定する測定サブシステムが含まれる。
・測定サブシステムは、１つまたは複数の光エミッタと１つまたは複数の光検出器を含み、基部上方の容器内の乳の量及び／または容器内の乳の高さを測定または推測するサブシステムの一部として動作し、光検出器は、乳の表面から反射されたエミッタからの光の強度を検出し、測定する。
【０２８０】
Ｂ．Ｅｌｖｉｅピエゾエアポンプ特徴クラスタ
特徴２０  Ｅｌｖｉｅはウェアラブルで、静かな動作のためのピエゾエアポンプを備えている
（ａ）ブラジャーの内側にフィットするように少なくとも部分的に成形されたハウジング、
（ｂ）陰圧の空気圧を生成するための個別の変形可能な隔膜を駆動する閉ループシステムの一部である、前記ハウジング内のピエゾエアポンプ
を含む、ウェアラブル搾乳器システム。
オプション
・ハウジング内の変形可能な隔膜は、ピエゾポンプによって生成される陰圧によって駆動される。
・ピエゾエアポンプは、ハウジングの基部またはその近くに配置されている。
・２つ以上のピエゾエアポンプがある。
・２つ以上のピエゾエアポンプが直列に配置されている。
・２つ以上のピエゾエアポンプが並列に取り付けられている。
・閉じたシステムは、可撓性隔膜によって「乳」側から分離されている。
・変形可能な隔膜は、乳房シールドの一部に取り外し可能に取り付けられている。
・変形可能な隔膜は、乳房シールドの一部に対して取り外し可能に取り付けられた単一またはワンピースの物体である。
・変形可能な隔膜は、ピエゾエアポンプに物理的に接続されていない。
・ピエゾエアポンプは、乳房シールドに直接取り外し可能にフィットする物理的に分離した遠隔変形可能な隔膜を駆動する閉ループエアポンプである。
・変形可能な隔膜は、乳房シールドの一体部分である隔膜ハウジング上に取り外し可能に着座する可撓性の略円形の隔膜である。
・隔膜ハウジングが、陰圧の空気圧を乳房シールドの乳頭トンネルに伝達する空気穴を含み、隔膜が隔膜ハウジングから離れるときに陰圧の空気圧が生じ、乳頭トンネル内の陰圧の空気圧により、乳房及び／または乳頭が乳房シールドに押し付けられ、乳が搾り出される。
・ピエゾエアポンプは、４００ｍＢａｒ（４０ｋＰａ）を超える失速圧力及び毎分１．５リットルの自由空気流を送達する。
・ピエゾエアポンプの重量は１０ｇｍ未満で、６ｇｍ未満の場合がある。
・動作において、搾乳器システムは、２０ｄＢの周囲ノイズに対して、最大電力で３０ｄＢ未満、通常電力で２５ｄＢ未満のノイズを発生させる。
・動作において、搾乳器システムは、２０ｄＢの周囲ノイズに対して、最大電力で約２４ｄＢ、通常電力で２２ｄＢのノイズを発生する。
・ピエゾポンプには、エアフィルタを通過する空気が供給される。
・ピエゾエアポンプは、女性の乳房を取り囲む領域に陰圧を加えて、その乳房から乳を搾り出す閉ループ陰圧空気圧システムである。
【０２８１】
特徴２１  Ｅｌｖｉｅには、ピエゾエアポンプとセルフシール隔膜がある
（ａ）ハウジング、
（ｂ）陰圧の空気圧を生成するために物理的に分離された変形可能なセルフシールの隔膜を駆動する閉ループシステムの一部である前記ハウジング内のピエゾエアポンプ
を含む、搾乳器システム。
オプション
・搾乳器はウェアラブルであり、ハウジングはブラジャーの内側にフィットするように少なくとも部分的に成形される。
・ピエゾエアポンプは、ハウジングの基部またはその近くに配置されている。
・２つ以上のピエゾエアポンプがある。
・２つ以上のピエゾエアポンプが直列に配置されている。
・２つ以上のピエゾエアポンプが並列に取り付けられている。
・閉じたシステムは、可撓性隔膜によって「乳」側から分離されている。
・変形可能な隔膜は、乳房シールドの一部に取り外し可能に取り付けられている。
・変形可能な隔膜は、乳房シールドの一部に対して取り外し可能に取り付けられた単一またはワンピースの物体である。
・変形可能な隔膜は、ピエゾエアポンプに物理的に接続されていない。
・ピエゾエアポンプは、乳房シールドに直接取り外し可能にフィットする物理的に分離した遠隔変形可能な隔膜を駆動する閉ループエアポンプである。
・変形可能な隔膜は、乳房シールドの一体部分である隔膜ハウジング上に取り外し可能に着座する可撓性の略円形の隔膜である。
・隔膜ハウジングが、陰圧の空気圧を乳房シールドの乳頭トンネルに伝達する空気穴を含み、隔膜が隔膜ハウジングから離れるときに陰圧の空気圧が生じ、乳頭トンネル内の陰圧の空気圧により、乳房及び／または乳頭が乳房シールドに押し付けられ、乳が搾り出される。
・ピエゾエアポンプは、４００ｍＢａｒ（４０ｋＰａ）を超える失速圧力及び毎分１．５リットルの自由空気流を送達する。
・ピエゾエアポンプの重量は１０ｇｍ未満で、６ｇｍ未満の場合がある。
・動作において、搾乳器システムは、２０ｄＢの周囲ノイズに対して、最大電力で３０ｄＢ未満、通常電力で２５ｄＢ未満のノイズを発生させる。
・動作において、搾乳器システムは、２０ｄＢの周囲ノイズに対して、最大電力で約２４ｄＢ、通常電力で２２ｄＢのノイズを発生する。
・ピエゾポンプには、エアフィルタを通過する空気が供給される。
・ピエゾエアポンプは、女性の乳房を取り囲む領域に陰圧を加えて、その乳房から乳を搾り出す閉ループ陰圧空気圧システムである。
【０２８２】
特徴２２  Ｅｌｖｉｅは、複数のピエゾエアポンプを直列で使用する
（ａ）ハウジング、
（ｂ）陰圧の空気圧を生成するために前記ハウジング内の変形可能な隔膜を駆動し、直列接続モードと並列接続モードで複数のピエゾエアポンプを異なる時間に動作させることができる、前記ハウジング内の前記複数のピエゾエアポンプ
を含む、搾乳器システム。
オプション
・搾乳器はウェアラブルであり、ハウジングはブラジャーの内側にフィットするように少なくとも部分的に成形される。
・搾乳サイクルの最初の部分で、並列接続モードを使用して、直列接続モードよりも早く定義された陰圧空気圧に到達し、その後システムは直列接続モードに切り替えて、直列接続モードが到達し得るよりも大きな陰圧空気圧に到達する。
・アクチュエータは、システムを並列接続のピエゾポンプモードから直列接続のピエゾポンプモードに切り替える。
・各ピエゾポンプは、４００ｍＢａｒ（４０ｋＰａ）を超える失速圧と、１．５リットル／分の自由空気流を供給する。
・各ピエゾエアポンプの重量は１０ｇｍ未満で、６ｇｍ未満の場合がある。
・動作において、搾乳器システムは、２０ｄＢの周囲ノイズに対して、最大電力で３０ｄＢ未満、通常電力で２５ｄＢ未満のノイズを発生させる。
・動作において、搾乳器システムは、２０ｄＢの周囲ノイズに対して、最大電力で約２４ｄＢ、通常電力で２２ｄＢのノイズを発生する。
・ピエゾポンプには、エアフィルタを通過する空気が供給される。
・ピエゾエアポンプが閉または閉ループシステムの一部を形成する。
・各ピエゾエアポンプは、ハウジングの基部またはその近くに配置される。
・２つ以上のピエゾエアポンプがある。
・ピエゾエアポンプは、女性の乳房を取り囲む領域に陰圧を加えて、その乳房から乳を搾り出す閉ループ陰圧空気圧システムである。
・ピエゾエアポンプが、乳房シールドの一部を形成する隔膜ハウジングに対してシール、セルフシール、自己活性化シール、または締まり嵌めシールを行う可撓性隔膜に陰圧を加える閉ループ陰圧空気圧システムである。
【０２８３】
特徴２３  Ｅｌｖｉｅはウェアラブルで、ピエゾエアポンプ、乳房シールド、及び乳房シールドに直接適合する隔膜を備えている
（ａ）ブラジャーの内側にフィットするように少なくとも部分的に成形されたハウジング、
（ｂ）前記ハウジングに取り付けられる乳房シールド、
（ｂ）前記乳房シールドに直接適合する変形可能な隔膜を駆動する、前記ハウジング内のピエゾエアポンプ
を含む、ウェアラブル搾乳器システム。
オプション
・変形可能な隔膜は、乳房シールドの一体部分である隔膜ハウジング上に取り外し可能に着座する可撓性の略円形の隔膜である。
・変形可能な隔膜は、洗浄のために隔膜ハウジングから取り外し可能である。
・隔膜ハウジングが、陰圧の空気圧を乳房シールドの乳頭トンネルに伝達する空気穴を含み、隔膜が隔膜ハウジングから離れるときに陰圧の空気圧が生じ、乳頭トンネル内の陰圧の空気圧により、乳房及び／または乳頭が乳房シールドに押し付けられ、乳が搾り出される。
・ピエゾエアポンプが閉または閉ループシステムの一部を形成する。
・ピエゾエアポンプは、女性の乳房を取り囲む領域に陰圧を加えて、その乳房から乳を搾り出す閉ループ陰圧空気圧システムである。
・ピエゾエアポンプが、乳房シールドの一部を形成する隔膜ハウジングに対してシール、セルフシール、自己活性化シール、または締まり嵌めシールを行う可撓性隔膜に陰圧を加える閉ループ陰圧空気圧システムである。
・ピエゾエアポンプは、ハウジングの基部またはその近くに配置されている。
・２つ以上のピエゾエアポンプがある。
・２つ以上のピエゾエアポンプが直列に配置されている。
・２つ以上のピエゾエアポンプが並列に取り付けられている。
・ピエゾエアポンプは、４００ｍＢａｒ（４０ｋＰａ）を超える失速圧力及び毎分１．５リットルの自由空気流を送達する。
・ピエゾエアポンプの重量は１０ｇｍ未満で、６ｇｍ未満の場合がある。
・動作において、搾乳器システムは、２０ｄＢの周囲ノイズに対して、最大電力で３０ｄＢ未満、通常電力で２５ｄＢ未満のノイズを発生させる。
・動作において、搾乳器システムは、２０ｄＢの周囲ノイズに対して、最大電力で約２４ｄＢ、通常電力で２２ｄＢのノイズを発生する。
・乳房シールド及び乳容器がそれぞれ、ハウジングと係合するように圧迫されるまたは押される。
・乳房シールド及び乳容器がそれぞれ、ハウジングとラッチ係合するように圧迫されるまたは押される。
・乳房シールドと乳容器は、クリックなどの可聴音で確認された動作を使用して、それぞれハウジングに挿入及び取り外しできる。
・乳房シールドは、乳房にフィットする形状の略凸面と、乳頭を受け入れる形状の乳頭トンネルを含むワンピースの品目である。
・乳房シールドは、通常の使用のために直立に配置された場合、乳房シールドの上部から底部まで延びる中心線に対して概ね対称である。
・乳房シールドは、乳頭トンネルに挿入された乳頭の周りを円滑に回転して、乳房シールドの隔膜ハウジング部分を乳房の上部に配置するように構成されている。
・乳房シールドは、ガイド部材を使用してハウジング内にスライドする。
・ハウジングは、ガイド部材を使用して、乳房シールドが乳房上に配置されたときに、乳房シールド上にスライドするように構成される。
・乳房シールドが、ハウジングに対して所定の位置にラッチする。
・ハウジング内のボールベアリングなどのばねプランジャが乳房シールドの小さなくぼみに位置するときに、乳房シールドがハウジングに対して所定の位置にラッチする
【０２８４】
特徴２４  Ｅｌｖｉｅはウェアラブルで、静かな操作のためのピエゾエアポンプと、便利さのための再利用可能な剛性乳容器を備えている
（ａ）ブラジャーの内側にフィットするように少なくとも部分的に成形されたハウジング、
（ｂ）前記ハウジング内のピエゾエアポンプ、及び
（ｃ）前記ハウジングに接続されたときに前記ハウジングの一体部分を形成し、また前記ハウジングから取り外し可能な、再利用可能で剛性または折り畳めない乳容器
を含む、ウェアラブル搾乳器システム。
オプション
・ピエゾエアポンプが閉または閉ループシステムの一部を形成する。
・ピエゾエアポンプは、ハウジングの基部またはその近くに配置されている。
・２つ以上のピエゾエアポンプがある。
・２つ以上のピエゾエアポンプが直列に配置されている。
・２つ以上のピエゾエアポンプが並列に取り付けられている。
・ピエゾエアポンプが、女性の乳房を取り囲む領域に陰圧を加えて、その乳房から乳を搾乳する閉ループ陰圧空気圧システムである。
・閉じたシステムは、可撓性隔膜によって「乳」側から分離されている。
・ハウジング内の変形可能な隔膜は、ピエゾポンプによって生成される陰圧の空気圧によって駆動される。
・ピエゾエアポンプは、乳房シールドに直接取り外し可能にフィットする物理的に分離した遠隔変形可能なセルフシール隔膜を駆動する閉ループ陰圧空気圧システムである。
・変形可能な隔膜は、乳房シールドの一体部分である隔膜ハウジング上に取り外し可能に着座する可撓性の略円形の隔膜である。
・変形可能な隔膜は、洗浄のために隔膜ハウジングから取り外し可能である。
・隔膜ハウジングが、陰圧の空気圧を乳房シールドの乳頭トンネルに伝達する空気穴を含み、隔膜が隔膜ハウジングから離れる及びハウジングに向かうと陰圧の空気圧が生じ、乳頭トンネル内の陰圧の空気圧により、乳房及び／または乳頭が乳房シールドに押し付けられ、乳が搾り出される。
・乳房シールドの乳頭トンネルには、搾乳された乳が直接乳容器に流れるように配置された下面に開口部がある。
・ピエゾポンプは、４００ｍＢａｒ（４０ｋＰａ）を超える失速圧力と、毎分１．５リットルの自由空気流を供給する。
・ピエゾエアポンプの重量は１０ｇｍ未満で、６ｇｍ未満の場合がある。
・動作中、搾乳器システムは、２０ｄＢの周囲ノイズに対して、最大電力で３０ｄＢ未満、通常電力で２５ｄＢ未満のノイズを発生する。
・動作中、搾乳器システムは、２０ｄＢの周囲ノイズに対して、最大電力で約２４ｄＢ、通常電力で２２ｄＢのノイズを発生する。
・乳容器はシステムの基部を形成する。
・乳容器は平らな基部を備えているため、表面に安定して置くことができる。
・乳容器はハウジングから取り外し可能である。
・乳容器には、収集された乳の量を示す明瞭または透明な壁またはセクションが含まれている。
・乳容器は、保管のためにシールできる。
・乳容器により、消耗品または交換可能な乳用ポーチが不要になる。
【０２８５】
特徴２５  Ｅｌｖｉｅは、静かな動作のためのピエゾポンプを備えており、接続されるデバイスである
（ａ）ハウジング、
（ｂ）前記ハウジング内のピエゾエアポンプ、
（ｃ）乳容器、
（ｄ）前記ピエゾエアポンプの前記動作に関連するデータ収集と、そのデータのデータ分析システムへの送信を可能にするデータ接続モジュール。
を含む、搾乳器システム
オプション
・搾乳器はウェアラブルであり、ハウジングはブラジャーの内側にフィットするように少なくとも部分的に成形される。
・送信は、スマートフォン、サーバー、クラウドなどの接続デバイス上で実行されているアプリケーションに送信される。
・データの収集と送信は、システムの他のいずれかの運用データに関連している。
・ピエゾエアポンプは、閉または閉ループシステムの一部を形成する。
・ピエゾエアポンプは、ハウジングの基部またはその近くに配置されている。
・２つ以上のピエゾエアポンプがある。
・２つ以上のピエゾエアポンプが直列に配置されている。
・２つ以上のピエゾエアポンプが並列に取り付けられている。
・ピエゾエアポンプは、女性の乳房を取り囲む領域に陰圧を加えて、その乳房から乳を搾り出す閉ループ陰圧空気圧システムである。
・ピエゾエアポンプは、乳房シールドに直接取り外し可能にフィットする物理的に分離した遠隔変形可能なセルフシール隔膜を駆動する閉ループ陰圧空気圧システムである。
・閉じたシステムは、可撓性隔膜によって「乳」側から分離されている。
・ハウジング内の変形可能な隔膜は、ピエゾポンプによって生成される陰圧の空気圧によって駆動される。
・変形可能な隔膜は、乳房シールドの一体部分である隔膜ハウジング上に取り外し可能に着座する可撓性の略円形の隔膜である。
・変形可能な隔膜は、洗浄のために隔膜ハウジングから取り外し可能である。
・隔膜ハウジングが、陰圧の空気圧を乳房シールドの乳頭トンネルに伝達する空気穴を含み、隔膜が隔膜ハウジングから離れる及びハウジングに向かうと陰圧の空気圧が生じ、乳頭トンネル内の陰圧の空気圧により、乳房及び／または乳頭が乳房シールドに押し付けられ、乳が搾り出される。
・乳房シールドの乳頭トンネルには、搾乳された乳が直接乳容器に流れるように配置された下面に開口部がある。
・ピエゾポンプは、４００ｍＢａｒ（４０ｋＰａ）を超える失速圧力と、毎分１．５リットルの自由空気流を供給する。
・ピエゾエアポンプの重量は１０ｇｍ未満で、６ｇｍ未満の場合がある。
・動作中、搾乳器システムは、２０ｄＢの周囲ノイズに対して、最大電力で３０ｄＢ未満、通常電力で２５ｄＢ未満のノイズを発生する。
・動作中、搾乳器システムは、２０ｄＢの周囲ノイズに対して、最大電力で約２４ｄＢ、通常電力で２２ｄＢのノイズを発生する。
・サブシステムは、容器内の液体の量及び／または高さを測定または推測し、そのデータをデータ接続モジュールと共有する。
・サブシステムは、１つまたは複数の光エミッタと光検出器を使用して液体から反射された光エミッタからの光を検出し、反射光の強度を測定することにより、容器内の液体の量及び／または高さを測定または推測する。
・サブシステムには加速度計が含まれ、加速度計からの信号を使用して、サブシステムが容器内の液体の量及び／または高さを正確に測定または推測できるほど十分に液体が静止しているかどうかを判断する。
・データ分析システムは、次のいずれかの指標を分析する。１つ以上のセッションで搾り出される乳の量、１つ以上のセッションで搾り出される乳の率、１つ以上のセッションで搾り出される乳の率のプロファイル。
・データ分析システムは、次のいずれかのメトリックを分析する。ポンプ速度、単一の搾乳セッションの長さ、陰圧の空気圧または真空レベル、ピークの陰圧の空気圧または真空レベル、ポンプサイクル時間または周波数、その日の１回の搾乳セッション時間にわたるポンプ速度のプロファイルの変更。
・データ分析システムは、以下のいずれかのメトリックを判定する：母親が消費する液体の量と種類、セッション前またはセッション中の母親のリラックス状態、セッション前またはセッション中に母親が体験した静かな状態、どの全体的な乳の搾り出しプロファイルに、母親が最も密接に合致しているか。
【０２８６】
特徴２６  Ｅｌｖｉｅは、ポンプで発生する熱を管理するヒートシンクとピエゾを組み合わせて使用する
（ａ）ハウジング、
（ｂ）前記ハウジング内の変形可能な隔膜を駆動して陰圧の空気圧を生成する、前記ハウジング内のピエゾエアポンプ、
（ｃ）前記ピエゾエアポンプが生成する前記熱を管理して、快適に着用できるのを確実にするためのヒートシンク
を含む、搾乳器システム。
オプション
・ヒートシンクは、皮膚と接触する可能性のある搾乳器システムのいずれかの部品の最高温度、特に１分超の長時間の接触が４８℃以下、好ましくは４３℃以下であることを確実にするために使用するよう構成される。
・搾乳器はウェアラブルであり、ハウジングはブラジャーの内側にフィットするように少なくとも部分的に成形される。
・ヒートシンクは排気口に接続されているため、ピエゾポンプで暖められた空気は大気に排出される。
・ヒートシンクは乳房シールドを温める。
・ピエゾエアポンプは、閉または閉ループシステムの一部を形成する。
・ピエゾエアポンプは、ハウジングの基部またはその近くに配置されている。
・２つ以上のピエゾエアポンプがある。
・２つ以上のピエゾエアポンプがあり、それぞれ独自のまたは共有のヒートシンクに接続されている。
・２つ以上のピエゾエアポンプが直列に配置されている。
・２つ以上のピエゾエアポンプが並列に取り付けられている。
・ピエゾエアポンプは、女性の乳房を取り囲む領域に陰圧を加えて、その乳房から乳を搾り出す閉ループ陰圧空気圧システムである。
・ピエゾエアポンプは、乳房シールドに直接取り外し可能にフィットする物理的に分離した遠隔変形可能なセルフシール隔膜を駆動する閉ループ陰圧空気圧システムである。
・閉じたシステムは、可撓性隔膜によって「乳」側から分離されている。
・ハウジング内の変形可能な隔膜は、ピエゾポンプによって生成される陰圧の空気圧によって駆動される。
・変形可能な隔膜は、乳房シールドの一体部分である隔膜ハウジング上に取り外し可能に着座する可撓性の略円形の隔膜である。
・変形可能な隔膜は、洗浄のために隔膜ハウジングから取り外し可能である。
・隔膜ハウジングが、陰圧の空気圧を乳房シールドの乳頭トンネルに伝達する空気穴を含み、隔膜が隔膜ハウジングから離れるときに陰圧の空気圧が生じ、乳頭トンネル内の陰圧の空気圧により、乳房及び／または乳頭が乳房シールドに押し付けられ、乳が搾り出される。
・乳房シールドの乳頭トンネルには、搾乳された乳が直接乳容器に流れるように配置された下面に開口部がある。
・ピエゾポンプは、４００ｍＢａｒ（４０ｋＰａ）を超える失速圧力と、毎分１．５リットルの自由空気流を供給する。
・ピエゾエアポンプの重量は１０ｇｍ未満で、６ｇｍ未満の場合がある。
・動作中、搾乳器システムは、２０ｄＢの周囲ノイズに対して、最大電力で３０ｄＢ未満、通常電力で２５ｄＢ未満のノイズを発生する。
・動作中、搾乳器システムは、２０ｄＢの周囲ノイズに対して、最大電力で約２４ｄＢ、通常電力で２２ｄＢのノイズを発生する。
【０２８７】
特徴２７  Ｅｌｖｉｅはウェアラブルで、陰圧エアポンプからの空気で膨張させた小さなブラダを使って母親の乳房を優しくマッサージする
（ａ）ハウジング、
（ｂ）女性の乳房を取り囲む領域に陰圧を加えてその乳房から搾乳する閉ループ陰圧空気圧システムを駆動する前記ハウジング内のエアポンプ
を含み、
（ｃ）前記エアポンプは、前記乳房の１つまたは複数の部分をマッサージするように構成された１つまたは複数の空気ブラダまたはライナーを定期的または連続的に膨張させるための空気も提供する、搾乳器システム。
オプション
・エアポンプはピエゾポンプである。
・搾乳器システムはウェアラブルで、ハウジングは少なくとも部分的にブラジャーの内側に収まる形状になっている。
・ブラダまたはライナーは、ハウジングに取り付けられる乳房シールドに形成される。
【０２８８】
特徴２８  Ｅｌｖｉｅはウェアラブルで、陰圧エアポンプからの温かい空気で膨張させた小さなチャンバを使用して、母親の乳房を優しく温める
（ａ）ハウジング、
（ｂ）女性の乳房を取り囲む領域に陰圧を加えてその乳房から搾乳する閉ループ陰圧空気圧システムを駆動する前記ハウジング内のピエゾポンプなどのエアポンプ
を含み、
（ｃ）前記エアポンプは、前記乳房の１つ以上の部分に温かさを加えるように構成された１つ以上の空気チャンバを定期的または連続的に膨張させる温かい空気も提供する、
搾乳器システム。
オプション
・搾乳器システムはウェアラブルで、ハウジングは少なくとも部分的にブラジャーの内側に収まる形状になっている。
・空気チャンバは、ハウジングに取り付けられた乳房シールドに配置された変形可能な隔膜である。
【０２８９】
Ｃ．Ｅｌｖｉｅ乳容器特徴クラスタ
特徴２９  Ｅｌｖｉｅはウェアラブルで、ブラジャーの内側に快適にフィットするように、ポンプの下部を形成する再利用可能な剛性乳容器が含まれている
（ａ）ブラジャーの内側にフィットするように曲面で少なくとも部分的に形成され、搾乳機構を含むハウジング、及び
（ｂ）前記ハウジングに接続されたときに、前記ハウジングの一体型下部を形成する再利用可能な剛性または折り畳めない乳容器であって、前記ハウジングの曲面形状を継続するように成形され、前記ブラジャーの内側に快適に保持され得るようにする、前記乳容器
を含むよう構成される、ウェアラブル搾乳器システム。
オプション
・乳容器はシステムの基部を形成する。
・乳容器は平らな基部を備えているため、表面に安定して置くことができる。
・乳容器は、プッシュ動作でハウジングに取り付けられる。
・乳容器には、収集された乳の量を示す明瞭または透明な壁またはセクションが含まれている。
・乳容器は、保管のためにシールできる。
・乳容器により、消耗品または交換可能な乳ポーチが不要になる。
・乳容器には、乳房シールドの乳頭トンネルの開口部の真下にある開口部、注ぎ口、または蓋があり、搾り出された乳は重力で乳頭トンネルの開口部から乳容器に流れ込む。
・乳容器には、乳房シールドの開口部に対して搾乳機構からの陰圧の空気圧でセルフシールする開口部、注ぎ口、または蓋が含まれ、乳は開口部を通って乳容器に重力で流れる。
・乳容器はブロー成形構造を使用して作られている。
・乳容器には、直径３ｃｍ以上の掃除を容易にするために大きな直径の開口部がある。
・大きな開口部は、一体型の注ぎ口を備えたバヨネット取り付けキャップで閉じられている。
・可撓性のゴム製弁またはエラストマー製の弁がキャップまたは注ぎ口に取り付けられ、エアポンプ機構によって陰圧の空気圧が加えられたときにシールされたままになるゴム製またはエラストマー製のダックビル弁を含み、陰圧の空気圧を乳容器にかけないことを確実にするようにする。
・搾乳機構は、女性の乳房を取り囲む領域に陰圧を加えて、乳房から乳を搾り出す閉ループ陰圧空気圧システムである。
【０２９０】
特徴３０  Ｅｌｖｉｅはウェアラブルで、シンプルなプッシュトゥラッチ動作でハウジングにラッチする乳容器が含まれている
（ａ）ブラジャーの内側にフィットするように少なくとも部分的に成形され、搾乳機構を含むハウジング、及び
（ｂ）乳容器であって、前記ハウジングに１回のプッシュ動作で十分に押し付けられると、取り外し可能に取り付けまたはラッチする機構で前記ハウジングに取り付け可能な前記乳容器
を含む、ウェアラブル搾乳器システム。
オプション
・乳容器には、乳房シールドの開口部に対して搾乳機構からの陰圧の空気圧でセルフシールする開口部、注ぎ口、または蓋が含まれ、乳は開口部を通って乳容器に重力で流れる。
・乳容器は、ハウジングに接続されると、ハウジングの下部全体を形成し、片手で操作できる解放機構でハウジングから取り外し可能である。
・取り外し可能に取り付けまたはラッチする機構は、機械的または磁気的な機構である。
・機械的機構には、乳容器の上部にあるフランジ、または乳容器がハウジング内へとロックするためにハウジングに押されるとき、その表面に対してラッチ位置を占めるよう表面と係合及び通過する、含まれる乳への開口部をシールするシーリングプレートが含まれる。
・ハウジングにはボタンがあり、押したときにフランジから離れるように表面を曲げることで、乳容器をハウジングから解放し、フランジが表面にかみ合わなくなり、ラッチが掛からなくなるようにする。
・乳容器を所定の位置に固定または固定する機構は、カチッという音がする。
・乳容器はシステムの基部を形成する。
・乳容器は平らな基部を備えているため、表面に安定して置くことができる。
・ラッチを解除し、ハウジングを乳容器から外すことにより、乳容器をハウジングから取り外すことができる。
・乳容器には、収集された乳の量を示す明瞭または透明な壁またはセクションが含まれている。
・乳容器は、保管のためにシールできる。
・乳容器により、消耗品または交換可能な乳用ポーチが不要になる。
・乳容器には、乳房シールドの乳頭トンネルの開口部の真下に位置する開口部が含まれており、搾り出された乳は重力によって乳頭トンネルの開口部から乳容器に流れ込む。
・乳容器はブロー成形構造を使用して作られている。
・乳容器には、直径３ｃｍ以上の掃除を容易にするために大きな直径の開口部がある。
・大きな開口部は、一体型の注ぎ口を備えたバヨネット取り付けキャップで閉じられている。
・可撓性のゴム製弁またはエラストマー製の弁がキャップまたは注ぎ口に取り付けられ、エアポンプによって陰圧の空気圧が加えられたときにシールされたままになるゴム製またはエラストマー製のダックビル弁を含み、陰圧の空気圧を乳容器にかけないことを確実にするようにする。
・搾乳機構は、女性の乳房を取り囲む領域に陰圧を加えて、乳房から乳を搾り出す閉ループ陰圧空気圧システムである。
【０２９１】
特徴３１  Ｅｌｖｉｅはウェアラブルで、便利さのための一体の乳注ぎ口を備える取り外し可能な乳容器が含まれている
（ａ）ブラジャーの内側にフィットするように少なくとも部分的に成形され、搾乳機構を含むハウジング、及び
（ｂ）再利用可能な乳容器であって、前記ポンプの前記曲面の形状または乳房様の形状を継続するように形作られた表面で前記ハウジングに接続され、前記ポンプがブラジャーの内側で快適に保持できるようにし、その場合に乳を注ぐための注ぎ口を前記乳容器が含む、前記再利用可能な乳容器
を含む、ウェアラブル搾乳器システム。
オプション
・注ぎ口は乳容器に一体型である。
・注ぎ口は、乳容器の取り外し可能な蓋に一体型である。
・注ぎ口は、乳容器の前端またはその近くに配置される。
・注ぎ口は、容器から切り取るなどして、容器から取り外し可能である。
・乳頭は注ぎ口に取り付け可能である。
・可撓性のゴム製弁またはエラストマー製の弁がキャップまたは注ぎ口に取り付けられ、エアポンプによって陰圧の空気圧が加えられたときにシールされたままになるゴム製またはエラストマー製のダックビル弁を含み、陰圧の空気圧を乳容器にかけないことを確実にするようにする。
・乳容器はシステムの基部を形成する。
・乳容器は平らな基部を備えているため、表面に安定して置くことができる。
・乳容器はハウジングから取り外し可能である。
・乳容器には、収集された乳の量を示す明瞭または透明な壁またはセクションが含まれている。
・乳容器は、保管のためにシールできる。
・乳容器により、消耗品または交換可能な乳用ポーチが不要になる。
・乳容器には、乳房シールドの乳頭トンネルの開口部の真下に位置する開口部が含まれ、搾り出された乳は、重力で乳頭トンネルの開口部を通り、乳容器の注ぎ口から乳容器に流れ込む。
・乳容器には、乳房シールドの開口部に対して搾乳機構からの陰圧の空気圧でセルフシールする開口部、注ぎ口、または蓋が含まれ、乳は開口部を通って乳容器に重力で流れる。
・乳容器はブロー成形構造を使用して作られている。
・乳容器には、直径３ｃｍ以上の掃除を容易にするために大きな直径の開口部がある。
・大きな開口部は、一体型の注ぎ口を備えたバヨネット取り付けキャップで閉じられている。
・搾乳機構は、女性の乳房を取り囲む領域に陰圧を加えて、乳房から乳を搾り出す閉ループ陰圧空気圧システムである。
【０２９２】
特徴３２  Ｅｌｖｉｅはウェアラブルで、迅速で信頼性の高い乳の収集のために、乳房シールドによって定義された乳流路の下に、取り外し可能な乳容器が含まれている
（ａ）搾乳機構を含むハウジングであって、少なくとも部分的にブラジャーの内側に適合するように成形された前記ハウジング、及び
（ｂ）乳頭を受け入れるように形作られた乳頭トンネルを含み、乳流路の開始を規定する開口部を含む乳房シールド、
（ｃ）前記搾乳器が通常の使用のために配置または方向付けられている場合、前記ハウジングに接続されたときに前記開口部または前記乳流路の完全に下に配置される再利用可能な乳容器
を含む、ウェアラブル搾乳器システム。
オプション
・乳容器には、乳房シールドの乳頭トンネルの開口部の真下にある開口部が含まれており、搾り出された乳は、重力で乳頭トンネルの開口部を通って乳容器の注ぎ口から乳容器に流れ込む。
・乳は開口部から乳容器に直接流れ込む。
・乳は開口部から乳容器に直接流れ込む。
・乳容器には、乳房シールドの開口部に対して搾乳機構からの陰圧の空気圧でセルフシールする開口部、注ぎ口、または蓋が含まれ、乳は重力によって開口部から乳容器に流れ込む。
・乳は開口部から直接乳容器に取り付けられた弁に流れる。弁は閉じているが、弁と乳房シールド開口部の間の空気量には十分な陰圧の空気圧があり、後に空気圧が十分に上昇したとき容器に乳を解放するよう開く。
・乳は、開口部から注ぎ口に取り付けられた弁に直接流れ込み、さらに弁は乳容器に取り付けられる。
・乳容器には、直径３ｃｍ以上の掃除を容易にするために大きな直径の開口部がある。
・大きな開口部は、一体型の注ぎ口を備えたバヨネット取り付けキャップで閉じられている。
・可撓性のゴム製またはエラストマー製の弁が乳容器のキャップまたは注ぎ口に取り付けられており、エアポンプによって陰圧の空気圧が加えられたときにシールされたままになるゴム製またはエラストマー製のダックビル弁が含まれ、陰圧の空気圧を確保する乳容器には適用されず、乳はダックビル弁に向かって流れ、弁が閉じている間保持され、陰圧が解除されて弁が開くと、弁を通過して乳容器に流れ込む。
・乳房シールド及び乳容器がそれぞれ、ハウジングと係合するように圧迫されるまたは押される。
・乳房シールド及び乳容器がそれぞれ、ハウジングとラッチ係合するように圧迫されるまたは押される。
・２つの取り外し可能な部品は、それぞれがクリック音などの可聴音で確認される動作を使用してハウジングに挿入及び取り外し可能である。
・乳房シールドは、乳房にフィットする形状の略凸面と、乳頭を受け入れる形状の乳頭トンネルを含むワンピースの品目である。
・乳房シールドは、通常の使用のために直立に配置された場合、乳房シールドの上部から底部まで延びる中心線に対して概ね対称である。
・乳房シールドは、乳頭トンネルに挿入された乳頭の周りを円滑に回転して、乳房シールドの隔膜ハウジング部分を乳房の上部に配置するように構成されている。
・乳房シールドは、ガイド部材を使用してハウジング内にスライドする。
・ハウジングは、ガイド部材を使用して、乳房シールドが乳房上に配置されたときに、乳房シールド上にスライドするように構成される。
・乳房シールドが、ハウジングに対して所定の位置にラッチする。
・ハウジング内のボールベアリングなどのばねプランジャが乳房シールドの小さなくぼみに位置するときに、乳房シールドがハウジングに対して所定の位置にラッチする。
・乳房シールドが、磁石を使用してハウジングに対して所定の位置にラッチする。
【０２９３】
特徴３３  Ｅｌｖｉｅはウェアラブルで、使用と清掃を簡単にするために、光学的に澄んでいる食器洗い機に安全なプラスチック製の乳房シールドと取り外し可能な乳容器が含まれている
（ａ）搾乳機構を含むハウジング、及び
（ｂ）乳頭を受け入れる形状の領域を画定する乳房シールドであって、前記領域は、乳流路の開始を画定する前記乳房シールド、
（ｃ）前記ハウジングに接続されたときに、前記ハウジングの前記基部を形成するように配置される、再利用可能な剛性または折り畳めない乳容器
を含み、
前記乳房シールドと前記乳容器は、実質的に光学的に澄んでいる食器洗い機に安全な材料で作られている、搾乳器システム。
オプション
・素材は、Ｔｒｉｔａｎ（ＴＭ）などのポリカーボネート素材である。
・搾乳器システムはウェアラブルであり、ハウジングは少なくとも部分的にブラジャーの内側に収まる形状になっている。
・乳房シールドは、乳房にフィットする形状の略凸面と、乳頭を受け入れる形状の乳頭トンネルを含むワンピースの品目である。
・乳房シールドは、通常の使用のために直立に配置された場合、乳房シールドの上部から底部まで延びる中心線に対して概ね対称である。
・乳房シールドは、乳頭トンネルに挿入された乳頭の周りを円滑に回転して、乳房シールドの隔膜ハウジング部分を乳房の上部に配置するように構成されている。
・乳房シールドが、ハウジング内のエアポンプシステムによって陰圧の空気圧が加えられると曲がり、乳を搾り出させるために、乳房及び／または乳頭を乳房シールドに対して引っ張るその陰圧の空気圧を伝達する可撓性隔膜を動作する。
・可撓性隔膜は、乳房シールドの隔膜ハウジング部分から取り外して清掃できる。
・隔膜ハウジングが、陰圧の空気圧を乳房シールドの乳頭トンネルに伝達する空気穴を含み、隔膜が隔膜ハウジングから離れる及びハウジングに向かうと陰圧の空気圧が生じ、乳頭トンネル内の陰圧の空気圧により、乳房及び／または乳頭が乳房シールドに押し付けられ、乳が搾り出される。
・乳房シールド及び乳容器がそれぞれ、ハウジングと係合するように圧迫されるまたは押される。
・乳房シールド及び乳容器がそれぞれ、ハウジングとラッチ係合するように圧迫されるまたは押される。
・乳房シールドと乳容器は、クリックなどの可聴音で確認された動作を使用して、それぞれハウジングに挿入及び取り外しできる。
・乳容器には、乳房シールドの開口部に対して搾乳機構からの陰圧の空気圧でセルフシールする開口部、注ぎ口、または蓋が含まれ、乳は開口部を通って乳容器に重力で流れる。
・乳房シールドは、乳房にフィットする形状の略凸面と、乳頭を受け入れる形状の乳頭トンネルを含むワンピースの品目である。
・乳房シールドは、通常の使用のために直立に配置された場合、乳房シールドの上部から底部まで延びる中心線に対して概ね対称である。
・乳房シールドは、乳頭トンネルに挿入された乳頭の周りを円滑に回転して、乳房シールドの隔膜ハウジング部分を乳房の上部に配置するように構成されている。
・乳房シールドは、ガイド部材を使用してハウジング内にスライドする。
・ハウジングは、ガイド部材を使用して、乳房シールドが乳房上に配置されたときに、乳房シールド上にスライドするように構成される。
・乳房シールドは、ハウジングに対する所定の位置にラッチする。
・ハウジング内のボールベアリングなどのばねプランジャが乳房シールドの小さなくぼみに位置するときに、乳房シールドがハウジングに対して所定の位置にラッチする
・乳房シールドは、磁石を使用してハウジングに対して所定の位置にラッチする。
【０２９４】
特徴３４  Ｅｌｖｉｅはウェアラブルで、組み立てと分解の便宜のために、陰圧の空気圧下でセルフシールする様々なコンポーネントが含まれている
（ａ）ブラジャーの内側にフィットするように少なくとも部分的に成形され、エアポンプ機構を含むハウジング、
（ｂ）乳房シールド、
（ｃ）前記エアポンプ機構によって生じる空気圧の変化に応じて曲がり、前記乳房シールドをシールする隔膜、
（ｄ）前記乳房シールドをシールする再利用可能な乳容器
を含み、
前記隔膜及び前記再利用可能な乳容器のいずれかまたは両方が、前記搾乳機構によって提供される前記陰圧の空気圧の下で実質的にセルフシールする
ウェアラブル搾乳器システム。
オプション
・乳容器には、乳房シールドの開口部に対して搾乳機構からの陰圧の空気圧でセルフシールする開口部、注ぎ口、または蓋が含まれ、乳は開口部を通って乳容器に重力で流れる。
・再利用可能な乳容器には、乳房シールドからの導管に対してセルフシールし、乳を容器に入れることができるが、こぼれず、また弁が（ａ）閉じる、及び（ｂ）搾乳機構によって提供される陰圧の空気圧の下で導管に対して部分的にまたは完全にセルフシールする一方向弁を含む。
・一方向弁は、乳容器、または締まり嵌めで乳容器の蓋または注ぎ口に取り付けられており、通常の使用では個別に洗浄するために簡単に取り外される。
・隔膜は、搾乳機構によって提供される陰圧の空気圧の下で、乳房シールドに部分的または完全にセルフシールする。
・隔膜は、搾乳機構によって提供される陰圧の空気圧の下で、ハウジングに部分的または完全にセルフシールする。
・隔膜は、エラストマーまたはゴム製のラッチを使用して隔膜ハウジングに取り付けられており、通常の使用では個別に洗浄するために簡単に取り外される。
・乳房シールド及び乳容器がそれぞれ、ハウジングと係合するように圧迫されるまたは押される。
・乳房シールド及び乳容器がそれぞれ、ハウジングとラッチ係合するように圧迫されるまたは押される。
・乳房シールドと乳容器は、クリックなどの可聴音で確認された動作を使用して、それぞれハウジングに挿入及び取り外しできる。
・乳房シールドは、乳房にフィットする形状の略凸面と、乳頭を受け入れる形状の乳頭トンネルを含むワンピースの品目である。
・乳房シールドは、通常の使用のために直立に配置された場合、乳房シールドの上部から底部まで延びる中心線に対して概ね対称である。
・乳房シールドは、乳頭トンネルに挿入された乳頭の周りを円滑に回転して、乳房シールドの隔膜ハウジング部分を乳房の上部に配置するように構成されている。
・乳房シールドは、ガイド部材を使用してハウジング内にスライドする。
・ハウジングは、ガイド部材を使用して、乳房シールドが乳房上に配置されたときに、乳房シールド上にスライドするように構成される。
・乳房シールドは、ハウジングに対する所定の位置にラッチする。
・ハウジング内のボールベアリングなどのばねプランジャが乳房シールドの小さなくぼみに位置するときに、乳房シールドがハウジングに対して所定の位置にラッチする
・乳房シールドは、磁石を使用してハウジングに対して所定の位置にラッチする。
【０２９５】
特徴３５  Ｅｌｖｉｅはウェアラブルで、乳容器の前端に注ぎやすいように注ぎ口が付いている
（ａ）ブラジャーの内側にフィットするように少なくとも部分的に成形され、搾乳機構を含むハウジング、及び
（ｂ）前記ハウジングの一体化部分を形成する乳容器、
（ｃ）前記乳容器の前記前端またはその近くに配置された再利用可能な注ぎ口
を含む、単一ユニットとして構成されるウェアラブル搾乳器システム。
オプション
・乳容器は多機能瓶であり、搾り出されている乳を入れるための保管容器として、またその乳用の冷蔵及び冷凍可能な保管瓶として、また乳児がその乳を飲み得る瓶としても機能する。
・注ぎ口は、乳容器の取り外し可能な蓋に一体型である。
・注ぎ口は、容器から切り取るなどして、容器から取り外し可能である。
・乳頭は注ぎ口に取り付け可能である。
・乳容器の前端またはその近くに注ぎ口を配置することにより、乳容器は、乳容器の蓋の中央に注ぎ口を配置する場合よりも簡単に完全に空になる。
・注ぎ口は、通常、搾り出された乳が流れる乳房シールドの注ぎ口または乳頭トンネルの開口部の下に着座する。
・再利用可能な乳容器には、乳房シールドからの導管に対してセルフシールし、乳を容器に入れることができるが、こぼれず、また弁が（ａ）閉じる、及び（ｂ）搾乳機構によって提供される陰圧の空気圧の下で導管に対して部分的にまたは完全にセルフシールする一方向弁を含む。
・乳容器には、乳房シールドの開口部に対して搾乳機構からの陰圧の空気圧でセルフシールする開口部、注ぎ口、または蓋が含まれ、乳は開口部を通って乳容器に重力で流れる。
【０２９６】
特徴３６  Ｅｌｖｉｅはウェアラブルで、幅広の肩の形をした乳容器が含まれており、乳児が簡単に持つことができる飲用瓶として適合させることができる
単一ユニットとして構成され、
（ａ）ブラジャーの内側にフィットするように少なくとも部分的に成形され、搾乳機構を含むハウジング、
（ｂ）乳房シールド、
（ｃ）前記ハウジングから取り外し可能で、高さよりも幅が広いために乳児が容易に保持できる飲用瓶としても機能する形状または構成の乳容器
を含む、ウェアラブル搾乳器システム。
オプション
・乳頭は乳容器に直接取り付け可能である。
・注ぎ口または飲み口は、乳容器に一体型である。
・ショルダーの幅は少なくとも２ｃｍ、ネックの高さは１ｃｍ以下であり、これにより、乳児が容器内の乳から授乳するときに容器を簡単につかんで保持することができる。
・注ぎ口／乳頭／ストローは、容器の縁の端の近くにある。
・乳容器は多機能瓶であり、搾り出されている乳を入れるための保管容器として、またその乳用の冷蔵及び冷凍可能な保管瓶として、また乳児がその乳を飲み得る瓶としても機能する。
・再利用可能な乳容器には、乳房シールドからの導管に対してセルフシールし、乳を容器に入れることができるが、こぼれず、また弁が（ａ）閉じる、及び（ｂ）搾乳機構によって提供される陰圧の空気圧の下で導管に対して部分的にまたは完全にセルフシールする一方向弁を含む。
・乳容器には、乳房シールドの開口部に対して搾乳機構からの陰圧の空気圧でセルフシールする開口部、注ぎ口、または蓋が含まれ、乳は開口部を通って乳容器に重力で流れる。
・注ぎ口は乳容器に一体型である。
・注ぎ口は、乳容器の取り外し可能な蓋に一体型である。
・注ぎ口は、乳容器の前端またはその近くに配置される。
・注ぎ口は、容器から切り取るなどして、容器から取り外し可能である。
・乳頭は注ぎ口に取り付け可能である。
・可撓性のゴム製弁またはエラストマー製の弁がキャップまたは注ぎ口に取り付けられ、エアポンプによって陰圧の空気圧が加えられたときにシールされたままになるゴム製またはエラストマー製のダックビル弁を含み、陰圧の空気圧を乳容器にかけないことを確実にするようにする。
・乳容器はシステムの基部を形成する。
・乳容器は平らな基部を備えているため、表面に安定して置くことができる。
・乳容器はハウジングから取り外し可能である。
・乳容器には、収集された乳の量を示す明瞭または透明な壁またはセクションが含まれている。
・乳容器は、保管のためにシールできる。
・乳容器により、消耗品または交換可能な乳ポーチが不要になる。
・乳容器は、乳房シールドの乳頭トンネルの開口部の真下に位置する開口部を含み、搾乳された乳は、重力で乳頭トンネルの開口部を通り、乳容器の注ぎ口から乳容器に流れ込む。
・乳容器はブロー成形構造を使用して作られている。
・乳容器には、直径３ｃｍ以上の掃除を容易にするために大きな直径の開口部がある。
・大きな開口部は、一体型の注ぎ口を備えたバヨネット取り付けキャップで閉じられている。
【０２９７】
Ｄ．  Ｅｌｖｉｅ  ＩＲシステム特徴クラスタ
特徴３７  Ｅｌｖｉｅはウェアラブルで、迅速で信頼性の高いフィードバックを得るために、容器内の乳の量を測定する光ベースのシステムが含まれている
搾乳器または母乳収集デバイスの一部として使用するための、乳の量の判定のためのシステムであって、
（ａ）再利用可能な剛性または折り畳めない乳容器、
（ｂ）放射を前記乳の前記表面に向けるように構成された少なくとも１つの光エミッタ、
（ｃ）前記乳の前記表面からの反射放射を検出するように構成された少なくとも１つの光検出器
を含み、
前記光エミッタ及び検出器は、前記容器内の前記乳の高さを測定する、または量を推測するサブシステムの一部として動作する前記システム。
オプション
ウェアラブル搾乳器システムは、
（ａ）ブラジャーの内側にフィットするように少なくとも部分的に成形され、搾乳機構を含むハウジング、及び
（ｂ）乳房シールド、
（ｃ）ハウジングに接続されたときにハウジングの基部を形成するように配置された、再利用可能な剛性または折り畳めない乳容器、
を含み、
容器の上部は、ハウジングの基部に配置された１つ以上の光エミッタの下に位置合わせされる光学的に澄んでいる領域を含む。
・サブシステムは、１つまたは複数の光エミッタと光検出器を使用して液体から反射されたエミッタからの光を検出し、反射光の強度を測定することにより、容器内の液体の量及び／または高さを測定または推測する。
・サブシステムには加速度計が含まれ、加速度計からの信号を使用して、サブシステムが容器内の液体の量及び／または高さを正確に測定または推測できるほど十分に液体が静止しているかどうかを判断する。
・サブシステムは、容器内の液体の量及び／または高さを測定または推測し、そのデータをデータ接続モジュールと共有する。
・量またはレベルが閾値を超える場合、搾乳機構は自動的にモードを変更する、例えば刺激モードから搾り出しモードへと変更する。
・量またはレベルが閾値を超える場合、搾乳機構が自動的に停止する。
・乳の流れデータがキャプチャされ、保存される。
・乳の流れが閾値を下回ると、母親に通知が送られる。
【０２９８】
特徴３８  液体量測定用の個別のＩＲパック
搾乳器の容器内の前記液体の量を測定するための液体レベル測定システムであって、
（ａ）前記容器内の前記液体の前記表面に光を向ける１つ以上の光エミッタ、
（ｂ）前記液体から反射された前記光エミッタからの光を検出するように構成された１つ以上の光レシーバ、
（ｃ）前記検出された光の測定された特性を使用して前記液体の前記量を推測、測定、または計算するサブシステム、
（ｄ）前記システムを前記容器上に配置するカラーまたはその他の固定システム
を含む、前記システム。
オプション
・乳の量は、乳が容器に入ったとき、または乳が容器から取り出されたときに測定される。
・測定された特性には反射光強度が含まれる
【０２９９】
特徴３９  液体の傾斜角の測定と組み合わせた個別のＩＲパック
容器内の液体の傾斜角を測定するための液体レベル測定システムであって、
（ａ）前記容器内の前記液体の前記表面に光を向ける１つ以上の光エミッタ、
（ｂ）前記液体から反射された前記光の特性を測定するように構成された１つ以上の光レシーバ、
（ｃ）前記検出された光の測定された特性を使用して前記液体の傾斜角を推測、測定、または計算する加速度計を含むサブシステム、
（ｄ）前記システムを前記容器上に配置するカラーまたはその他の固定システム
を含む前記システム。
オプション
・測定された特性には反射光強度が含まれる
・液体の量は、液体が容器に入ったとき、または液体が容器から取り除かれたときに測定される。
・サブシステムには加速度計が含まれ、加速度計からの信号を使用して、サブシステムが容器内の液体の量及び／または高さを正確に測定または推測できるほど十分に液体が静止しているかどうかを判断する。
・サブシステムは、容器内の液体の量及び／または高さを測定または推測し、そのデータをデータ接続モジュールと共有する。
【０３００】
一般的に適用可能なオプション機能
・充填されていないユニット全体の重量は２５０ｇ未満で、好ましくは２１４ｇである。
・銀ベースの殺菌剤が、通常の洗浄で蒸気滅菌または熱滅菌されていないすべての部品に使用される。
・ハウジングが充電式バッテリを含む。
・システムは自己独立型である。
・システムは閉ループシステムである。
・搾乳器システムは、一体型充電式バッテリ、制御電子機器、及び閉じたシステムとして動作する１つ以上のエアポンプを含む自己独立型のウェアラブルデバイスで、可撓性隔膜を駆動して、順次陰圧を乳房に送り、乳を搾り出させる。
・ハウジングの前面は全体的に丸みを帯びているか凸面であり、正面から見たときの形状は全体的に涙滴である。
【０３０１】
Ｅ．ブラジャークリップ特徴クラスタ
特徴４０  ブラジャーアジャスター
授乳用またはマタニティブラ用のブラジャーアジャスターであって、前記授乳用またはマタニティブラが、乳頭を露出するために外すことができるフラップであって、留め金、フックまたは前記フラップに取り付けられる他のファスナーを使用して前記ショルダーストラップに取り付けられる前記フラップ、及び前記ショルダーストラップに取り付けられる対応するファスナーを伴うブラカップを含み、
前記ブラアジャスターは、一端で前記フラップに取り付けられた前記ファスナーに対して取り付け可能であり、また他端で前記ショルダーストラップに取り付けられた前記ファスナーに対して取り付け可能であり、したがって、ウェアラブル搾乳器を収容するのに十分な有効ブラカップサイズを増加させ、前記フラップとショルダーストラップから取り外しも可能である、前記ブラアジャスター。
オプション
・ブラジャーアジャスターは、フラップがショルダーストラップに直接取り付けられている場合でも、ブラジャーの通常の着用中にブラジャーの位置に保持され、ウェアラブル搾乳器を使用する場合にのみ有効なブラカップサイズを大きくするために使用される。
・ブラジャーアジャスターは拡張可能または弾力がある。
・ブラジャーアジャスターは固定した長さである。
・ブラジャーアジャスターには、使用者がブラストラップ上でスライドしてブラアジャスターを所定の位置に固定できるクリップが含まれている。
・ブラジャーアジャスターは洗濯機で洗える。
【０３０２】
Ｆ．搾乳器のコンテキスト外に配置できるその他の機能
特徴４１  直列または並列に接続された複数のピエゾポンプを使用したウェアラブルデバイス
直列または並列に一緒に取り付けられた複数のピエゾポンプを含む、ウェアラブルデバイス。
オプション
・ウェアラブルデバイスは医療用ウェアラブルデバイスである。
・ピエゾは、空気またはいずれかの液体などをポンプで送る。
・システムは、並列モードと直列モードとを切り替えて、より素早く、より低いまたは高い圧力に到達できる。
【０３０３】
特徴４２  ピエゾポンプとヒートシンクを一緒に取り付けたウェアラブル医療機器。
一緒に取り付けられたピエゾポンプとヒートシンクを含む、ウェアラブル医療機器。
オプション
・ウェアラブルデバイスは、直列に接続された複数のピエゾポンプを使用する。
・ウェアラブルデバイスは、並列接続された複数のピエゾポンプを使用する。
・各ピエゾポンプは、独自のヒートシンクまたは共通のヒートシンクに接続されている。
・ヒートシンクまたは各ヒートシンクは、皮膚と接触する可能性のある搾乳器システムのいずれかの部品の最高温度、特に１分超の長時間の接触が４８℃以下、好ましくは４３℃以下に確実になるよう構成される。
・ウェアラブルデバイスにはサーマルカットアウトが含まれている。
・通常の使用で、過剰な熱は、使用者の皮膚に長時間接触しないように選択されたデバイスの特定の場所に迂回される。
・ユースケースの応用例
〇創傷の治療
〇高温の火傷
〇睡眠時無呼吸
〇深部静脈血栓症
〇スポーツ傷害。
・ウェアラブル医療機器は、ＵＳＢ経由で電源供給／充電される。
【０３０４】
注意
上記で参照された構成は、本発明の原理の応用の例示にすぎないことを理解されたい。本発明の精神及び範囲から逸脱することなく、多数の修正及び代替の構成を考案することができる。本発明を図面に示し、本発明の最も実用的かつ好ましい例（複数可）と現在考えられているものに関連して、特別にまた詳細に、これまでに十分に説明したが、当業者には、本明細書に記載の本発明の原理及び概念から逸脱することなく、多数の修正を行うことができることが明らかである。
【図１】
2020523179.tif 000003
【図２】
2020523179.tif 000004
【図３】
2020523179.tif 000005
【図４】
2020523179.tif 000006
【図５】
2020523179.tif 000007
【図６】
2020523179.tif 000008
【図７】
2020523179.tif 000009
【図８】
2020523179.tif 000010
【図９】
2020523179.tif 000011
【図１０】
2020523179.tif 000012
【図１１】
2020523179.tif 000013
【図１２】
2020523179.tif 000014
【図１３】
2020523179.tif 000015
【図１４】
2020523179.tif 000016
【図１５】
2020523179.tif 000017
【図１６】
2020523179.tif 000018
【図１７】
2020523179.tif 000019
【図１８】
2020523179.tif 000020
【図１９】
2020523179.tif 000021
【図２０】
2020523179.tif 000022
【図２１】
2020523179.tif 000023
【図２２】
2020523179.tif 000024
【図２３】
2020523179.tif 000025
【図２４】
2020523179.tif 000026
【図２５】
2020523179.tif 000027
【図２６】
2020523179.tif 000028
【図２７】
2020523179.tif 000029
【図２８】
2020523179.tif 000030
【図２９】
2020523179.tif 000031
【図３０】
2020523179.tif 000032
【図３１】
2020523179.tif 000033
【図３２】
2020523179.tif 000034
【図３３】
2020523179.tif 000035
【図３４】
2020523179.tif 000036
【図３５】
2020523179.tif 000037
【図３６】
2020523179.tif 000038
【図３７】
2020523179.tif 000039
【図３８】
2020523179.tif 000040
【図３９】
2020523179.tif 000041
【図４０】
2020523179.tif 000042
【図４１】
2020523179.tif 000043
【図４２】
2020523179.tif 000044
【図４３】
2020523179.tif 000045
【図４４】
2020523179.tif 000046
【国際調査報告】
2020523179.tif 000047
2020523179.tif 000048
2020523179.tif 000049
2020523179.tif 000050
2020523179.tif 000051
2020523179.tif 000052
2020523179.tif 000053
2020523179.tif 000054